(57)【要約】  植物注入システムは、植物に貫入し且つ植物に液状製剤を分配するように構成された注入器具を含む。注入器具は、入口ポートを有するベースと、長手方向体軸に沿って延在する貫入分配本体とを含む。貫入分配本体は、貫入要素と、入口ポートと連通する１つ以上の分配ポートとを含む。１つ以上の分配ポートは貫入要素から離間している。注入器具は、貫入形態及び分配形態を含む。貫入形態では、貫入要素は、長手方向体軸に沿って植物に貫入するように構成されている。分配形態では、１つ以上の分配ポートは、長手方向体軸に対応する１つ以上の貫入方向、少なくとも１つの貫入方向に対して横断方向に、植物に液状製剤を分配するように構成されている。【選択図】図１７
2021532828.tif 000002
【特許請求の範囲】
【請求項１】
植物に貫入し、且つ前記植物に液状製剤を分配するように構成された注入器具
を含む、植物注入システムであって、
前記注入器具は：
入口ポートを有するベース；
長手方向体軸に沿って延在し、且つ本体プロファイルを有する貫入分配本体であって：
貫入要素；
前記本体プロファイル内に少なくとも１つの分配リザーバ；及び
前記入口ポート及び前記少なくとも１つの分配リザーバと連通する１つ以上の分配ポートであって、前記貫入要素から離間している１つ以上の分配ポート
を含む、貫入分配本体
を含み、及び
前記注入器具は、貫入形態及び分配形態を含み：
前記貫入形態では、前記貫入要素は、前記長手方向体軸に沿って前記植物に貫入するように構成されており；及び
前記分配形態では、前記１つ以上の分配ポートは、前記植物に最も近い前記少なくとも１つの分配リザーバ内で前記長手方向体軸に対して横断方向に前記液状製剤を分配するように構成されている、植物注入システム。
【請求項２】
前記１つ以上の分配ポートが前記長手方向体軸から側方に離間されている、請求項１に記載の植物注入システム。
【請求項３】
前記貫入要素は貫入プロファイルを含み、及び前記１つ以上の分配ポートは、前記貫入プロファイル内にあり、且つ前記貫入プロファイルに対して近位にある、請求項１に記載の植物注入システム。
【請求項４】
前記１つ以上の分配ポートは、前記貫入プロファイル内の奥まった所に据えられる、請求項３に記載の植物注入システム。
【請求項５】
前記貫入形態では、前記貫入要素が前記１つ以上の分配ポートの前記植物との係合を妨害する、請求項１に記載の植物注入システム。
【請求項６】
前記１つ以上の分配ポートは、前記本体プロファイルの外面から奥まった所に据えられる、請求項１に記載の植物注入システム。
【請求項７】
前記分配形態では、前記１つ以上の分配ポートは、前記本体プロファイルの前記外面の方に向かって前記液状製剤を分配するように構成されている、請求項６に記載の植物注入システム。
【請求項８】
前記分配形態では、前記１つ以上の分配ポートは、前記貫入要素に対して離れた所に前記液状製剤を分配するように構成されている、請求項１に記載の植物注入システム。
【請求項９】
前記分配形態では、前記１つ以上の分配ポートは、前記貫入分配本体に沿って前記貫入要素に対して近位の箇所に前記液状製剤を分配するように構成されている、請求項１に記載の植物注入システム。
【請求項１０】
前記分配形態では、前記少なくとも１つの分配リザーバを有する前記貫入分配本体は、前記植物の植物組織に沿って前記液状製剤を保持するように構成されている、請求項１に記載の植物注入システム。
【請求項１１】
前記貫入分配本体が前記植物内でアンカー要素によって継続状態で保持されている保持形態を含む、請求項１に記載の植物注入システム。
【請求項１２】
前記分配形態では、前記１つ以上の分配ポートは、前記植物に継続状態で前記液状製剤を分配するように構成されている、請求項１に記載の植物注入システム。
【請求項１３】
前記継続状態は、１時間以上かけた前記１つ以上の分配ポートからの前記液状製剤の複数の分配を含む、請求項１２に記載の植物注入システム。
【請求項１４】
前記複数の分配は前記液状製剤の連続的な分配を含む、請求項１３に記載の植物注入システム。
【請求項１５】
前記貫入要素は、切断要素、楔プロファイル、又はスパイクプロファイルのうちの１つ以上を含む、請求項１に記載の植物注入システム。
【請求項１６】
植物へ液状製剤を分配する方法であって：
長手方向体軸に沿って延在する貫入分配本体を有する注入器具によって植物に貫入することであって、貫入は：
前記貫入分配本体の貫入要素で前記植物を突き刺すこと；
前記貫入分配本体によって１つ以上の分配ポートを前記植物から隔離すること
を含む、貫入することと；
前記貫入された植物に前記液状製剤を分配することであって、前記液状製剤の分配は：
前記注入器具の入口ポートから前記１つ以上の分配ポートへ前記液状製剤を送ること；
前記１つ以上の分配ポートから、前記貫入された植物と連通する少なくとも１つの分配リザーバに前記液状製剤を送達することであって、前記少なくとも１つの分配リザーバは前記貫入分配本体の本体プロファイル内にあること
を含む、分配することと
を含む、方法。
【請求項１７】
前記植物からの前記１つ以上の分配ポートの隔離は、前記貫入要素の貫入プロファイルによって前記植物から前記１つ以上の分配ポートを隔離することを含む、請求項１６に記載の方法。
【請求項１８】
前記１つ以上の分配ポートは前記貫入分配本体の前記本体プロファイル内にあり；及び
前記植物からの前記１つ以上の分配ポートの隔離は、前記本体プロファイルによって前記１つ以上の分配ポートを隔離することを含む、請求項１６に記載の方法。
【請求項１９】
前記１つ以上の分配ポートは前記貫入分配本体の本体プロファイル内にあり；及び
前記注入器具による前記植物の貫入は、前記１つ以上の分配ポートの前記植物との前記係合を妨害することを含む、請求項１６に記載の方法。
【請求項２０】
前記貫入要素は切断要素を含み；及び
前記貫入要素で前記植物を突き刺すことは、前記切断要素で前記植物を切断することを含む、請求項１６に記載の方法。
【請求項２１】
前記貫入要素は楔プロファイルを含み；及び
前記貫入要素で前記植物を突き刺すことは、前記楔プロファイルで前記植物を切断することを含む、請求項１６に記載の方法。
【請求項２２】
前記貫入分配本体は本体プロファイルを含み、及び前記１つ以上の分配ポートは、前記本体プロファイルから奥まった所に据えられ；及び
前記１つ以上の分配ポートから前記液状製剤を送達することは、前記貫入分配本体の長手方向体軸に対して横断方向に前記液状製剤を送達することを含む、請求項１６に記載の方法。
【請求項２３】
前記植物の植物組織に沿って前記液状製剤を保持することを含む、請求項１６に記載の方法。
【請求項２４】
前記１つ以上の分配ポートは、前記貫入要素から離れた所にあり；及び
前記１つ以上の分配ポートから前記液状製剤を送達することは、前記貫入要素に対して離れた所に前記液状製剤を送達することを含む、請求項１６に記載の方法。
【請求項２５】
前記液状製剤を離れた所に送達することは、前記貫入分配本体に沿って前記貫入要素に対して近位の箇所に前記液状製剤を送達することを含む、請求項２４に記載の方法。
【請求項２６】
アンカー要素によって前記植物内に前記貫入分配本体を保持することを含む、請求項１６に記載の方法。
【請求項２７】
前記１つ以上の分配ポートから前記液状製剤を送達することは、前記液状製剤の継続的な送達を含む、請求項１６に記載の方法。
【請求項２８】
前記液状製剤の継続的な送達は、１時間以上かけた前記液状製剤の継続的な送達を含む、請求項２７に記載の方法。
【請求項２９】
前記液状製剤の継続的な送達は、複数の分配を含む、請求項２７に記載の方法。
【請求項３０】
前記液状製剤の送達は、前記液状製剤の受動的な送達を含む、請求項１６に記載の方法。
【請求項３１】
前記液状製剤の受動的な送達は、前記液状製剤の静水圧に基づいて前記液状製剤を送達することを含む、請求項３０に記載の方法。
【請求項３２】
植物に貫入し、且つ前記植物に液状製剤を分配するように構成された注入器具
を含む、植物注入システムであって、
前記注入器具は：
入口ポートを有するベース；
長手方向体軸に沿って延在する貫入分配本体であって：
貫入要素；及び
前記入口ポートと連通する１つ以上の分配ポートであって、前記貫入要素から離間している１つ以上の分配ポート
を含む、貫入分配本体
を含み；及び
前記注入器具は、貫入形態及び分配形態を含み：
前記貫入形態では、前記貫入要素は、前記長手方向体軸に沿って前記植物に貫入するように構成されており；及び
前記分配形態では、前記１つ以上の分配ポートは、前記長手方向体軸に対して横断方向に前記植物に前記液状製剤を分配するように構成されている、植物注入システム。
【請求項３３】
前記１つ以上の分配ポートが前記長手方向体軸から側方に離間されている、請求項３２に記載の植物注入システム。
【請求項３４】
前記貫入要素は貫入プロファイルを含み、及び前記１つ以上の分配ポートは、前記貫入プロファイル内にあり、且つ前記貫入プロファイルに対して近位にある、請求項３２に記載の植物注入システム。
【請求項３５】
前記１つ以上の分配ポートは、前記貫入プロファイル内の奥まった所に据えられる、請求項３４に記載の植物注入システム。
【請求項３６】
前記貫入形態では、前記貫入要素が前記１つ以上の分配ポートの前記植物との係合を妨害する、請求項３２に記載の植物注入システム。
【請求項３７】
前記貫入分配本体は本体プロファイルを含み、及び前記１つ以上の分配ポートは、前記本体プロファイルの外面から奥まった所に据えられる、請求項３２に記載の植物注入システム。
【請求項３８】
前記分配形態では、前記１つ以上の分配ポートは、前記本体プロファイルの前記外面の方に向かって前記液状製剤を分配するように構成されている、請求項３７に記載の植物注入システム。
【請求項３９】
前記分配形態では、前記１つ以上の分配ポートは、前記貫入要素に対して離れた所に前記液状製剤を分配するように構成されている、請求項３２に記載の植物注入システム。
【請求項４０】
前記分配形態では、前記１つ以上の分配ポートは、前記貫入分配本体に沿って前記貫入要素に対して近位の箇所に前記液状製剤を分配するように構成されている、請求項３２に記載の植物注入システム。
【請求項４１】
前記貫入分配部は、本体プロファイルと、前記本体プロファイル内に少なくとも１つの分配リザーバとを含み；及び
前記分配形態では、前記１つ以上の分配ポートは、前記少なくとも１つの分配リザーバに前記液状製剤を分配するように構成されている、請求項３２に記載の植物注入システム。
【請求項４２】
前記分配形態では、前記少なくとも１つの分配リザーバを有する前記貫入分配本体は、前記植物の植物組織に沿って前記液状製剤を保持するように構成されている、請求項４１に記載の植物注入システム。
【請求項４３】
前記貫入分配本体が前記植物内でアンカー要素によって継続状態で保持されている保持形態を含む、請求項３２に記載の植物注入システム。
【請求項４４】
前記分配形態では、前記１つ以上の分配ポートは、前記植物に継続状態で前記液状製剤を分配するように構成されている、請求項３２に記載の植物注入システム。
【請求項４５】
前記継続状態は、１時間以上かけた前記１つ以上の分配ポートからの前記液状製剤の複数の分配を含む、請求項４４に記載の植物注入システム。
【請求項４６】
前記複数の分配は前記液状製剤の連続的な分配を含む、請求項４４に記載の植物注入システム。
【請求項４７】
前記貫入要素は、切断要素、楔プロファイル、又はスパイクプロファイルのうちの１つ以上を含む、請求項３２に記載の植物注入システム。
【請求項４８】
植物に貫入し、且つ前記植物に液状製剤を分配するように構成された注入器具
を含む、植物注入システムであって、
前記注入器具は：
前記液状製剤を受け入れるように構成された入口ポートを有するベース；
長手方向体軸に沿って前記ベースから延在する貫入分配本体であって、前記貫入分配本体は本体プロファイルを有し、前記貫入分配本体は：
前記貫入分配本体の遠位部分の近位にある貫入要素；
前記貫入分配本体に沿った分配要素であって、１つ以上の分配ポートを含む分配要素
を含む、貫入分配本体
を含み；及び
前記１つ以上の分配ポートは、前記貫入分配本体に沿って前記長手方向体軸に対して側方に開口している、植物注入システム
【請求項４９】
前記本体プロファイルは、前記貫入要素に沿って１つ以上の切断要素を有するシャフトプロファイルを含む、請求項４８に記載の植物注入システム。
【請求項５０】
前記本体プロファイルは、前記遠位部分の方に向かってテーパが付けられている楔プロファイルを含む、請求項４８に記載の植物注入システム。
【請求項５１】
前記貫入分配本体は、貫入された植物内に前記注入器具を保持するように構成されたアンカー要素を含む、請求項４８に記載の植物注入システム。
【請求項５２】
前記アンカー要素は、ねじ切り部、縦溝、クリート、又は楔プロファイルのうちの１つ以上を含む、請求項５１に記載の植物注入システム。
【請求項５３】
前記貫入分配本体は、前記入口ポートから前記１つ以上の分配ポートまで延在する入口通路を含む、請求項４８に記載の植物注入システム。
【請求項５４】
前記１つ以上の分配ポートは、前記本体プロファイルの外面から奥まった所に据えられる、請求項４８に記載の植物注入システム。
【請求項５５】
前記１つ以上の分配ポートは複数の分配ポートを含む、請求項４８に記載の植物注入システム。
【請求項５６】
前記１つ以上の分配ポートは、前記長手方向体軸から離れるように延在している、請求項４８に記載の植物注入システム。
【請求項５７】
前記１つ以上の分配ポートは、前記ベースの方へ向かって延在し、且つ前記貫入分配本体の前記遠位部分から離れるように延在している、請求項４８に記載の植物注入システム。
【請求項５８】
前記注入器具は、前記長手方向体軸に対して横断方向に前記植物に前記液状製剤を分配するように構成された前記１つ以上の分配ポートを有する分配形態を含む、請求項４８に記載の植物注入システム。
【請求項５９】
前記本体プロファイルは少なくとも１つの分配リザーバを含み、及び前記１つ以上の分配ポートは、前記少なくとも１つの分配リザーバに開口している、請求項４８に記載の植物注入システム。
【請求項６０】
前記少なくとも１つの分配リザーバは前記貫入要素の先端から離間している、請求項５９に記載の植物注入システム。
【請求項６１】
前記少なくとも１つの分配リザーバは、前記本体プロファイルの外面から奥まった所に据えられる、請求項５９に記載の植物注入システム。
【請求項６２】
前記注入器具と連通する送達装置であって：
前記液状製剤を保管するように構成されたコンテナー；及び
前記コンテナーと連通する取り付けインターフェースであって、前記注入器具の前記入口ポートと結合するように構成されている取り付けインターフェース
を含む、送達装置
を含む、請求項４８に記載の植物注入システム。
【請求項６３】
前記送達装置は、前記コンテナーと前記取り付けインターフェースとの間に置かれた投薬装置を含み、前記投薬装置は、前記注入器具に規定量の前記液状製剤を送達して、前記１つ以上の分配ポートから側方に分配するように構成されている、請求項６２に記載の植物注入システム。
【請求項６４】
植物に貫入し、且つ前記植物に液状製剤を分配するように構成された注入器具
を含む、植物注入システムであって、
前記注入器具は：
前記液状製剤を受け入れるように構成された入口ポートを有するベース；
長手方向体軸に沿って前記ベースから延在する貫入分配本体であって、本体プロファイルを有する貫入分配本体
を含み、
前記貫入分配本体は：
前記貫入分配本体の遠位部分の近位にある貫入要素；
前記貫入分配本体に沿ったアンカー要素であって、前記貫入された植物内に前記注入器具を保持するように構成されているアンカー要素；
前記貫入分配本体に沿った分配要素であって、１つ以上の分配ポートを含む分配要素
を含み；及び
前記１つ以上の分配ポートは前記入口ポートと連通しており、及び前記１つ以上の分配ポートは前記長手方向体軸から側方に離間されている、植物注入システム。
【請求項６５】
前記本体プロファイルはシャフトプロファイルを含み、及び前記貫入要素は１つ以上の切断要素を含む、請求項６４に記載の植物注入システム。
【請求項６６】
前記本体プロファイルは、前記遠位部分の方に向かってテーパが付けられている楔プロファイルを含む、請求項６４に記載の植物注入システム。
【請求項６７】
前記アンカー要素は、ねじ切り部、縦溝、クリート、又は楔プロファイルのうちの１つ以上を含む、請求項６４に記載の植物注入システム。
【請求項６８】
前記貫入分配本体は、前記入口ポートから前記１つ以上の分配ポートまで延在する入口通路を含む、請求項６４に記載の植物注入システム。
【請求項６９】
前記１つ以上の分配ポートは、前記本体プロファイルの外面から奥まった所に据えられる、請求項６４に記載の植物注入システム。
【請求項７０】
前記１つ以上の分配ポートは、前記貫入要素に対して離れた所に配置されている、請求項６４に記載の植物注入システム。
【請求項７１】
前記１つ以上の分配ポートは、前記長手方向体軸から離れるように延在している、請求項６４に記載の植物注入システム。
【請求項７２】
前記１つ以上の分配ポートは、前記ベースの方へ向かって延在し、且つ前記貫入分配本体の前記遠位部分から離れるように延在している、請求項６４に記載の植物注入システム。
【請求項７３】
前記注入器具は、前記長手方向体軸に対して横断方向に前記植物に前記液状製剤を分配するように構成された前記１つ以上の分配ポートを有する分配形態を含む、請求項６４に記載の植物注入システム。
【請求項７４】
前記本体プロファイルは少なくとも１つの分配リザーバを含み、及び前記１つ以上の分配ポートは、前記少なくとも１つの分配リザーバに開口している、請求項６４に記載の植物注入システム。
【請求項７５】
前記貫入分配本体は前記少なくとも１つの分配リザーバを囲む、請求項７４に記載の植物注入システム。
【請求項７６】
前記貫入分配本体は１つ以上の扇形の面を含み、及び前記少なくとも１つの分配リザーバは前記１つ以上の扇形の面に沿って延在する、請求項７４に記載の植物注入システム。
【請求項７７】
前記貫入分配本体は１つ以上の空洞を含み、及び前記少なくとも１つの分配リザーバは、前記１つ以上の空洞内にある、請求項７４に記載の植物注入システム。
【請求項７８】
前記少なくとも１つの分配リザーバは前記貫入要素の先端から離間している、請求項７４に記載の植物注入システム。
【請求項７９】
前記少なくとも１つの分配リザーバは、前記本体プロファイルの外面から奥まった所に据えられる、請求項７４に記載の植物注入システム。
【請求項８０】
植物へ液状製剤を分配する方法であって：
長手方向体軸に沿って延在する貫入分配本体を有する注入器具によって植物に貫入することであって、貫入は：
前記貫入分配本体の貫入要素で前記植物を突き刺すことであって、前記貫入要素は前記長手方向体軸に沿って動かされること
を含む、貫入することと；
前記貫入された植物に前記液状製剤を分配することであって、前記液状製剤の分配は：
前記注入器具の入口ポートから前記貫入分配本体の１つ以上の分配ポートに前記液状製剤を送ること；
前記１つ以上の分配ポートから前記長手方向体軸に対して横断方向に前記液状製剤を送達すること
を含む、分配することと
を含む、方法。
【請求項８１】
前記注入器具による前記植物の貫入は、前記貫入要素の貫入プロファイルによって前記植物から前記１つ以上の分配ポートを隔離することを含む、請求項８０に記載の方法。
【請求項８２】
前記１つ以上の分配ポートは前記貫入分配本体の本体プロファイル内にあり；及び
前記注入器具による前記植物の貫入は、前記本体プロファイルによる、前記植物からの前記１つ以上の分配ポートの隔離を含む、請求項８０に記載の方法。
【請求項８３】
前記１つ以上の分配ポートは前記貫入分配本体の本体プロファイル内にあり；及び
前記注入器具による前記植物の貫入は、前記１つ以上の分配ポートの前記植物との前記係合を妨害することを含む、請求項８０に記載の方法。
【請求項８４】
前記貫入要素は切断要素を含み；及び
前記貫入要素で前記植物を突き刺すことは、前記切断要素で前記植物を切断することを含む、請求項８０に記載の方法。
【請求項８５】
前記貫入要素は楔プロファイルを含み；及び
前記貫入要素で前記植物を突き刺すことは、前記楔プロファイルで前記植物を切断することを含む、請求項８０に記載の方法。
【請求項８６】
前記貫入分配本体は本体プロファイルを含み、及び前記１つ以上の分配ポートは、前記本体プロファイルから奥まった所に据えられ；及び
前記１つ以上の分配ポートから横断方向に前記液状製剤を送達することは、前記本体プロファイルへの前記液状製剤の送達を含む、請求項８０に記載の方法。
【請求項８７】
前記貫入分配本体は、少なくとも１つの分配リザーバを含み；及び
前記１つ以上の分配ポートから横断方向に前記液状製剤を送達することは、前記少なくとも１つの分配リザーバに前記液状製剤を送達することを含む、請求項８６に記載の方法。
【請求項８８】
前記植物の植物組織に沿って前記液状製剤を保持することを含む、請求項８０に記載の方法。
【請求項８９】
前記１つ以上の分配ポートは、前記貫入要素から離れた所にあり；及び
前記１つ以上の分配ポートから前記液状製剤を送達することは、前記貫入要素に対して離れた所に前記液状製剤を送達することを含む、請求項８０に記載の方法。
【請求項９０】
前記液状製剤を離れた所に送達することは、前記貫入分配本体に沿って前記貫入要素に対して近位の箇所に前記液状製剤を送達することを含む、請求項８９に記載の方法。
【請求項９１】
アンカー要素によって前記植物内に前記貫入分配本体を保持することを含む、請求項８０に記載の方法。
【請求項９２】
前記１つ以上の分配ポートから前記液状製剤を送達することは、前記液状製剤の継続的な送達を含む、請求項８０に記載の方法。
【請求項９３】
前記液状製剤の継続的な送達は、１時間以上かけた前記液状製剤の継続的な送達を含む、請求項９２に記載の方法。
【請求項９４】
前記液状製剤の継続的な送達は、複数の分配を含む、請求項９２に記載の方法。
【請求項９５】
前記液状製剤の送達は、前記液状製剤の受動的な送達を含む、請求項８０に記載の方法。
【請求項９６】
前記液状製剤の受動的な送達は、前記液状製剤の静水圧に基づいて前記液状製剤を送達することを含む、請求項９５に記載の方法。
【請求項９７】
植物に貫入し、且つ前記植物に液状製剤を分配するように構成された注入器具であって：
入口ポートを有するベース；
長手方向体軸に沿って前記ベースから延在する貫入分配本体であって、前記貫入分配本体は本体プロファイルを有し、前記貫入分配本体は：
前記貫入分配本体の遠位部分の近位にある貫入要素；
前記貫入分配本体に沿った分配要素であって、前記分配要素は、前記長手方向体軸に対して側方に向けられた１つ以上の分配ポートを含み、前記１つ以上の分配ポートは前記入口ポートと連通している、分配要素
を含む、貫入分配本体
を含む、注入器具と、
前記注入器具と連通する送達装置であって：
前記液状製剤を保管するように構成されたコンテナー；及び
前記コンテナーと連通する取り付けインターフェースであって、前記入口ポートと結合されるように構成されている取り付けインターフェース
を含む、送達装置と
を含む、植物注入システム。
【請求項９８】
前記送達装置は、前記コンテナーと前記取り付けインターフェースとの間に置かれた投薬装置を含み、前記投薬装置は、前記注入器具に規定量の前記液状製剤を送達して、前記１つ以上の分配ポートから側方に分配するように構成されている、請求項９７に記載の植物注入システム。
【請求項９９】
前記１つ以上の分配ポートは、前記本体プロファイルの外面から奥まった所に据えられる、請求項９７に記載の植物注入システム。
【請求項１００】
前記本体プロファイルは少なくとも１つの分配リザーバを含み、及び前記１つ以上の分配ポートは、前記少なくとも１つの分配リザーバに開口している、請求項９７に記載の植物注入システム。
【請求項１０１】
前記少なくとも１つの分配リザーバは前記貫入要素の先端から離間している、請求項１００に記載の植物注入システム。
【請求項１０２】
前記少なくとも１つの分配リザーバは、前記本体プロファイルの外面から奥まった所に据えられる、請求項１００に記載の植物注入システム。
【発明の詳細な説明】
【技術分野】
【０００１】
植物の貫入、及び貫入部での植物への製剤の投与。
【背景技術】
【０００２】
様々な例では、液状有効成分配合製剤（Ｌｉｑｕｉｄ  ａｃｔｉｖｅ  ｉｎｇｒｅｄｉｅｎｔ  ｆｏｒｍｕｌａｔｉｏｎｓ）、例えば殺虫剤（ｉｎｓｅｃｔｉｃｉｄｅｓ）、殺菌・殺カビ剤（ｆｕｎｇｉｃｉｄｅｓ）、栄養素又は成長促進物質が植物に、例えば木の幹の形成層に注入される。液状製剤は、木の健康状態を維持又は改善するために投与される。他の例では、この手法は、ブドウの木などの他の（部分的に木質の（ｐａｒｔｉａｌｌｙ  ｌｉｇｎｅｏｕｓ））植物に実施される。
【０００３】
文献国際公開第２０１２／１１４１９７Ａ１号パンフレット及び国際公開第２０１５／１１０５３５Ａ１号パンフレットには、例えば、有効成分配合製剤を木に注入するための方法及び対応するシステムが説明されている。これらのシステムでは、木の形成層の範囲まで辺材にドリルで穴が開けられ、及びこの穴の外端がペグで閉鎖される。注射針がペグを通って穴の内側部分まで挿入される。有効成分配合製剤の用量すなわち投薬量が、投薬装置によって注射針を通して投与される。有効成分配合製剤は、徐々に形成層によって吸収される。一形態では、軸方向チャンネル及び側方出口開口部を有するペグが、穴に提供される。有効成分配合製剤は、軸方向チャンネルを通って送達されて、側方出口開口部を通って形成層に入る。別の形態では、統合逆止弁を有するペグと一緒に、無針投薬装置が使用される。形態のそれぞれにおいて、ペグは除去可能であるか、又は例えばさらなる処置のために、木の幹内の適所に留まる。
【発明の概要】
【課題を解決するための手段】
【０００４】
本発明人らは、解決すべき問題は、対象植物への被害を最小限にするために、注入器具用のシステムプロファイル（サイズ又は形状）を最小限にし、同時に、植物へ貫入し且つ流体製剤（例えば、液体、気体、ゲル、蒸気、エアロゾルなどのうちの１種以上を含む製剤）を投与するための労力を最小限にすることを含むと判断した。以前の例示的なシステムは、処置される植物部位、特に木の幹が、最初にドリルで穴を開けられ、及び開けられた穴にペグが挿入されるという点で、労力がかかる。液状製剤は、例えばシリンダーと、流体を木に入れるプランジャーとを有するシリンジ型の装置によって、ペグを通して送達される。規定量の有効成分配合製剤による穴の正確な充填は困難である。植物組織は、優先的に、ペグ用の穴又はシリンジオリフィスへ、例えば液状製剤の挿入及び送達軸に沿って入り、且つ穴やオリフィスを塞ぐ。いくつかの例では、液状製剤の投与は、成長した植物組織に貫入して植物に入り込むために、被駆動プランジャーによって相当な圧力を必要とする。いくつかの例では、加圧液状製剤は、植物組織を傷つけ、それにより、そうでなければ液状製剤が送達される処置を妨げる。他の例では、植物は、以前の穴をくりぬくか又は新しい穴を形成するために、再びドリルで穴が開けられ、植物に追加的な外傷を生じる。
【０００５】
さらに他の例では、ドリルビット、ペグなどを含む以前のシステムは、ロバストすなわち頑丈であるため、ペグの重量を支持し且つドリルでの穴開け及びペグの受け入れに耐える、対応して頑丈な木に使用される。これらのシステムは、限定されるものではないが、若木、より若い木、つる植物などを含むより小さいプロファイルの植物に使用することが困難である。なぜなら、ドリルでの穴開け及びペグの重量の支持は、植物の構造的完全性を低下させ、且つ曲がり、撓みなどを引き起こし得るためである。
【０００６】
本発明人らは、少なくともこれらの問題に対処する、注入器具、注入器具を有する注入システム、及び方法を開発した。本明細書で説明する例示的な注入器具は、植物に貫入し、且つ植物組織へ製剤を分配するように液状製剤を投与するように構成され、同時に植物への被害を最小限する貫入分配本体を含む。注入器具は、例えば、貫入分配本体の長手方向体軸に沿って植物に貫入する貫入要素を含む。貫入分配本体は、本体に沿って分配要素、例えば１つ以上の分配ポートを含む。１つ以上の分配ポートは、貫入分配本体に沿って、一例では、長手方向体軸に対して側方に開口している。植物が、例えば挿入中、長手方向体軸に沿って、本体の近位部分の方へ向かって逆方向に貫入要素の周りで動き回ると、１つ以上の分配ポートは、遠位部分から奥まった所に据えられ、且つ液状製剤の送達のために開口したままになる。さらに、前述の通り、植物組織は、長手方向体軸に沿って設けられたシリンジポート、ペグ穴などに入り得る。１つ以上の分配ポートは、貫入分配本体の長手方向体軸に対して異なるベクトルに沿って液状製剤を投与するため、ポートは開口したままになって、最小限の圧力（被駆動プランジャー及びシリンダーによって加えられた圧力に対して）によって液状製剤を投与する。例えば、１つ以上の分配ポートは、開口し、側方に延在し、長手方向体軸に対して位置合わせされていない向き（例えば、横断方向、オフセット角度、直角、５度超、１０度超又はそれを上回る角度）に沿って液状製剤などを分配し、それにより、植物組織によって塞がれるのを最小限にする。
【０００７】
他の例では、１つ以上の分配ポートは、貫入分配本体の本体プロファイルの外面から奥まった所に据えられるため、植物組織がないままである。例えば、１つ以上の分配ポートは、貫入分配本体などの本体プロファイル内の分配リザーバ内にある、アンカー要素のトラフ（例えば、ねじ切り部、縦溝、鋸歯、クリート、扇形の面（ｓｃａｌｌｏｐｅｄ  ｓｕｒｆａｃｅ）など）に沿って設けられる。１つ以上の分配ポートは、本体プロファイル内にあり、及び植物組織の貫入によって、ポートは、塞ぐのを促すようには植物組織と係合されない。その代わりに、１つ以上の分配ポートは、貫入要素、及び少なくともいくつかの例では、植物組織自体から奥まった所に据えられる。従って、注入器具に送達された液状製剤は、植物に簡単に受け入れられ、且つ最小限の圧力又は努力で送達される。さらに、本明細書で説明するようなリザーバを含む例では、注入器具の近位の壁、面などは、周囲植物組織と組み合わせて、植物内に空洞を提供し、及び液状製剤は、これらの空洞の中に存在して、植物によって徐々に取り込まれる。
【０００８】
本明細書で説明する注入器具、注入器具を有する注入システム、及び方法は、限定されるものではないが、どんな種類の幹又は茎のサイズの多年生植物も含む多種多様な植物への、有効成分を含む液状製剤の連続的な適用を容易にする。有害生物及び病気に対する有効成分としての化学薬品の使用は、議論を醸しているトピックである。今日では、農業用殺虫剤すなわち農薬（ｐｅｓｔｉｃｉｄｅｓ）は、葉面散布（噴霧すなわちスプレー）及び／又は繁殖体の処置（例えば、種子のケア）のいずれかによって、適用されることが多い。それにより、用いられる大量の化学物質が、標的植物や有害生物に到達せず、環境へと放出され、そこで、有益な生物（例えば蜂）などに影響を及ぼし得るか、又は環境汚染を引き起こす（例えば地下水）。それゆえ、本開示の１つの問題は、有効成分の非標的放出を最小限にすることである。特に、木及びバナナのような他の栽培樹木（ｐｌａｎｔａｔｉｏｎ  ｐｌａｎｔ）の処置に関して言えば、特に従来の農業用殺虫剤の葉面散布は、相当な環境問題である。いくつかの実施形態では、本開示は、上述の問題の解決法を提供し、望ましくない環境又は毒性効果を低下させるか又は回避するために、有効成分の投薬率（ｄｏｓａｇｅ  ｒａｔｅｓ）を減少させる一方で、依然として有効な有害生物防除を可能にする、環境的に受容可能な組成物及び方法について説明している。本明細書で説明する注入器具は、プランジャー、ポンプなどからの圧力がなくても、植物の内部に液状製剤を分配し、且つ製剤が植物の中に存在することができるようにするため、製剤は、製剤の漏れのリスクが最小限（例えば、最小限又は無い）で、植物内に留まる。
【０００９】
別の問題は、果実及び他の食用植物の有害生物防除は、法的に規制されていることである。従来の化学的な農業用殺虫剤は、果実又は植物生産物での化学残留物の蓄積を回避するために、生育期間の時期の間だけ使用され得る。それゆえ、化学的な農業用殺虫剤を、食用として認可されている生物学的防除剤で置き換えることが望まれる。しかしながら、これらの防除剤は、通常、費用のかかる品物を有し、木及びバナナ、コーヒー、又はカカオのような他の植物の農園において、噴霧塗布による葉での使用を法外に高価なものにする。それゆえ、特に木、低木及び他の栽培樹木の処置において、生物学的有効成分の量を実質的に減少させることが望まれる。
【００１０】
それゆえ、本開示によって対処されるさらなる問題は、本開示による植物注入システムを植物又は多数の植物に取り付け、且つ有効成分の液状製剤を投与して植物の表現型を調節する（ｍｏｄｕｌａｔｉｎｇ）ことによって、植物又は多数の植物の表現型を調節するためのプロセスに関する。本開示によって対処されるさらなる問題は、植物の表現型を調節する、例えば処置し、予防し、保護し、且つ免疫を与えるための、つまり、病原体の攻撃及び有害生物の攻撃からの局部及び全体（ｓｙｓｔｅｍｉｃ）抵抗を植物に誘発するための方法に関する。本明細書で説明する注入器具は、噴霧せずに、及び誤って適用された被噴霧製剤の相応の損失なく、植物の内部に直接液状製剤を分配する。本明細書で説明する主題は、植物組織と直接接触させて製剤を配置し、及び製剤は、適切な時点で選択的に投与されて、命じられているように、果実や作物への化学残留物の蓄積を最小限にする（例えば、なくす又は最小限にする）。
【００１１】
本開示は、図面に示す説明に役立つ実施形態に基づいて、下記でより詳細に説明される。
【図面の簡単な説明】
【００１２】
【図１】軸方向断面で示され且つ木の幹に挿入されている注入器具の第１の実施形態、並びに送達装置の第１、第２及び第３の実施形態により、注入システムの実施形態の概略図を示す。
【図２】図１の注入システムの注入器具の側面図を示す。
【図３】図２の線ＩＩＩ−ＩＩＩに沿って取った、図１の注入システムの注入器具の軸方向断面を示す。
【図４】図１の注入システムの送達装置の第１の実施形態の全体図を示す。
【図５】図４の送達装置の概略的な流体圧の図を示す。
【図６】図１の注入システムの送達装置の第２の実施形態の側面図を示す。
【図７】図６の送達装置の概略的な流体圧の図を示す。
【図８】図６によるいくつかの送達装置のアセンブリの概略的な流体圧の図を示す。
【図９】本開示による注入器具の第２の実施形態の図を示す。
【図１０】図９の注入器具の長手方向断面図を示す。
【図１１】本開示による注入器具の第３の実施形態の前面図を示す。
【図１２】図１１の注入器具の長手方向断面図を示す。
【図１３】図１１の注入器具の側面図の左側半分を示す。
【図１４】本開示による注入器具の第４の実施形態の前面図を示す。
【図１５】図１４の注入器具の長手方向断面図を示す。
【図１６】図１４の注入器具の側面図を示す。
【図１７】本開示による注入器具の第５の実施形態の斜視図を示す。
【図１８】図１７の注入器具の前面図を示す。
【図１９】図１７の注入器具の側面図を示す。
【図２０】本開示による注入器具の第６の実施形態の斜視図を示す。
【図２１】図２０の注入器具の前面図を示す。
【図２２】図２０の注入器具の側面図を示す。
【図２３】本開示による注入器具の第７の実施形態の斜視図を示す。
【図２４】図２３の注入器具の前面図を示す。
【図２５】図２３の注入器具の側面図を示す。
【図２６】本開示による注入器具の第８の実施形態の側面図を示す。
【図２７】図２６の線Ａ−Ａに沿って取った断面図を示す。
【図２８】本開示による注入器具の第９の実施形態の斜視図を示す。
【図２９】図２８の注入器具の側面図を示す。
【図３０】図２９の線Ａ−Ａに沿って取った断面図を示す。
【図３１】本開示による注入器具の第１０の実施形態の斜視図を示す。
【図３２】図３１の注入器具の側面図を示す。
【図３３】図３２の線Ａ−Ａに沿って取った断面図を示す。
【発明を実施するための形態】
【００１３】
以下の説明では、便宜上いくつかの用語を使用するが、本開示を限定するものではない。用語「右」、「左」、「上（ｕｐ）」、「下（ｄｏｗｎ）」、「〜の下（ｕｎｄｅｒ）」及び「上（側）（ａｂｏｖｅ）」は、図面における方向を指す。用語法は、はっきりと述べた用語、並びにそれらの派生語及び同様の意味を備える用語を含む。また、空間的な相対用語、例えば「垂直（方向）」、「下（側）（ｂｅｌｏｗ）」、「下方（ｌｏｗｅｒ）」、「上（側）（ａｂｏｖｅ）」、「上方（ｕｐｐｅｒ）」、「近位」、「遠位」などは、図面において説明するような、１つの要素又は特徴の、別の要素又は特徴との関係を説明するために使用され得る。これらの空間的な相対用語は、図面に示す位置及び向きに加えて、使用中又は動作中の装置の異なる位置及び向きを含むものとする。例えば、図面中の装置がひっくり返される場合、他の要素又は特徴の「下側」又は「真下（ｂｅｎｅａｔｈ）」にあると説明される要素は、他方の要素又は特徴の「上側」又は「上（ｏｖｅｒ）」になる。それゆえ、例示的な用語「下側」は、上側及び下側の双方の位置及び向きを含み得る。装置は、他の向きにされてもよく（９０度回転されるか又は他の向きにされる）、及びそれに従って、本明細書で使用される空間的な相対記述語は解釈される。同様に、様々な軸に沿った、その周りでの動きの説明は、様々な特別な装置の位置及び向きを含む。
【００１４】
様々な態様及び説明に役立つ実施形態の図面及び説明における繰り返しを避けるために、いくつかの特徴は、複数の態様及び実施形態に共通であることが理解されるべきである。説明又は図面からある態様を省略することは、その態様が、その態様を組み込む実施形態からなくなっていることを暗示しない。それどころか、その態様は、明瞭にし且つ冗長な説明を回避するために省略された可能性がある。これに関連して、以下のことが、本説明の残りの部分に当てはまる：図面を明瞭にするために、図面が、説明の直接関連する部分に説明されていない参照符号を含む場合、その参照符号は、以前の又は以下の説明セクションにおいて言及されている。さらに、明快さのために、図面において、部分の全ての特徴に参照符号が付されているわけではない場合、同じ部分を示す他の図面に付されている。２つ以上の図面における同様の符号は、同じ又は同様の要素を示す。
【００１５】
本明細書で説明する問題は、本明細書で説明する注入システム、注入器具及び方法によって対処される。さらに、本開示による注入システム、注入器具又は方法の実施形態は、従属請求項の主題である。
【００１６】
一態様では、本開示は、有効成分配合製剤（例えば、液体、気体、ゲル、蒸気、エアロゾル、コロイド、微小粒子／ナノ粒子、生物有機体（ｂｉｏｌｏｇｉｃａｌ  ｏｒｇａｎｉｓｍｓ）などの１種以上を含む流体）を植物に導入するように構成された植物注入システム用の注入器具である。注入器具は、植物内に挿入されるように構成されている。注入器具は、植物に穴を生成して、注入器具を植物に挿入するように構成された貫入構造を有する。
【００１７】
さらなる態様では、本開示は、本開示による植物注入システムを１つの植物又は多数の植物に取り付け、且つ有効成分の液状製剤を適用して植物の表現型を調節することによって、その植物又は多数の植物の表現型を調節するためのプロセスである。
【００１８】
本明細書では、用語「貫入構造」又は「貫入要素」は、穴を生成するのに好適又は適切である一方で、挿入器具を植物内で前進させる、いずれかの配置構成に関する。いくつかの実施形態は、植物に注入器具の挿入用の貫入穴を自動的に形成する、切断要素などの自己貫入（ｓｅｌｆ  ｐｅｎｅｔｒａｔｉｎｇ）特徴を含む。貫入構造又は貫入要素は、本明細書で説明する例並びにそれらの等価物を含む。
【００１９】
これに関連して、用語「穴」は、植物内に設けられた空洞、チャンネル又は同様の構造に関し、これは、挿入器具又は一部分、特にその前方すなわち遠位部分を受け入れるのに好適である。
【００２０】
「植物」によって、魅力のある及び魅力のない野生植物、栽培品種及び植物種（植物種又は植物育種家の権利によって保護されているか否かにかかわらず）などの全ての植物及び植物群（ｐｌａｎｔ  ｐｏｐｕｌａｔｉｏｎｓ）を意味する。栽培品種及び植物種は、従来の繁殖及び育種方法によって得られる植物とし得、これは、倍加半数体、原形質融合、ランダム及び定方向突然変異誘発、分子若しくは遺伝子マーカの使用による１つ以上のバイオ技術方法によって、又は生体工学方法及び遺伝子工学方法によって、支援又は補完され得る。
【００２１】
「植物」は、限定されるものではないが、シュートすなわち苗条（ｓｈｏｏｔ）の栄養器官／構造（例えば葉、茎及び塊茎）、根、花及び花器／構造（例えば包葉、萼片、花弁、雄しべ、心皮、葯及び胚珠）、種子（胚、内胚乳、及び種皮を含む）及び果実（成熟した子房）、植物組織（例えば維管束組織、基本組織など）、並びに細胞（例えば孔辺細胞、卵細胞など）を含む、全植物及びその一部、並びにその子孫を含む。「果実」及び「植物生産」は、収穫後にさらに利用されるいずれかの植物生産物、例えば本来の意味での果実、ナッツ、木材など、すなわち、植物によって生産される、実利的な価値のあるものなら何でもであると理解されたい。
【００２２】
本明細書では、「植物病原菌」は、全体又は一部において、植物に感染及び／又は侵入することができ、且つ植物に感染又は病気又はその症状を引き起こす、作用物質を指す。
【００２３】
本明細書では、「活性」は、水性溶媒中で抽出され、且つ植物部位及び／又は土壌に適用されると、植物病原菌の増殖を軽減する、改善する、処置する、防止する及び抑制する効果を発揮し得る、発酵物の１つ又は複数の構成成分を意味する。
【００２４】
本明細書では、用語「殺菌性」は、細菌の死亡率を増加させるか又は健康状態を悪化させる（例えば、増殖率、生存能力、増殖、代謝、寿命などを低下させる）ための物質の能力を指す。
【００２５】
生物的防除（Ｂｉｏｌｏｇｉｃａｌ  ｃｏｎｔｒｏｌ）：本明細書では、「生物的防除」は、病原菌又は虫又は任意の他の望ましくない有機体すなわち生物（ｏｒｇａｎｉｓｍ）の、第２の有機体を使用することによる、防除と定義される。生物的防除の公知の機構の例は、根の表面上の空間に関して菌・カビ類を打ち負かすことによる、根腐れを制御する腸内細菌の使用である。病原菌を防除するため、細菌毒素、例えば抗生物質が使用されている。毒素は、分離されて、植物に直接適用され得るか、又は原位置で（ｉｎ  ｓｉｔｕ）毒素を生じるように、複数の細菌種が投与され得る。
【００２６】
「殺菌・殺カビ剤」並びに用語「殺菌・殺カビ（ｆｕｎｇｉｃｉｄａｌ）」及び「殺菌・殺カビ式に作用する」は、植物病原性菌・カビ類（ｐｈｙｔｏｐａｔｈｏｇｅｎｉｃ  ｆｕｎｇｉ）の死亡率を増加させるか又は健康状態を悪化させる（例えば、増殖率、生存能力、増殖、代謝、寿命などを低下させる）ための物質の能力を指す。本明細書では、用語「植物病原性菌・カビ類」は、植物被害及び／又は植物部位の被害及び／又は収穫した果実や野菜の損失を引き起こし得る卵菌綱（Ｏｏｍｙｃｅｔｅｓ）を含む菌・カビ類界の全ての生物を含む。
【００２７】
本明細書では、用語「菌・カビ（ｆｕｎｇｕｓ）」又は「菌・カビ類（ｆｕｎｇｉ）」は、葉緑素がない広範囲の有核胞子保有生物（ｎｕｃｌｅａｔｅｄ  ｓｐｏｒｅ  ｂｅａｒｉｎｇ  ｏｒｇａｎｉｓｍｓ）を含む。菌・カビ類の例は、イースト菌、カビ（ｍｏｌｄ）、（ｍｉｌｄｅｗｓ）、サビ菌（ｒｕｓｔｓ）、及びキノコを含む。「菌・カビ病原体」は、以下の門の菌・カビ類を含む：変形菌門（Ｍｙｘｏｍｙｃｏｔａ）、ネコブカビ門（Ｐｌａｓｍｏｄｉｏｐｈｏｒｏｍｙｃｏｔａ）、サカゲツボカビ門（Ｈｙｐｈｏｃｈｙｔｒｉｏｍｙｃｏｔａ）、ラビリンツラ菌門（Ｌａｂｙｒｉｎｔｈｕｌｏｍｙｃｏｔａ）、卵菌門（Ｏｏｍｙｃｏｔａ）、ツボカビ門（Ｃｈｙｔｒｉｄｉｏｍｙｃｏｔａ）、接合菌門（Ｚｙｇｏｍｙｃｏｔａ）、子嚢菌門（Ａｓｃｏｍｙｃｏｔａ）及び担子菌門（Ｂａｓｉｄｉｏｍｙｃｏｔａ）。「菌・カビ抑制」は、対照群と比較した、菌・カビの健康状態の悪化（例えば、増殖率、生存能力、増殖、代謝、寿命などの低下）によって測定されるような、殺菌・殺カビ、及び菌・カビ類の静的活性の双方を含む。「感受性菌・カビ」は、本明細書で提供されたシステムの構成要素に対する個別の、又は両構成要素の組み合わせによる、有益な若しくは望ましい応答を示す菌・カビの株である。
【００２８】
「殺虫剤」並びに用語「殺虫性の（ｉｎｓｅｃｔｉｃｉｄａｌ）」は、昆虫の死亡率を増加させるか又は健康状態を悪化させる（例えば、増殖率、生存能力、増殖、代謝、寿命などの低下）物質の能力を指す。本明細書では、用語「虫」は、「昆虫綱（Ｉｎｓｅｃｔａ）」の全ての生物を含む。
【００２９】
「殺線虫剤」及び「殺線虫の」は、線虫の死亡率を増加させるか又は健康状態を悪化させる（例えば、増殖率、生存能力、増殖、代謝、寿命などの低下）物質の能力を指す。概して、用語「線虫」は、前記生物の卵、幼生（ｌａｒｖａｅ）、幼体（ｊｕｖｅｎｉｌｅ）及び成熟の各形態を含む。
【００３０】
「殺ダニ剤」及び「殺ダニ性の」は、クモ綱（Ａｒａｃｈｎｉｄａ）、ダニ亜綱（Ａｃａｒｉ）に属する外部寄生生物の死亡率を増加させるか又は健康状態を悪化させる（例えば、増殖率、生存能力、増殖、代謝、寿命などの低下）物質の能力を指す。
【００３１】
殺菌性（Ｍｉｃｒｏｂｉｃｉｄａｌ）：本明細書では、「殺菌性」は、微生物の死亡率を増加させるか又は健康状態を悪化させる（例えば、増殖率、生存能力、増殖、代謝、寿命などの低下）物質の能力を指す。
【００３２】
用語「植物の健康状態」又は「植物健康状態」は、例えば収穫量、植物成長力、収穫した植物部位の品質、非生物的及び／又は生物的ストレスへの耐性、生存能力、増殖、代謝、寿命など）のいくつかの側面によって、単独で又は互いに組み合わせて決定される、植物及び／又はその生産物の状態であると定義される。
【００３３】
この状況では、「感染を防ぐ」は、本開示の方法、器具、及びシステムによって処置されていない植物と比較すると、本明細書で開示するシステムによって処置される植物が、感染（例えば、病原菌感染など）若しくは病気の症状若しくは上述の全てを避けるか、又は感染若しくは病気の症状若しくは上述の全てを減少させるか若しくは最小限にするか若しくはその頻度を低下させるか、又は植物中の刺激に対する防御／免疫応答を引き起こすか若しくは増加させて、感染性の若しくは病気を引き起こす病原菌との植物の相互作用の当然の結果である感染若しくは病気の症状若しくは述の全てを回避するか若しくは減少させるか若しくは最小限にすることを意味する。すなわち、感染性の又は病気を引き起こす病原菌は、病気及び／又は関連の病気の症状を引き起こさないようにするか又はそれを減少させる。感染及び／又は症状は、本明細書で教示されるシステムによってそのように処置されていない植物と比較して、少なくとも約１０％、２０％、３０％、４０％、５０、６０％、７０％又は８０％以上低下される。
【００３４】
農業用殺虫剤の（Ｐｅｓｔｉｃｉｄａｌ）：本明細書では、用語「農業用殺虫剤の」は、健康状態を悪化させるか（例えば、有害生物（ｐｅｓｔ）、すなわち、望ましくない生物の増殖率、生存能力、増殖、代謝、寿命などを低下させる）又は有害生物の死亡率を増加させる物質の能力を指す。概して、「農業用殺虫剤の」は、植物病原性菌・カビ類の死亡率を増加させるか又は健康状態を悪化させる（例えば、増殖率、生存能力、増殖、代謝、寿命などの低下）物質の能力を意味する。定義はまた、植物病原性菌・カビ類及び／又は植物有害生物の死亡率を増加させるか又は健康状態を悪化させる（例えば、増殖率、生存能力、増殖、代謝、寿命などの低下）物質の能力を含む。本明細書では、用語は、植物病原性菌・カビ類、虫、ダニ（ｍｉｔｅｓ）及び／又は線虫に対して活性を示す物質の特性を説明するために使用される。植物は、細菌、ウイルス、菌・カビ類、及び線虫を含む、多くの微生物（ｍｉｃｒｏｂｅｓ）にさらされている。そのような植物病原菌、特に細菌性病原菌に起因する、観賞植物、森林、及び他の植物の病気は、経済的な影響が巨大な世界的な問題である。病気の破壊プロセスの重大さは、植物病原体の攻撃性及びホストの応答に依存する。
【００３５】
本開示の器具、システム及び方法は、植物の維管束系に、例えば植物の茎に有効成分を全体的（ｓｙｓｔｅｍｉｃ）又は指向的に適用できるようにする。本開示は、限定されるものではないが下記にリストするものを含む多種多様な植物、並びに農業、特に園芸で出会ういずれかの及び他の全ての病原菌性の病気及び／又は複合体に適用され得る。
【００３６】
本開示の根底にある別の問題は、植物、一般に、以下「植物健康状態」と称すプロセスを改善するための組成物への願望である。より健康な植物が望ましい。なぜなら、それら植物は、特に、植物若しくは作物のより良好な収穫量及び／又はより良好な品質、特に収穫した植物部位のより良好な品質を生じるためである。より健康な植物はまた、生物的及び／又は非生物的ストレスに対する抵抗性すなわち耐性もより良好である。さらに、生物的ストレスに対する高い抵抗性は、当業者が適用する農業用殺虫剤の量を減少させ、それゆえ、それぞれの農業用殺虫剤に対する耐性発現を遅れさせることができる。
【００３７】
収穫量の増加は、特に、植物の以下の改良された特性によって、特徴づけられ得る：植物重量の増加；及び／又は草高の増加；及び／又はより高い全新鮮重（ＦＷ：ｆｒｅｓｈ  ｗｅｉｇｈｔ）などのバイオマスの増加；及び／又は植物当たりの花数の増加；及び／又はより高い穀物及び／又は果実収穫量；及び／又はより多い若芽（ｔｉｌｌｅｒｓ）又はサイドシュートすなわち副梢（ｓｉｄｅ  ｓｈｏｏｔｓ）（側枝）；及び／又はより大きな葉；及び／又は苗条成長の増加；及び／又はタンパク質含有量の増加；及び／又は油分の増加；及び／又はでんぷん含有量の増加；及び／又は色素含有量の増加；及び／又は葉緑素含有量の増加（葉緑素含有量は植物の光合成速度と正相関しているため、葉緑素含有量が高いほど植物の収穫量が高くなる）、植物の品質の向上。本開示によれば、収穫量は少なくとも４％増加される。概して、収穫量の増加は、例えば５〜１０％、例えば１０〜２０％、又はさらには２０〜３０％とさらに高くなり得る
【００３８】
植物の状態の別の指標は、植物成長力である。植物成長力は、全体的な外観などのいくつかの側面において、明らかになる。植物の状態の別の指標は、植物及び／又はその生産物の「品質」及び／又は生物的及び／又は非生物的ストレス要因に対する植物の耐性又は抵抗性である。生物的及び／又は非生物的ストレスは、特に長期間にわたると、植物に対して悪影響を有し得る。
【００３９】
一実施形態によれば、本開示の注入器具は、１つ以上の植物に有効成分を中心供給できるようにする注入システムの一部である。そのようなシステムの異なる全ての構成要素は、農家又は適用の専門家に供給されるキットの形態で提供され得る。そのようなキットは、以下の構成要素を含み得る：（１）１つ以上の注入器具、及び／又は（２）注入器具に接続されるように構成され得る１つ以上の送達装置、及び／又は（３）１種以上の有効成分。前記キットは、構成要素（１）及び（２）を含んでも、又は前記キットは構成要素（１）及び（３）を含んでも、又は前記キットは構成要素（２）及び（３）を含んでもよい。
【００４０】
貫入構造又は貫入要素を有することによって、注入器具は、植物に、受け入れ用凹部を先に形成することなく、ねじで固定される、打ち込まれる又はたたき込まれるなど、挿入され得る。むしろ、本開示による注入器具は、植物内で前進させられている間に、多かれ少なかれ、必要な穴を自動的に生成する。それゆえ、単一の作業ステップで植物に挿入され得る。それゆえ、注入器具は、関連する作業量を減少させることができ、それにより、全プロセスをかなり効率的にし得る。
【００４１】
注入器具は、植物の木質領域、特に木の幹に挿入されるように構成されているか、又は植物の非木質領域、特に偽茎（ｐｓｅｕｄｏ−ｓｔｅｍ）に挿入されるように構成されている。
【００４２】
注入器具の実施形態では、貫入構造又は貫入要素は、注入器具を植物に挿入するときに植物に穴を開ける（ｃｕｔ）ように構成された切刃を含む。これに関連して、用語切断（ｃｕｔｔｉｎｇ）は、注入器具が挿入される位置で植物を彫る、切断する、又は開ける（ｏｐｅｎｉｎｇ）のを容易にする任意の構造であると広く理解されるべきである。限定するものではないが、カバーの穿刺、ドリルでの穴開けすなわちドリリング、のこ引き、スライシング、フライス削り、楔の打ち込み又は任意の同様の配置構成を含む。そのような切刃は、注入器具が配置される空洞を生成するために、植物に穴を効率的に生成できるようにする。特に、そのような切刃は、挿入器具が、収容される穴を効率的に自己生成できるようにする。
【００４３】
ある実施形態では、貫入構造の切刃は、いくつかの点についてはドリルビットと同様の、注入器具の長手方向軸に沿って曲がりくねった１つ以上の切断要素を含む。そのようなドリルビット部分は、植物に注入器具を効率的に打ち込むことができる。それにより、貫入構造の切刃のドリルビット部分は、切刃に沿って延在し且つそれによって制限される切り屑溝を含む。そのような切り屑溝は、植物に注入器具を打ち込むときに発生する植物組織の切り屑を排除できるようにして、注入器具の適切な前進が達成されるようにする。
【００４４】
任意選択的に、貫入構造の切断要素は、注入器具の長手方向軸に沿って曲がりくねったねじ切り部を含む。本明細書で説明するねじ切り部又は他のアンカー要素（集合的にアンカー要素）は、植物内への注入器具の結合及び保持を容易にする。一例では、切断要素と組み合わせて、注入器具は、植物の貫入、注入器具の位置決め、及び植物内での注入器具の保持を強固にする。
【００４５】
注入器具は、ベース又はヘッド、及びシャフト（又は一般的に、限定されるものではないが、シャフト本体プロファイル、楔本体プロファイルなどを含む貫入分配本体）を含む。任意選択的に、貫入分配本体の貫入要素は、ドリルビット部分などの切断要素と、スクリュー部分とを含み、及びねじ部分は、ドリルビット部分よりもヘッドに近い。任意選択的に、ねじ切り部又は他のアンカー要素の外径（又はより一般的に、プロファイル）は、切断要素の外径（又はプロファイル）よりも大きい。任意選択的に、シャフトは、切断要素とベースとの間に配置されるビーズ部分（例えば、１つ以上の閉鎖ビーズ）を含み、且つその上に、少なくとも１つの閉鎖ビーズが形成される。周辺ビーズの外部プロファイルは、ねじ切り部、又は貫入分配本体の残りの部分の外径よりも大きい。閉鎖ビーズは、注入器具と植物との間に、植物の内部に対するシールを形成し、及びいくつかの例では、注入器具の貫入の深さの視覚的評価を容易にする。
【００４６】
別の実施形態では、貫入要素は、楔本体プロファイル（例えば、近位部分から遠位部分へテーパが付けられている、例えばスパイク、ネイルすなわち釘、楔など）を含む。楔本体プロファイルは、例えばハンマリング又は打ち込み行為によって、植物内で注入器具を効率的に前進させることができる。この例では、注入器具は、テーパ付き形状を有する楔又はシャフトプロファイルの１つ以上を含む貫入分配本体を含む。例えば、貫入分配本体は円錐状であり、且つ外部の長手方向の窪み（ｆｕｒｒｏｗｓ）又は縦溝（ｆｌｕｔｅｓ）を含む（例えば、分配リザーバの例）。注入器具はストライクヘッドを含む（任意選択的にベースの特徴として）。任意選択的に、貫入分配本体の円錐状部分は、ネイルチップ部分（又は切断要素）よりもベースの近くにある。別の例では、貫入分配本体は、円錐状部分と、少なくとも１つの周辺ビーズを有するストライクヘッドとの間に位置する１つ以上の閉鎖ビーズを含む。ある例では、周辺ビーズのプロファイルは貫入分配本体の円錐状部分のプロファイルよりも大きい。
【００４７】
さらに別の実施形態では、注入器具は、先頭部（ｌｅａｄｉｎｇ  ｅｎｄ）、又はその前端部若しくは遠位部分に切刃を含む貫入要素を備えるランスチップ形状に楔部分（楔本体プロファイル）を有する。この慣習では、用語「前端部」は、植物の方に向けられ且つ貫入部で植物と係合する貫入分配本体の遠位部分に関連し得る。この例示的な楔本体プロファイルは、植物内で注入器具を効率的に前進させることができる代替的な楔プロファイルである。特に、楔本体プロファイルは、切断した植物組織を広げることによって、植物を開く。いくつかの例では、楔本体プロファイルは、植物内部構造が最小限の損傷で（例えば、ほとんど又は全く被害がない）、植物の内部にアクセスする。例えば、楔本体プロファイルを用いて広げることによって、植物の液体輸送構造、例えば毛細管などの損傷を最小限にする（損傷されないこと、又は最小限の損傷を含む）。
【００４８】
一例では、楔本体プロファイルは、２つ以上の側方の翼状部分を有する平らなランスチップ又は先端（ｌｅａｄｉｎｇ  ｅｄｇｅ）を含む。任意選択的に、楔本体プロファイルは、処置するための植物に基づいて選択される。例えば、楔本体プロファイルのロバストさは、意図した適用例又は植物に適合される。植物に依存して、切断要素は、ネイルチップタイプの楔（例えば、円形又は円錐状タイプの楔）、又は貫入分配本体の先端から延在する２つ以上の翼を有する楔本体プロファイルによって選択される。
【００４９】
任意選択的に、注入器具は、例えばベースの一部としてストライクヘッドを含む。ストライクヘッドは、例えば、ストライクヘッドをハンマリングすることによって、植物内で注入器具を効率的に前進させることができるようにする。
【００５０】
任意選択的に、本明細書で説明するプロファイルのうちの１つ以上を含む貫入分配本体は、１つ以上の開口部、例えば分配リザーバを含む。分配リザーバは、注入器具が挿入されると、植物内に、１つ以上の空間、空洞、凹部、ポケットなどを提供する。分配リザーバは、例えばリザーバの空洞に製剤を保持し、同時に製剤を植物組織と係合することによって、液状製剤の分配を容易にする。他の例では、分配リザーバは、チャンネル内での貫入分配本体の本体プロファイルに沿った液状製剤の送達を容易にする分配チャンネルを含む。本明細書で説明する注入器具は、１つ以上の入口通路及び関連の分配ポートを含む。任意選択的に、注入器具は、液状製剤を複数の分配ポートに提供する複数の入口通路を含む。例えば、注入器具は、それぞれ少なくとも１つの分配ポートで終端する、少なくとも１つの入口通路又は複数の通路を含む。任意選択的に、注入器具は、前述の分配リザーバのうちの１つ以上を含み（開口部と呼ばれることもある）、及び分配ポートは分配リザーバに開口している。
【００５１】
本明細書で説明する注入器具は、チャンネル（例えば入口通路）、及びチャンネルに接続された少なくとも１つの分配ポートを含む。入口通路（又はチャンネル）は、植物内の１つ以上の箇所で液状有効成分配合製剤を効率的に分配するための注入器具用の出口又は分配ポートの分配ネットワークを提供する。
【００５２】
少なくとも１つの分配ポートは主チャンネルから延在する。少なくとも１つの分配ポート（出口チャンネルとも呼ぶ）は、注入器具に関して１箇所以上へ液状有効成分配合製剤を送達するのを容易にする。
【００５３】
いくつかの例では、植物に注入器具を挿入するとき、限定されるものではないが、木、繊維などを含む植物組織などの植物の物質は、遠位方向の開口部又はそこに位置するオリフィスへと進む。これらの例では、植物組織は遠位開口部又はオリフィスを詰まらせ、それにより、植物内への有効成分配合製剤の送達を妨げるか又は阻止する。いくつかの例では、相当な圧力が製剤に加えられて（例えば、ピストン、プランジャーなどによって）、遠位開口部又はオリフィスの詰まりを取る。場合によっては、圧力は、植物組織に外傷を引き起こす。
【００５４】
本明細書で説明する分配ポート（或いは出口チャンネル）は、注入器具の貫入方向（例えば、器具の長手方向体軸に対応する）に対して横断方向に向けられる。例えば、横断方向の分配ポートは、貫入方向に対して角度をなした向きにされる。一例では、分配ポートは、貫入運動方向に対して９０度開くような向きにされる。別の例では、分配ポートは、貫入運動方向（例えば、注入器具の長手方向体軸）に対して約１００〜１８０度の角度の向きにされる。
【００５５】
分配ポートの向きに関連して、以下の３つの方向、挿入方向、貫入運動方向及び出口（すなわち分配）方向のうちの１つ以上が考えられる。ある例では、挿入方向は、注入器具が挿入される又は植物内で前進させられる（例えば、植物の外部から内部に向かって）、一般的な方向である。挿入方向は、一般的に、注入器具の軸、例えば本明細書で説明する長手方向体軸と一致する。従って、長手方向体軸は、分配ポートの向きを議論するときに、挿入方向に対応する参照箇所として使用される。
【００５６】
貫入運動方向は、注入器具が、挿入のために植物に貫入するために動かされる（例えば、回転される）方向である。ドリルビット部分又はねじ切り部のように切断要素を有する注入器具の実施形態では、貫入運動方向は、ドリルビット部分のねじ山又はねじ部分に沿ってある（及びいくつかの例では、紙面に対する貫入運動方向を示すために、図面で円及びドットで示されている）。分配ポートは、例えばねじ山間に設けられ、挿入方向に加えて、貫入運動方向に対して横断方向の向きに延在する。植物に貫入するために叩かれる又は打たれる楔本体プロファイルを有する本明細書の注入器具、例えばネイルチップ部分又は楔部分（例えば、例示的な楔プロファイル）を備える注入器具の実施形態では、貫入運動方向は挿入方向に対応する。本明細書で説明する実施形態のそれぞれでは（例えば、シャフト又は楔プロファイル）、１つ以上の分配ポートは、長手方向体軸及び対応する挿入方向に対して横断方向である（異なる角度の出口又は開口方向を含む）。さらに、例えばねじ切り部又はドリルビットタイプの切断要素を有する、シャフトプロファイルを含む例示的な実施形態では、１つ以上の分配ポート（例えば、ポートの出口方向又は開口方向）は、貫入運動方向に対して横断方向である（異なる角度にある）。従って、挿入方向及び貫入運動方向のそれぞれは、集合的に貫入方向と呼ばれ、並びに注入器具の分配ポートの出口又は開口方向は、実施形態のそれぞれの貫入方向に対して横断方向である。
【００５７】
いくつかの例では、１つ以上の分配ポートの開口方向又は出口方向は、本明細書で説明する貫入運動方向を含む貫入方向に対して後ろ向きに延在する。これに関連して、用語「後ろ向きに延在する」などは、貫入運動方向に対して逆すなわち反対の向きにおける少なくとも１つの分配ポートの延在を指す。後ろ向きに延在するは、貫入運動方向とは反対、すなわち狭い意味での後方向の延在に限定されず、むしろ、貫入運動方向に対する、直角とは異なる角度又はそれを上回る角度での延在である。例えば、いくつかの例では、分配ポートは、貫入運動方向に対して１０５度に向けられる。
【００５８】
線形分配ポートを含む実施形態では、分配ポートの開放端部（器具の外面に対面する開口部）は、注入器具（例えば貫入要素）の先頭部に対して、入口通路への分配ポートとの接続部よりも離れている。換言すると、少なくともその開放端部に最も近い分配ポートは、器具の先頭部に対して後ろ向きである。分配ポートを含む他の例では、分配ポートのうちの１つ以上は、後ろ向きの開口部を含んで（例えば、横断方向の向きの別の例）、貫入中の詰まりを防止する（例えば、１つ以上の挿入方向又は貫入運動方向、集合的に貫入方向）。例えば、そのような出口チャンネルは、出口チャンネルの向きをその出口開口部の方へ後ろ向きに変えるカーブを有し得る。
【００５９】
別の例では、貫入運動方向に対して９０度超に１つ以上の分配ポートを向けることによって、植物組織による分配ポートの塞がりが最小限にされる（例えば、排除される又は最小限にされる）。従って、詰まりが最小限にされて、液状有効成分配合製剤は、１つ以上の分配ポートを通して効果的且つ効率的に提供される。
【００６０】
さらに、本明細書で説明する注入器具は、例えば前端部（先頭部）又は貫入要素用のチップを有する遠位部分を含む。１つ以上の分配ポートは、前端部から離間されている。分配ポートは先頭部から離間されているため、液状有効成分配合製剤は、先頭部に対して離れた所に分配され、及びいくつかの例では、分配は、遠位部分、例えばチップへの流体の中心分配をすることなく、注入器具の周辺で行われる。それにより、液状製剤は、分配ポートを塞ぐリスクを最小限にして、植物に最適に分配される。
【００６１】
注入器具は、入口通路又は少なくとも１つの分配ポートに接続される入口ポート（例えばソケット開口部など）を有する。入口ポートは、植物注入システムの送達装置への接続用に構成されている。そのようなソケット開口部は、液状有効成分配合製剤源を効率的に接続できるようにする。
【００６２】
注入器具のソケット開口部は、注入器具のヘッドに又は注入器具のストライクヘッドに配置されている。これにより、注入器具が挿入されるとそのようなヘッドが一般に植物から突出するため、注入器具を効率的に接続できるようにする。
【００６３】
様々な例では、本明細書で説明する注入器具は、金属又は合金で構成されるか又はそれを含む。本明細書で説明する注入器具は、本明細書で説明する製造法のいずれかと一緒に使用され得るポリマー又はポリマーアロイで構成され得るか又はそれを含み得る。生産法では、フライス削り、キャスティングの方法、又は他の同様の方法が使用されてもよい。本明細書で説明する注入器具は、本明細書で説明する製造法のいずれかと一緒に使用され得るポリマー又はポリマーアロイで構成され得るか又はそれを含み得る。生産法では、フライス削り、キャスティングの方法、又は他の同様の方法が使用されてもよい。ある例示的な生産法では、注入器具は、３次元印刷法によって生産される、すなわち３次元印刷される。これにより、一方では十分な安定性を、他方では注入器具のコスト効率の高い生産を可能にする。また、３次元印刷は、比較的小さな寸法で比較的複雑な形状の注入器具の製造を可能にする。例えば、３次元印刷は、比較的小さな寸法で、注入器具内の分配チャンネルシステムの１つ以上の通路、ポート、リザーバなどの構成を容易にする。より具体的には、３次元印刷は、上述のような後ろ向きに延在する出口チャンネルを効率的に生成できる。
【００６４】
注入器具は、植物への注入器具の挿入の最後に植物に接触するように構成された当接面を備える。そのような当接面は、例えば注入器具ベースの構成要素として注入器具に設けられた、段、フランジ、ブラケットアーム又は同様の構造によって供され得る。当接面は、平ら又は水平とし得る。挿入器具の挿入が意図される植物の一部分に対応する形状（例えば、弓状、平らなど）も有し得る。例えば、植物の茎に従って曲げられ得る。当接面は、植物内での注入器具の前進を制限する。特に、植物が比較的柔らかい、例えば比較的小さい又は非木本植物の場合、当接面は、貫入を抑制して、植物の反対側を突き抜ける貫入を防ぎながら、特定の植物組織内での分配要素の正確な位置決めを容易にする。さらに、当接面は、注入器具と植物との間の接続を強める。例えば、ベースの当接面と植物との間の面と面との接触は、外部環境から植物の内部をさらに閉ざし、且つ例えば下記で説明するような植物注入システムによって、植物の内側に上昇した圧力を発生させることができ、植物内に液状有効成分配合製剤を提供する。さらに、ベースの当接面は、注入器具によって生成されたスロット又は開口部を通る有効成分配合製剤の逃げを制限する。
【００６５】
他の態様では、本開示は、植物に液状有効成分配合製剤を導入するための植物注入システムである。システムは、上述のような注入器具、及び送達装置を含む。送達装置は、注入器具に接続されて、有効成分配合製剤を注入器具へ送達するように構成されている。そのようなシステムは、液状有効成分配合製剤を植物に効率的に提供して、それを処置できるようにする。
【００６６】
送達装置は、流体製剤（例えば、液体、気体、ゲル、蒸気、エアロゾルなどの１種以上を含む流体）を投与するように構成された、空気圧又は流体圧で動作される薬注ポンプとして設計される。或いは、送達装置は、１つ以上の圧力をもたらすように構成された空気圧又は流体圧送達ポンプとして設計される。いくつかの例では、もたらされる圧力は、周囲圧力に最も近いがそれを上回り、製剤の漸進的な低圧送達を植物にもたらす。別の例では、送達装置は、受動的に、例えば静水圧又は毛細管作用によって、液状製剤を提供する。
【００６７】
一例では、送達装置は２チャンバーアセンブリとして設計され、ここで、２つのチャンバーはコンテナー内に配置され、そのうちの一方のチャンバーは圧媒体を入れ、及び他方のチャンバーは、圧媒体によって２チャンバーアセンブリから弁を通って吐出され得る有効成分配合製剤を入れている。
【００６８】
上述の通り、本開示による注入システムは、様々な異なる植物に適用されるのに好適である。それにより、関係する注入器具の形状及び寸法は、好都合なことに、意図した適用例に適合される。より具体的には、注入器具は、比較的大きな植物、具体的には木、低木又は他の木本植物に適用されるように設計され得る。又は、比較的小さな又はより小さい植物に適用されるように設計され得る。例えば、木本植物に好適な注入器具の全長は、５０ミリメートル（ｍｍ）を上回り得るか、又は６０ｍｍ〜２００ｍｍの範囲とし得る。それぞれの貫入分配本体（例えば、シャフト又は楔本体プロファイル）は、３５ｍｍ以上、及びいくつかの例ではおよそ３５ｍｍ〜１６０ｍｍの範囲の長さ、及び／又は３０ｍｍ以上、又はおよそ３５ｍｍ〜１５０ｍｍの範囲の幅を含む。対照的に、比較的小さな植物を意図した注入器具は、任意選択的に、およそ３ｍｍ〜２０ｍｍ、およそ６ｍｍ〜１６ｍｍ、又は１０ｍｍ未満の全長を有する。
【００６９】
さらに他の態様では、本開示は、植物又は多数の植物の表現型を調節するプロセスであり、前記プロセスは、（ｉ）本明細書で提供される本開示による植物注入システムを植物又は多数の植物に取り付けるステップ、及び（ｉｉ）有効成分の液状製剤を適用して植物の表現型を調節するステップを含む。
【００７０】
有効成分は、（ｉ）農業用殺虫剤、（ｉｉ）成長調整物質からなる群から選択される。有効成分は、食糧及び飼料用途に認可された生物学的化合物又は組成物である。一例では、プロセスは、ａ）〜ｅ）のうちの１つ以上によって実施される：
ａ）  有効成分は、生育期間（成長シーズン）にわたって自動制御スキーム／方法で植物に適用される／送られる、
ｂ）  有効成分は、空気圧（Ｔａｋｔ−Ｓｃｈｕｂ）輸送システムによって保管場所から植物へ移され、これは、システムの流体ライン並びに注入器具の通路及び分配ポート中の有効成分／有効成分配合製剤の量を最小限にする、
ｃ）  多数の植物に中心保管場所から有効成分が供給される一方で、任意選択的に、各植物への送りは個別に制御される、
ｄ）  有効成分は、異なる表現型調節などの異なる効果を達成するために複数の保管場所の群から自動的に選択され得る、
ｅ）  １種以上の有効成分の適用と適用との間に水が提供され得る；
植物は、木、又はバナナ植物などの偽茎のある植物である；木は、例えば、果樹、カカオの木、コーヒーの木、又は観賞樹を含み得る（用語「木、樹（ｔｒｅｅｓ）」については下記でさらに説明する）；
植物又は多数の植物の表現型の調節は、植物の病気の防除及び／又は予防、有害生物の攻撃の防除及び／又は予防、植物健康状態の改善及び／又は制御、植物の成長及び／又は植物生産物、例えば果実の量及び／又は質の改善及び／又は制御からなる群から選択される。
【００７１】
本開示は、さらに、多数の植物、植物農園、又は植物の分野に関し、植物は、一実施形態では、表現型調節を提供するように、本開示による植物注入システムに接続される。
【００７２】
受け入れ用凹部は、注入器具を挿入するために、植物の木質領域内に形成される任意の種類の空洞と理解されるべきである。特に、受け入れ用凹部は、ドリル穴を含む。本開示の文脈では、用語「セルフドリリングすなわち自己穴開け」は、注入器具の自己貫入の実施形態と理解され、それにより、植物内への注入器具の挿入に必要な受け入れ用凹部が、挿入手順自体の最中に直接生成され得、挿入前に受け入れ用凹部を作る必要をなくす。
【００７３】
図１〜３の図面によれば、本開示による注入システムの実施形態は、セルフドリリングであるシャフト本体プロファイルを有する、本開示による注入器具１の第１の実施形態を含む。さらに、注入器具１に取り付け可能である送達装置を含み、この送達装置により、有効成分配合製剤Ｗが、ある用量で、注入器具１に送達される。そのため、有効成分配合製剤Ｗは、注入器具１を経由して、処置されるべき植物、例えば木に提供され得る。送達装置は、様々な構成にされ得る。例えば、図１は、送達装置の３つの実施形態１００、２００及び３００を示す。注入システムが実際に使用中であるとき、これらの変形例のうちの１つのみが、どの時点においても、注入器具１に取り付けられている。送達装置の異なる変形例の設計及び機能を、下記でより詳細に説明する。
【００７４】
図２は、注入器具１の側面図を示す。一例では、注入器具１（及び本明細書で説明する他の注入器具）は、例えば成形又は３次元印刷されている、単一の構成要素である。他の例では、本明細書で説明する注入器具は、成形又は３次元印刷されてから組み立てられる、複数の構成要素である。注入器具１は、実質的に、本体プロファイル、この例ではシャフト本体プロファイルを有する貫入分配本体を有する。注入器具は、ヘッド１０（例えばベース１０）とシャフト２０（例えば貫入分配本体２０）とを備えるねじとして付形される本体プロファイルの外面を含む。貫入分配本体２０は、任意選択的に３つの部分、すなわち遠位ドリルビット部分２０ａ（貫入要素２０ａ）、中間スクリュー部分２０ｂ（分配要素２０ｂ）及び後方ビーズ部分２０ｃ（閉鎖要素２０ｃ）に分割される。ベース１０から離れるような向きにされた貫入要素２０ａは、（木材用）ドリルとして設計される。貫入要素２０ａの構成要素として、曲がりくねった切断要素２１及び隣接する切り屑溝を含む。分配要素２０ｂ（例えば、この例では中間ねじ部分）は、曲がりくねった切刃としてねじ切り部２２、及び注入器具１の貫入構造のアンカー要素を含む。一例では、中央部分２０ｂの外径は、前方部分２０ａの外径よりも大きい。閉鎖ビーズ２３（この例ではそのうちの３つを示す）が、ベース１０に直接隣接する閉鎖要素（又は後方部分２０ｃ）に形成される。これらの周辺ビーズ２３の外部プロファイル（例えば、直径、本体の残りの部分に対する突起など）は、中央部分２０ｂの対応する外部プロファイル（例えば、直径など）よりも大きい。
【００７５】
図３に最もよく示すように、外向きに開口したシリンダー状取り付け又はソケット開口部１１（ソケット嵌合部）がベース１０に設けられ、且つ貫入分配本体２０の主チャンネルとして設けられた長手方向チャンネル２５（例えば入口通路２５）に接続されて、それと連通する。長手方向チャンネル２５は、任意選択的に盲穴として構成され、且つシャフト２０（貫入分配本体の例）の少なくとも後方部分２０ｃ及び中央部分２０ｂを通って延在する。シャフト２０の中央部分２０ｂ（貫入分配本体の分配要素）の領域では、側方に延在する半径方向すなわちラジアル出口チャンネル２７（例えば、１つ以上の分配ポート）が設けられ、これらが、長手方向チャンネル２５に接続されてそれと連通する。半径方向出口チャンネル２７（分配ポート）は、シャフト２０の中央部分２０ｂの領域において、ねじ山の一回り２２間に、側方に開口する。ある例では、ねじ山の一回りは、ねじ山の一回り間に１つ以上の分配リザーバを提供し、及び分配ポートは、一回り内にある。従って、分配ポートは、ねじ山の一回りの末梢端を含む本体プロファイルの外面から奥まった所に据えられる。
【００７６】
ヘッド１０（ベースの例）は、例えば、六角形の外形を有し、六角形のソケットを備えるスクリュードライバーが差し込まれ得るようにする。一例では、注入器具１は、金属（合金）製とし、且つ３次元印刷によって生産される。
【００７７】
使用中、注入器具１は、図１に示すように、処置されるべき植物の木質領域Ｂ、例えば木の幹に挿入される。より具体的には、注入器具１は、木の幹内へ進められる挿入方向３０（例えば貫入方向の例）に沿って植物に貫入する。挿入方向３０は、挿入器具１の軸、長手方向体軸４０に沿って延在する。注入器具１のこの実施形態は、注入器具１の切断要素２１によるセルフドリリング設計を含み、及び挿入は、パイロット穴をドリルで開けずに、（例えば電気又は手動スクリュードライバーによって）ねじ込むことによって、単一の作業ステップで行われる。シャフト２０のドリル部分２０ａ（貫入要素の例）が、ドリルで穴を開け、シャフトのスクリュー部分２０ｂ（この実施形態では分配要素及びアンカー要素）が、注入器具１をさらに前進させて、その保持を固定する。第３の部分２０ｃの周辺ビーズ２３（閉鎖要素）は、さらに、注入器具１を外部に嵌め合わせ、且つ植物への貫入部を囲んでいる。さらに、注入器具１の貫入の深さは、周辺ビーズ２３によって視覚的に監視される。例えば、周辺ビーズ２３のそれぞれは、植物の外面に到達するため、操作者は、貫入要素２０ａ（ドリル部分とも称する）が対応する貫入深さにあることを認識する。
【００７８】
スクリュー部分２０ｂによって注入器具１を前進させている間、挿入器具１は、貫入運動方向３１（図２に、ねじ切り部に対して平行な矢印で示す）に、回転され、それにより、ねじ切り部２２に沿って動かされる。一例では、ねじ山２２のピッチ又は角度は、貫入運動方向３１（貫入方向の別の例）を規定する。注入器具１のねじ込み（例えば、器具の回転）及び貫入運動方向３１に沿ったねじ切り部２２の動きによって、注入器具１を挿入方向３０に沿って軸方向に動かす。
【００７９】
ここで図３及び図２を参照して説明すると、出口チャンネル２７（分配ポートの例）は、線形であり、且つ貫入運動方向３１に対して横断方向の（相対角度で）出口方向３２に延在する。例えば、出口方向３２に延在する出口チャンネル２７は、貫入運動方向３１に対して９０度以下の角度である（例えば、出口チャンネルは、貫入運動方向３１に直角であるか、又はそれに対して逆方向に開口している）。図３では、出口方向３２は紙面に沿っており、且つ貫入運動方向３１、挿入方向３０（集合的に貫入方向）、及び少なくとも挿入方向に対応する長手方向体軸４０のそれぞれに対して横断方向である。図２では、出口方向は、円及び点のシンボルで紙面に対して垂直に延びるように示されており、ここでも、貫入運動方向３１、挿入方向３０及び長手方向体軸４０に対して横断方向である。例えば、出口方向３２に延在する出口チャンネル２７は、挿入方向３０に対して９０度以下の角度である（例えば、出口チャンネルは、挿入方向３０に直角であるか、又はそれに対して逆方向に開口している）。出口チャンネル２７が横断方向の向きであることにより、挿入中、出口チャンネル２７を植物組織から隔離するため、組織との係合、及び出口チャンネルが塞ぐ可能性を最小限にする。
【００８０】
注入器具１が植物に挿入されている状態で（貫入形態の一部として）、送達装置１００、２００、３００のうちの１つ（又は別の形態の送達装置）が、入口ポート、この例では取り付け開口部１１において注入器具１に封止式に取り付けられる。有効成分配合製剤Ｗ（液体、気体、ゲル、蒸気、エアロゾル、コロイド、微小粒子／ナノ粒子、生物有機体などのうちの１種以上を含む流体）の用量が、予め規定された期間、送達される。有効成分配合製剤Ｗは取り付け開口部１１、長手方向チャンネル２５（入口通路の例）及び出口チャンネル２７（例示的な分配ポート）を通って、注入器具１を取り囲む植物組織に入る。製剤Ｗは、徐々に吸収され、且つ植物の栄養経路によって輸送される。ねじ山の一回り２２、及び貫入方向に対して横断方向の分配ポート（出口チャンネル２７）は、周囲植物組織への有効成分配合製剤の小出しを促す。例えば、分配ポートは、分配リザーバの壁の機能を果たすねじ切り部内、それゆえ貫入分配本体の本体プロファイル（この例では、シャフト２０）内の奥まった所に据えられる。さらに、分配ポートは開口しており、それゆえ、貫入方向（挿入方向及び貫入運動方向を含む）に対して横断方向に向けられ、且つ対応して長手方向体軸４０に対して横断方向である。分配リザーバと組み合わせて、出口チャンネル２７が横断方向の向きであることにより、挿入中、出口チャンネル２７を植物組織から隔離する。
【００８１】
送達装置と注入器具１の連通を容易にするために、送達装置１００、２００、３００は、注入器具１のヘッド１０の取り付け開口部１１（ソケット嵌合部）に対応する取り付け部分１１１、２１１、３１１を備える。取り付け部分は、注入器具１との封止連通を可能にする。取り付け部分は、限定するものではないが、チップ１１１、ホース２１１、取り付けニップル３１１などを含み、それらはそれぞれ、出口チャンネル２７（例示的な分配ポート）と連通する入口ポート４１を有する取り付け開口部１１（ソケット嵌合部の例）において注入器具１と封止結合されている。
【００８２】
図４に例として  す送達装置１００の第１の実施形態は、液状有効成分配合製剤Ｗが保管され続けるコンテナー１３０と、この例ではピストルプロファイル状である投薬装置１１０とを含み、この投薬装置を用いて、有効成分配合製剤の用量が、圧力下で、注入器具、例えば本明細書で説明する注入器具のうちの１つ以上に小出しされる。
【００８３】
図４に示す例では、キャリアプレート１３１がコンテナー１３０に固定され、そのキャリアプレート１３１に、加圧ガスＤ、例えばＣＯ２の入ったカートリッジ１３２が装着される。調整可能な減圧弁１３３及びマノメータ１３４がカートリッジ１３２に取り付けられる。有効成分配合製剤の入ったコンテナー１３０、及び減圧弁１３３は、それぞれ、それぞれのホースライン１３５、１３６を経由して投薬装置１１０に接続される。
【００８４】
投薬装置１１０はハンドル１１２を含み、このハンドルは、ハンドル１１２内に含まれるスプリング式３／２弁１１４をトグル式に切り替えるトリガー１１３を有する。弁１１４は、ホースライン１３６（図５にも示す）、及びコンテナー１３０から製剤を吸引するための空気圧ポンプアセンブリ１２０に取り付けられる。製剤は、圧力下で、取り付けチップ１１１を通して、図１〜３に示す器具１などの注入器具に小出しされる。図５は、これらの構成要素を概略的に示す。
【００８５】
図５に示すように、空気圧ポンプアセンブリ１２０は、圧力ピストン１２２が内部で可動である圧力シリンダー１２１、及び復元スプリング１２３を含む。この例では、ポンプアセンブリ１２０は、さらに、薬注ピストン１２５が内部で可動である薬注シリンダー１２４を含む。この例では、送達装置１００は、空気圧式薬注ポンプである。薬注ピストン１２５は、圧力ピストン１２２に運動学的に結合される。上述の取り付けチップ１１１は、薬注シリンダー１２４に装着され、且つ後者と連通するためにそれに接続される。圧力シリンダー１２１は、ホースライン１３７を経由して３／２弁１１４に接続される。逆止弁１３８（例えば、チェック弁、一方向弁など）が、薬注シリンダー１２４をコンテナー１３０に接続する（取り付けチップ１１１が介在する）ホースライン１３５にある。取り付けチップ１１１内には別の逆止弁１３９がある。
【００８６】
図５に示すような構成要素の位置では、圧力シリンダー１２１には圧力がない；その圧力ピストン１２２及び薬注ピストン１２５は、復元スプリング１２３からの復元力に基づいて、それらの後方限界停止部（図面の右側に）ある。薬注ピストン１２４の前側にある薬注シリンダーの空間には、有効成分配合製剤が充填されている。トリガー１１３の作動によって、復元スプリング１１４ａを備える静止位置にある３／２弁１１４は、ホースライン１３６と１３７を接続するように作動される。このようにして、加圧ガスＤは、圧力ピストン１２２に作用し、且つ後者を、薬注ピストン１２５と一緒に、前方へ（図面の左側へ）押す。薬注シリンダー１２４内にある有効成分配合製剤Ｗは、薬注ピストン１２５の動きによって、取り付けチップ１１１を通して注入器具へ小出しされる。トリガー１１３が解放された後、復元スプリング１１４ａは、３／２弁１１４をその静止位置へリセットし、及びホースライン１３７は開放される（又は、シリンダー１２１に対する通気又は非通気形態に依存して、閉鎖される）。圧力シリンダー１２１は圧力をなくされ、及びその復元スプリング１２３は、圧力ピストン１２２を、薬注ピストン１２５と一緒に、それらの後方限界停止部の所まで動かす。このようにして、有効成分配合製剤Ｗは、コンテナー１３０からホースライン１３５及び逆止弁１３８を経由して薬注シリンダー１２４内へと吸引される。
【００８７】
送達装置１００は、復元スプリング１２３によってその開始位置へ戻るように動かされる例示的な単動圧力ピストン１２２を備える。他の例では、送達装置１００は、複動圧力ピストン及び対応する制御弁を含む。この例では、圧力ピストンは、空気圧で両方向に動かされるため、それぞれの動きによって製剤Ｗの用量を提供する。
【００８８】
図６〜７は、送達装置２００の第２の実施形態を示す。送達装置２００は、空気圧送ポンプとして構成される。図７の概略図に示すように、送達装置２００は、ポンプピストン２２１が内部で可動であるポンプシリンダー２２０を含む。のぞき窓２２２が、ポンプピストン２２１の位置を特定するために、任意選択的に含まれる。加圧ガス送達弁２２３（例えば、自転車のチューブの弁と同様）が、ポンプシリンダー２２０の下方部分に配置される。下方部分と反対のポンプシリンダー２２０の蓋には、Ｔ字形部品２２４（Ｔ字形接合部など）、逆止弁２２５（チェック弁、一方向弁など）、及び、Ｔ字形部品の反対側には、遮断弁２２６が配置される。遮断弁にはホースラインが取り付けられる。この例では、ホースラインは、限定されるものではないが、対応するソケット嵌合部、クリート上に保持するように構成された曲げやすいホースなどを含む、注入器具１に接続するための取り付け部分２１１である。有効成分配合製剤Ｗと連通するホースライン２２７が逆止弁２２５に取り付けられる。
【００８９】
ポンプシリンダー２２０は、図６に示すフレーム２２８内に保持される。フレーム２２８は、任意選択的に、送達装置２００を木の幹に結合するのを容易にするための取付板２２９、マウントなどを含む。
【００９０】
ポンプシリンダー２２０は、ホースライン２２７及び逆止弁２２５を通して有効成分配合製剤Ｗ（例えば、液体、気体、ゲル、蒸気、エアロゾルなどのうちの１種以上を含む流体製剤）が充填される。ポンプピストン２２１は、対向端部の方へ（図面において下方へ）押圧される。加圧ガスのクッションが、加圧ガス送達弁２２３を通してポンプシリンダー２２０の反対側にもたらされる。遮断弁２２６が開放されると、加圧ガスが、ポンプピストン２２１を駆動し（図面において上方へ）、それにより、ポンプシリンダー２２０内にある有効成分配合製剤Ｗをポンプシリンダー２２０から、取り付け部分２１１を通して、注入器具１内へ押し出す。一例では、送達装置２００からの有効成分配合製剤Ｗの小出しは、急には行われず、その代わりに、徐々に、例えば１時間以上（１時間、２時間など）を含め、継続的に生じる。ポンプシリンダー２２０への有効成分配合製剤Ｗの充填が、注入器具１に既に結合された取り付け部分２１１によって生じる場合、任意選択的に遮断弁２２６は省略される。別の例では、ポンプピストン２２１の復元力又は付勢は、限定されるものではないが、アクチュエータモータ、付勢要素、例えばスプリングなどを含む、機械的な機構を備える。
【００９１】
別の例では、ポンプシリンダー２２０に可撓膜が設けられる。膜は、加圧流体（例えば、空気、流体圧流体など）から有効成分配合製剤Ｗを分離する。別の例では、流体、例えば流体圧流体は、例えばポンプピストン２２１を駆動するために、製剤送達用のポンプシリンダー２２０内に含まれる。
【００９２】
図８は、木の幹Ｂに挿入される１つの注入器具１に取り付けられる５個の送達装置２００の概略図である（図６及び図７に示すタイプ）。ポンプシリンダー２２０への有効成分配合製剤の充填は、有効成分配合製剤の入ったコンテナーに接続された供給ポンプ２４１を含む環状ライン２４０（例えば、ヘッダー又はメインライン）を経由して行われる。ライン２４０用の遮断弁２４２及び５個の送達装置２００用の逆止弁２２５が含まれる。空気圧ポンプ２４３が、マノメータ２４４及び圧力リザーバ２４５と組み合わせて、ホースライン２４６を経由して５個の送達装置２００と連通する。ポンプ２４３は、圧縮空気又は加圧流体（流体圧の場合）を装置２００に提供して、それぞれのポンプシリンダーから木の幹Ｂへの製剤の分配を容易にする。別の例では、ポンプ２４３は、送達装置２００と同様に動作する流体圧ポンプである。
【００９３】
図１に、送達装置３００の第３の実施形態が示されている。送達装置３００は、２チャンバーコンテナー、又は別個のチャンバーを有するカートリッジを含む。チャンバーは、カートリッジのようなコンテナー３１０に配置される。別個のチャンバーのうちの１つは、加圧された媒体、例えば加圧ガスを含む。他方の別個のチャンバーは、弁３１２を通して小出しするための有効成分配合製剤を含む。チャンバーは、任意選択的に、製剤をポンプで出すように可動であるピストン又は可撓膜によって分離されている。弁３１２は、注入器具１の取り付け開口部１１（例えば、ソケット嵌合部）と連通するように構成されたアダプター３１１を備える。アダプター３１１を取り付け開口部１１に結合した状態で、弁３１２は開放され、及びハウジング３１０の第１のチャンバー内の加圧された媒体は、膨張して、対向するチャンバー内の有効成分配合製剤を、弁３１２を通して、２チャンバーパッケージから注入器具１内へ押し出す。別の例では、弁３１２は、チルト弁（ｔｉｌｔ  ｖａｌｖｅ）のようなものである。アダプター３１１と取り付け開口部１１の結合後、２チャンバーコンテナー又はカートリッジは、その重量下で下に傾いて、自動的にチルト弁を開放する。
【００９４】
注入器具の代替的な実施形態が本明細書に含まれる。図９及び図１０に示す実施形態では、注入器具２００１は、テーパ付きチップを有するネイルと同様の楔本体プロファイルを有する。図１１〜１３に示す注入器具の実施形態は、楔本体プロファイル（例えば、ランスチップ又は楔）の別の例を含む。注入器具に共通するものは、本体プロファイルの変動に対応する自己貫入能力である。例えば、本明細書で説明する注入器具のそれぞれは、以前設けられたドリル穴又は他の凹部がなくても、植物、例えば木の幹又は茎に貫入されるか又は挿入される（例えばハンマーで打たれる、押圧される又は押し込まれる）。
【００９５】
図２６及び図２７は、例えばねじ特徴を備えるシャフトタイプの本体プロファイルを有する注入器具８００１の別の実施形態を示す。注入器具は、ヘッド８０１０（ベースの例）と、前方スクリュー／ドリル部分８０２０ａ（貫入要素）及び後方ビーズ部分８０２０ｂを有するシャフト８０２０（貫入分配本体の例）とを有する。シャフト８０２０の前方部分８０２０ａは、器具８００１のヘッド８０１０（ベース）から遠位部分の方へテーパが付けられている貫入要素である。貫入分配本体は、自己切削スクリューの特徴を含む。注入器具８００１の貫入要素は、曲がりくねった又はらせん状の切刃８０２２を備える、鋭いチップ８０２１及びねじ切り部を含む。周辺ビーズ８０２３（閉鎖ビーズの例）は、ヘッド８０１０（ベース）に隣接する後方部分８０２０ｂ（閉鎖要素の例）に形成される。これらの周辺ビーズ８０２３の外部プロファイルは、前方部分８０２０ａのねじ切刃８０２２の外部プロファイルよりも大きく、器具８００１と植物との間の封止を強める。
【００９６】
図２７に示すように、外向きに開口したシリンダー状取り付け又はソケット開口部８０１１（例えば、開口部又は開口部用のプラグの１つ以上を含むソケット嵌合部の例）は、ヘッド８０１０にあり、且つ入口ポート８０４０によって、長手方向主チャンネル８０２５（入口通路の例）に接続されている。この例では、主チャンネル８０２５は、チップ８０２１の方へ延在するテーパ付き穴である。その底端部に向かって、主チャンネル８０２５は、複数の軸方向及び円周方向に離間した出口チャンネル８０２７（分配ポートの例）に接続される。出口チャンネルのそれぞれは、らせん状切刃８０２２の２つの隣接するセクション間に開口する。上述の通り、出口チャンネル８０２７が、貫入方向、例えば挿入方向に対応する器具８００１の長手方向体軸に対して横断方向に開口しており（例えば、延在する、向けられているなど）、且つまた、器具８００１が回転されるため、貫入運動方向（貫入方向の別の例）に対して横断方向にある。分配リザーバは、出口チャンネル８０２７を、図２６、図２７に示すテーパ付きのねじプロファイルに対応する器具８００１の本体プロファイルから離間するために、ねじ切り部（ｒｅａｄｉｎｇ）８０２２間に含まれる。分配リザーバと組み合わせた出口チャンネル８０２７の横断方向の向きは、挿入中、出口チャンネル８０２７を植物組織から隔離する。
【００９７】
ヘッド８０１０（ベースの例）は、ドライバー器具を受け入れるためのスリット、開口部などを備える。例えば、注入器具８００１を回転させて、挿入方向８０３０に沿って植物に挿入させるために、スクリュードライバーが使用される。挿入方向８０３０は、注入器具８００１の長手方向体軸８０４１に沿って延在する。注入器具８００１は、金属又は合金で作製され、且つ任意選択的に、３次元印刷法によって生産される。ヘッド８０１０の下方部分は、図２７に示すように、当接面８０１３を含むフランジ又は段を形成する。一例では、当接面８０１３は深さ停止部の機能を果たし、且つ植物への注入器具８００１の挿入を制限する。さらに、当接面８０１３は、器具８００１が植物に十分に挿入されたら、周辺ビーズ８０２３（閉鎖ビーズの例）と同様の方法で、植物の貫入部を取り囲む。
【００９８】
ドライバー器具によって注入器具８００１を前進させる間、挿入器具８００１は回転され、且つ貫入運動方向８０３１の別の例では、そのねじ山又はらせん状切刃８０２２に沿って動かされる。この例では、ねじ山８０２２のピッチ又は角度は、貫入運動方向８０３１を規定する。注入器具８００１のねじ込みはまた、挿入方向８０３０において注入器具８００１を軸方向に動かす。
【００９９】
出口チャンネル８０２７は直線であり、且つ図２７に示す出口方向８０３２に延在する。出口方向８０３２は、長手方向体軸８０４１（挿入方向に対応する）並びに貫入運動方向８０３１に対して横断方向である。例えば、出口チャンネルの出口方向８０３２は、貫入運動方向８０３１（及び挿入方向８０３０）に対して約１３５度である。貫入方向（例えば、挿入方向又は貫入運動方向）の一方又は双方に対する出口チャンネル８０２７の横断方向の向きは、出口チャンネルを植物体（ｐｌａｎｔ  ｍａｔｔｅｒ）から隔離し、それゆえ、チャンネルを詰まらせたり又は塞いだりするのを最小限にする。従って、出口チャンネル８０２７（例示的な分配ポート）は、注入器具が貫入形態（挿入中）から植物の処置のための分配形態へ移行した後、開放したままであり、且つ製剤を分配する準備が整っている。
【０１００】
楔タイプの本体プロファイル（例えば、この例ではテーパ付きのネイル）を有する別の注入器具２００１が図９〜１０に示されている。注入器具２００１は、ストライクヘッド２０１０、例えばベース、及び３つの部分に分割されるシャフト２０２０又は貫入分配本体を含む。図９及び図１０に示す例では、貫入分配本体は、前方ネイルチップ部分２０２０ａ（例示的な貫入要素）、中央円錐状部分２０２０ｂ（分配要素の例）、及び後方ビーズ部分２０２０ｃ（閉鎖要素の例）を含む。
【０１０１】
前方部分２０２０ａは、ストライクヘッド２０１０に対して離れた所にあり、それらの間には介在要素がある。貫入分配本体の前方部分２０２０ａ、すなわち貫入要素は、ストライクヘッド２０１０に最も近い近位部分から本体の遠位部分の方へテーパが付けられている。注入器具２００１では、前方部分２０２０ａ、又は貫入要素は、貫入要素の切断要素としてテーパ付きチップ（ネイルのような）を含む。
【０１０２】
この例示的な器具では中央部分２０２０ｂ、又は分配要素は、テーパが付けられており、且つ１つ以上の窪み又は縦溝２０２２を有する。本明細書で説明するように、分配ポートは、本体プロファイルに対して奥まった所に据えられ（例えば、縦溝の遠位縁部に沿って延在する）、ポートを塞ぐのを最小限にする。
【０１０３】
周辺ビーズ２０２３（この例では３個ある）が、後方部分２０２０ｃ、又は閉鎖要素に形成される。後方部分２０２０ｃはストライクヘッド２０１０に隣接する。一例では、周辺ビーズ２０２３の周辺プロファイルは、遠位要素、例えば分配要素及び貫入要素（２０２０ｂ、２０２０ａ）の対応するプロファイルよりも大きい。より大きなプロファイルの周辺ビーズ２０２３は、周辺ビーズと周囲の植物物質との係合によって、植物を通る貫入部を閉鎖する。
【０１０４】
図９及び図１０のそれぞれに示すように、シャフト２０２０の後方部分２０２０ｃ（例えば、例示的な貫入分配本体）とストライクヘッド２０１０（又はベース）との間の移行部において、ストライクヘッド２０１０にフランジのような段又は当接面２０１３が設けられる。当接面２０１３は、シャフト２０２０の円周方向に延在する。注入器具２００１のシャフトすなわち貫入分配本体が植物に挿入されると、当接面２０１３は、植物に接触し（シャフトが十分に貫入した状態で）、且つ注入器具２００１を植物内でさらに前進させるのを制限する。さらに、当接面２０１３は、分配要素２０２０ｂよりも大きなプロファイル特徴を提供し、且ついくつかの例では、植物と注入器具２００１との間の境界面を取り囲み、それにより、汚染物質、有害生物などが入るのを最小限にしながら、製剤の漏れも最小限にする。
【０１０５】
図１０に最もよく示すように、外向きに開口したシリンダー状取り付け部分開口部２０１１（入口ポートの例）が、ストライクヘッド２０１０に設けられ、且つシャフト２０２０の長手方向主チャンネル２０２５（又は入口通路）と連通している。任意選択的に、ストライクヘッド２０１０は、リブ付き外側構造２０１２（例えば、取り付けクリート）、又は取り付け開口部２０１１（例えば、この例ではソケット嵌合部又はソケット開口部）への対応するソケット嵌合部の挿入の代替例として他の例示的な取り付けクリートを含む。例えば、ホース、チューブなどがストライクヘッド２０１０に結合され、及び取り付けクリート、例えばリブ付き構造２０１２が、ホースをしっかりと保持する。
【０１０６】
一例では、長手方向チャンネル２０２５は、盲穴として構成され、且つシャフト２０２０の後方部分２０２０ｃ及び中央部分２０２０ｂを通って延在する。シャフト２０２０の中央部分２０２０ｂ（例示的な分配要素）の領域では、半径方向出口チャンネル２０２７（分配ポートの例）は、長手方向チャンネル２０２５から延在し、且つシャフト２０２０の中央部分２０２０ｂの領域において、その窪み２０２２間で側方に開口する。一例では、出口チャンネル２０２７は、器具２００１の楔又はテーパ付き形状などの注入器具２００１の本体プロファイル内にある。従って、例えば、出口チャンネル２０２７、及びチャンネルに最も近い本体プロファイル外面に対応する窪み２０２２は、外面に対して奥まった所に据えられる。任意選択的に、窪み又は縦溝２０２２は、分配リザーバ（縦溝間の空間）の周りに延在し、そこに出口チャンネル２０２７がある。分配リザーバは、例えば貫入中、出口チャンネル２０２７を植物物質から隔離することによって、周囲植物組織への、出現する有効成分配合製剤の分配を促す。別の例では、分配リザーバは、近位の植物組織と一緒に、製剤を受け入れるため、及び植物組織に最も近い製剤の滞留を強化する（例えば、取り込みの強化）ために、空洞、ポケットなどを形成する。
【０１０７】
図９〜１０に示す注入器具２００１の動作は、いくつかの点については、注入器具１の動作と同様である。注入器具１（ねじ切り部２２に沿って回転される）とは対照的に、注入器具２００１は、例えばハンマー、空気ハンマーを用いて、手によってなどで、木の幹など、植物に打ち込まれる。器具２００１の挿入方向２０３０は、長手方向体軸２０４０に沿って示されている。注入器具２００１を植物内で前進させる間又はハンマリングする間、打撃によって、長手方向体軸２０４０に対応する貫入運動方向２０３１（貫入方向の例）に沿った動きを引き起こす。この例示的な注入器具２００１では、貫入運動方向２０３１はまた、挿入方向２０３０に対応する（図２及び図３に示す異なる方向を有する器具１とは対照的に）。
【０１０８】
図１０に示すように、出口チャンネル２０２７（分配ポートの例）は、主チャンネル２０２５から側方に又は半径方向に延在する。例えば、出口チャンネル２０２７は、長手方向体軸２０４０（及び貫入方向又は挿入方向２０３０）に対して横断方向に延在又は開口する。図１０に示す例では、出口チャンネル２０２７は、長手方向体軸２０４０に対しておよそ９０度の角度で、横断方向に開口する。従って、図１０に示す例では、出口チャンネル２０２７は、貫入運動方向２０３１及び挿入方向２０３０に対して直角（並びに横断方向）の出口方向２０３２に延在する。他の例では、出口チャンネル（本明細書で図示及び説明するように）は、１つ以上の貫入方向及び対応する長手方向体軸に対して横断方向であり、例えば長手方向体軸に対してある角度で延在して、出口チャンネルを隔離し、それにより、植物への製剤の分配を強める。
【０１０９】
図１１〜１３には別の注入器具３００１が示されている。注入器具３００１は、楔に対応する別の例の本体プロファイルを含む。この例では、楔本体プロファイルは平面を含み、この平面は、貫入分配本体の近位部分３０４３（ベースに最も近い）から遠位部分３０４１（貫入要素に最も近い）の方へテーパが付けられている。注入器具３００１は、ストライクヘッド３０１０（ベースの例）と、ランスチップ又はブレードとして構成される楔部分３０２０（貫入分配本体の別の例）とを含む。楔部分３０２０は、その前方チップ３０２１に貫入要素、例えば切断要素貫入構造を含む。切断要素は、貫入分配本体（例えば、楔部分３０２０）の先頭部に沿って延在する切刃を含む。図１３に示すように、貫入分配本体（楔部分３０２０）の切断要素は、ストライクヘッド３０１０の近位部からテーパが付けられるため、分配要素（例えば、出口チャンネル３０２７及び分配チャンネルに最も近い本体の部分）を有する楔部分、及びプリズムと同様のプロファイルを含む。任意選択的に、貫入分配本体は、挿入後、植物内に本体を保持するように構成された１つ以上のアンカー要素を含む。楔本体プロファイルでは、アンカー要素は、本体の近位テーパ付きの（例えば、ベースの方へ向かってテーパが付けられる）表面（ｓｕｒｆａｃｅｓ）、縁部、又は面（ｆａｃｅｓ）を含む。
【０１１０】
取り付け開口部３０１１（例えば、入口ポートの例）がストライクヘッド３０１０に設けられる。取り付け開口部は、楔部分３０２０に設けられた長手方向主チャンネル３０２５（入口通路の例）と連通する。ストライクヘッド３０１０は、任意選択的に、リブ付き外側構造３０１２（取り付けクリートの例）を含んで、ストライクヘッド３０１０へのホースの結合を容易にする。
【０１１１】
再度、注入器具３００１の分配特徴を参照すると、この例では、長手方向チャンネル３０２５は、盲穴であり、且つ楔部分３０２０（例えば貫入分配本体）のおよそ遠位部分３０４１まで延在する。出口チャンネル３０２７（分配ポートの例）が長手方向チャンネル３０２５と連通している。出口チャンネル３０２７は、楔部分３０２０の面取り面３０２３に開口している。縦溝３０２２又はチャンネル（例えば、分配リザーバの別の例）の星状配置構成が、楔部分３０２０の面取り平坦面３０２３に沿って延在する。図１１に示すように、出口チャンネル３０２７は、これらの縦溝３０２２に対して中央の位置に開口し、且つ縦溝は、出口チャンネルから広がっている。縦溝３０２２は、楔部分３０２０（例えば貫入分配本体）を横切って様々な方向に延在する。例えば、いくつかの縦溝３０２２は、ストライクヘッド３０１０の方に向かって後方に延在する一方、他のものは、周辺に延在し（側面へと）、さらに他のものは、楔部分３０２０の先頭部の方に向かって前方に延在する。縦溝３０２２は、出現する有効成分配合製剤の周囲植物組織への分配を促す。例えば、例示的な分配リザーバである縦溝３０２２は、例えば貫入中、出口チャンネル３０２７を植物物質から隔離することによって、出現する有効成分配合製剤の周囲植物組織への分配を促す。出口チャンネル３０２７は、縦溝３０２２内の奥まった所に据えられ、及び縦溝は、楔本体プロファイル外面の近位にある。別の例では、縦溝３０２２（例えば分配リザーバ）は、近位の植物組織と一緒に、貫入後、製剤を受け入れるため、及び植物組織に最も近い製剤の滞留を強化するために（例えば、取り込みの強化のため）、空洞、ポケットなどを形成する。
【０１１２】
図１３に示すように、楔部分３０２０とストライクヘッド３０１０との間の移行部に、段又はフランジが含まれている。いくつかの例では、段又はフランジは、当接面３０１３であると説明されている。当接面３０１３は、楔部分３０２０に対して側方に延在する。注入器具３００１が植物に挿入されると、当接面３０１３は（楔部分の十分な貫入で）植物に係合し、且つ注入器具３００１の植物内でのさらなる前進を阻む。一例では、当接面３０１３は、植物と係合し、且つ注入器具３００１と植物との間に閉接合を確立して、例えば植物への貫入部を取り囲むか又は覆う。
【０１１３】
第３の注入器具３００１は、本明細書で説明する注入器具と同様に機能する。動作中、注入器具３００１は、例えばハンマー、空気ハンマーを用いて、手動でなど、植物に打ち込まれる。ストライクヘッド３０１０（例えばベース）は、一例では、ハンマーによって植物、木の幹に打ちつけられる。
【０１１４】
注入器具３００１は、挿入器具３００１の長手方向体軸３０４０に沿って延在する挿入方向３０３０（貫入方向の例）に動かされる。注入器具３００１を植物内へと前進させる又はハンマリングすることによって、打撃によって注入器具３００１を、この例では挿入方向３０３０と同一の貫入運動方向３０３１（貫入方向の別の例）に沿って動かす。楔部分３０２０の楔本体プロファイルは、注入器具の動きと共に、植物組織を広げる。いくつかの例では、植物組織が広がることによって、植物組織への被害（例えば、除去）を最小限にし、その代わりに、植物組織を脇へ付勢するが、他の方法で植物と共に組織を維持する。例えば、植物の毛細管系は、最小限の（例えば、全くない又は最小限の）外傷で維持されて、植物への有効成分配合製剤の取り込み（ｕｐｄａｔｅ）を強化するのを容易にする。
【０１１５】
再び図１１（及び図１２）を参照して説明すると、出口チャンネル３０２７、分配ポートは、挿入方向３０３０（及び貫入運動方向３０３１）に対応する長手方向体軸３０４０に対して横断方向にある。出口チャンネル３０２７の横断方向の向きは、貫入中の、出口チャンネル３０２７との植物物質の係合を最小限にするため、チャンネルを開放形態に維持する。図１１に示すように、出口チャンネル３０２７の縦溝３０２２（例えば、長尺状の分配リザーバ）は線形であり、且つこの例では出口チャンネル３０２７から周辺に延在する。縦溝３０２２は、図１１に示すような様々な出口方向３０３２を提供する。例えば、出口方向３０３２は、貫入運動方向３０３１及び挿入方向３０３０並びに長手方向体軸３０４０のそれぞれに対して、横断方向に、異なる角度で延在する。角度のうちのいくつかは、９０度未満であるか、９０度に等しいか、又は９０度よりも大きい（例えば１００度以上）。さらに、図１１の長手方向体軸３０４０及び挿入方向３０３０に対して平行に見える縦溝３０２２は、楔部分３０２０がテーパを付けられているために、実際、これらの特徴に対して横断方向の角度にある。
【０１１６】
図１４〜１６は、別の注入器具４００１を示す。注入器具４００１は、楔タイプの本体プロファイル、及び長手方向体軸４０４０に対応する挿入方向４０３０などの１つ以上の貫入方向に対して横断方向の出口チャンネル（例えば分配ポート）を含む。ストライクヘッド４０１０（ベースの例）と、例えばレースチップの楔本体プロファイルを有する楔部分４０２０（貫入分配本体の例）とを有する。楔部分４０２０は、その前面４０２１又は先頭部に、貫入構造の切刃として鋭い刃を備えて形成される。楔部分は、貫入分配本体の近位部分４０４３から遠位部分４０４１の方へテーパが付けられている（例えば、前面４０２１の方へ）。楔部分４０２０（貫入分配本体）の厚さは、ストライクヘッド４０１０の方へ向かって厚くなる。従って、楔部分４０２０は、遠位部分４０４１と近位部分４０４３との間の楔のテーパ付き部分に対応する貫入要素を有する。
【０１１７】
図１４、図１５に示すように、楔部分４０２０は、三角形又はテーパ付き形状を有する分配開口部４０２８（分配リザーバの例）を含む。分配開口部４０２８は、複数の分配ポート（例えば出口チャンネル）と連通しており、及び分配ポートは、長手方向体軸４０４０（及び貫入方向の１つ以上）に対して横断方向にある。図１４〜１６に示す例示的な器具４００１では、楔部分４０２０は、分配開口部４０２８に最も近い２つの翼状部分又は脚を含み（例えば、近位部分４０４３と遠位部分４０４１を接続する）、他の実施形態では、楔部分４０２０は、開口部４０２８に最も近い３個、４個以上の翼状部分を含む。
【０１１８】
取り付け開口部４０１１（入口ポートの例）がストライクヘッド４０１０に設けられ、且つ主チャンネル４０２５（入口通路）と連通している。ストライクヘッド４０１０は、例えば穴をストライクヘッド４０１０（例えば、器具４００１のベース）と結合するように構成された１つ以上の取り付けクリートを含むリブ付き外側構造４０１２を有する。
【０１１９】
ストライクヘッド４０１０から楔部分４０２０への移行部で、主チャンネル４０２５は中間チャンネル４０２６に分かれる。各中間チャンネル４０２６は、開口部４０２８に最も近い翼状部分のうちの１つに沿って、出口チャンネル４０２７の方へ向かって延在する。
【０１２０】
図１４に、及び図１５の断面図に示すように、出口チャンネル４０２７は、中間チャンネル４０２６に沿って設けられ、且つ分配開口部４０２８に横断方向に（例えば、長手方向体軸４０４０及び対応する貫入方向に対して横断方向に）開口している。例えば、出口チャンネル４０２７及び分配開口部４０２８は、分配要素と呼ばれる楔部分（例えば貫入分配本体）の一部分に設けられる。この例示的な本明細書の器具４００１及び他のものでは、分配要素は、貫入要素、例えば楔部分４０２０の楔本体プロファイルと少なくとも部分的に同一の広がりを持つ。
【０１２１】
出口チャンネル４０２７は、器具４００１のための分配要素又はセクションであり、且つ開口部４０２８の方へ向かって延在している。出口チャンネル４０２７は、横断方向に延在し、及びこの例に示すように、注入器具４００１の順方向又は挿入方向４０３０に対して後ろ向きに延在する。主チャンネル４０２５、中間チャンネル４０２６及び出口チャンネル４０２７は、注入器具４００１のチャンネルシステムを形成する。
【０１２２】
ストライクヘッド４０１０（例えば、器具４００１のベース）と楔部分４０２０（例えば、器具４００１の貫入分配本体）との間の移行部に、当接面４０１３が含まれる。当接面４０１３は、楔部分４０２０に対して延在する。注入器具４００１が植物に挿入されると、当接面４０１３は植物に係合し、且つ植物へのさらなる挿入を阻む。前述の通り、当接面４０１３は、楔部分４０２０によって植物に作られた開口部を（少なくとも部分的に）取り囲む。
【０１２３】
図１４〜１６の注入器具４００１の動作は、本明細書で説明する他の注入器具の例と同様である。例えば、注入器具４００１は、任意選択的に、木の幹など、植物に打ち込まれる（例えば、植物にハンマーで打たれる、手動で押し込まれるなど）。注入器具は、植物に貫入し、且つ器具４００１の長手方向体軸４０４０に対応する挿入方向４０３０に沿って入る。例えば打撃により、植物内へ注入器具４００１が入ることは、この例では、挿入方向４０３０に対して平行な貫入運動方向４０３１に沿った動きを引き起こす。
【０１２４】
楔部分４０２０の楔本体プロファイルのために、植物物質は、注入器具４００１が植物に挿入すると広がる。植物物質が広がることによって、植物の内部への外傷を最小限にする（例えば、なくす又は最小限にする）。例えば、植物の毛細管系は、植物への有効成分配合製剤の分配及び取り込み（ｕｐｄａｔｅ）を強化するために、保存又は保護される。
【０１２５】
図１５に示すように、出口チャンネル４０２７（例えば分配ポート）は、中心開口部４０２８（例えば分配リザーバ）の方に向かって出口方向４０３２に開口する。出口方向４０３２は、貫入方向、及び貫入方向の少なくとも挿入方向に対応する長手方向体軸４０４０に対して横断方向である。例えば、図１５に示すように、出口チャンネル４０２７は、貫入運動方向４０３１に対しておよそ１３５度の角度が付けられる。出口チャンネル４０２７の向きは、挿入中、（相対的に）近づいてくる植物物質からチャンネルを隔離することによって、植物物質とのチャンネルの係合を最小限にし、それにより、出口チャンネル４０２７を開放形態に維持する。従って、植物組織又は物質、例えば繊維などは、植物への注入器具４００１の挿入中（例えば、貫入形態）、楔部分４０２０によって出口チャンネル４０２７からそらされて、分配形態にある間、チャンネル４０２７を開放形態に維持する。
【０１２６】
さらに、分配リザーバ（例えば分配開口部４０２８）は、本体プロファイルを開くことによって、植物物質からの出口チャンネルの隔離を強化して、本体プロファイル外面に対して奥まった所に据えられた箇所への開口部の位置決めを容易にする。さらに、分配リザーバ（例えば分配開口部４０２８）は、製剤を受け入れるための空洞を提供する。周囲植物組織と組み合わせて、分配リザーバは、リザーバを囲む植物組織のごく近くに又はそれと係合して、製剤を維持する。
【０１２７】
図１７〜１９は、楔本体プロファイルの別の例を有する注入器具５００１を示す。注入器具５００１は、ストライクヘッド５０１０（ベースの例）と、この例ではランスチップとして構成された楔部分５０２０（貫入分配本体の例）とを有する。図１７に示すように、楔部分５０２０は、切断要素として鋭い刃を有する貫入要素を含む。切断要素は、前面５０２１（例えば先端）に沿って設けられ、及び貫入要素は、この例では、遠位部分５０４１から近位部分５０４３まで延在する。例えば、図１９に示すように、楔部分の楔本体プロファイルは、ストライクヘッド５０１０の方へ向かって増大し、厚さが厚くなる。
【０１２８】
ストライクヘッド５０１０は、軸方向にリブ付きの外側構造５０１２を有して、ストライクヘッド５０１０の把持、及び任意選択的に対応する取付け部品（例えば、ホース、小出し装置など）との結合を容易にする。ストライクヘッド５０１０（ベース）と楔部分５０２０（貫入分配本体）との間の移行部には、段又はフランジ、当接面５０１３が設けられている。当接面５０１３は、楔部分５０２０に対して延在し、及び器具の挿入を制限し、及び植物物質と係合して、植物の貫入部を容易に覆うようにする。
【０１２９】
再び図１９を参照して説明すると、ストライクヘッド５０１０は、この例では、入口ポート、例えば取り付け開口部５０１１を含む。この例では、取り付け開口部５０１１は、ベースの残りの部分（例えば、ストライクヘッド５０１０）とは別個の構成要素である。例えば、取り付け開口部５０１１は、ベースのポートとして設けられる。図１９に示すように、取り付け開口部５０１１は、主チャンネル５０２５（例えば入口通路）を通して、分配ポート、例えば出口チャンネル５０２７と連通する。主チャンネル５０２５は、取り付け開口部５０１１から斜めに上方向に、楔部分５０２０に設けられた中間チャンネル５０２６まで延在する。各中間チャンネル５０２６は、２つの隣接する分配リザーバ（例えば、開口部５０２８）間に垂直方向に延在する。左中間チャンネル５０２６は左側開口部５０２８間にあり、及び右中間チャンネル５０２６は右側開口部５０２８間にある。
【０１３０】
複数の出口チャンネル５０２７（この例では２つ）は、中間チャンネル５０２６をそれぞれ備える。出口チャンネル５０２７は、例えば長手方向体軸５０４０に対応する器具５００１の挿入方向に対して横断方向に開口している（例えば、延在する、製剤を方向付けるなど）。このように、液状有効成分配合製剤は、開口部５０２８から植物へ送達される。例えば、開口部５０２８（分配リザーバの例）は、それぞれの出口チャンネル５０２７と連通している。出口チャンネル５０２７から送達される製剤は、開口部５０２８を満たす。開口部５０２８は、分配形態において（貫入後）、植物組織によって囲まれているため、開口部５０２８を含む注入器具５００１は、周囲植物組織と係合して製剤を保持して取り込む。それにより、開口部５０２８及び周囲植物組織を囲む貫入分配本体（楔部分５０２０）の部分を含む注入器具５００１は、製剤をポケット又は空洞に保持して、製剤の取り込み（ｕｐｄａｔｅ）を容易にする。
【０１３１】
図１８にさらに示すように、出口チャンネル５０２７は、長手方向体軸５０４０（及び中間チャンネル５０２６）に対応する注入器具５００１の順方向又は挿入方向５０３０に対して横断方向に延在する。例えば、出口チャンネル５０２７は、ストライクヘッド５０１０（器具５００１のベースとも呼ばれる）の方に向けられる。主チャンネル５０２５、中間チャンネル５０２６（集合的に入口通路）及び出口チャンネル５０２７（例えば分配ポート）は、注入器具５００１のチャンネルシステムを形成する。
【０１３２】
図１７〜１９に示す注入器具５００１の動作は、本明細書で説明する他の注入器具の動作と同様である。貫入形態では、注入器具５００１は、ハンマーからの打撃、手動での挿入、器具５００１を取り付けるように構成された導入器などによって、植物、例えば木の幹に打ち込まれる。図１９に示すように、別個の接続ノズル（例えば、取り付け開口部５０１１）が提供された状態で、ストライクヘッド５０２０は、開口部から隔離され、及び比較的強い打撃を受けるのに、例えば組織化された又は頑丈な物質、組織などを有する植物の貫入に、好適である（例えば、機械的に頑丈である）。
【０１３３】
図１８には、挿入方向５０３０が示されており、これは貫入方向の例である。挿入方向５０３０は、挿入器具５００１の長手方向体軸５０４０に沿って延在する（例えば、それに対して平行である、又は数度以内にある）。注入器具５００１を植物に打ち込むことによって、注入器具５００１を貫入運動方向５０３１に沿って動かし、及びこの例では、貫入運動方向５０３１は挿入方向５０３０に対応する。器具５００１が楔本体プロファイルであるために、植物物質は注入器具５００１によって広げられる。上述の通り、植物物質を広げることによって、植物の内部構造への外傷が最小限にされる。
【０１３４】
分配形態では（例えば、器具５００１の貫入及び取り付け後）、出口チャンネル５０２７は、製剤を受け入れ、且つ長手方向体軸５０４０及び挿入方向（例えば、軸に対応する）に対して横断方向に分配する。図１８に示すように、出口チャンネル５０２７は開口しているため、製剤を分配開口部５０２８（例えば分配リザーバ）へ方向付ける。図１８に示すように、出口チャンネル５０２７は、出口方向５０３２において開口部５０２８の方へ延在している。この例示的な注入器具５００１では、出口方向５０３２は、例えば、貫入運動方向５０３１、挿入方向５０３０（集合的に貫入方向）及び対応する長手方向体軸５０４０に対しておよそ１２５度の角度で、横断方向である。分配開口部５０２８内でのチャンネルの位置と加えて、出口チャンネル５０２７の横断方向の形態は、挿入中、チャンネル５０２７を植物物質との係合部から隔離するので、例えば植物への注入器具５００１の挿入中、植物物質、例えば繊維などが出口チャンネル５０２７に詰まるのを最小限にする。
【０１３５】
図２０〜２５に示す注入器具６００１、７００１は、様々な例では、一般に外殻がより柔らかい、あまり頑丈ではない植物（例えば、より柔らかい木、つる植物、茎など）と一緒に使用するように構成される。例えば、前述の注入器具の長さは５０ｍｍ以上とし得る。一例では、これらの注入器具は、長さ３５ｍｍ以上及び幅３０ｍｍ以上の貫入分配本体（例えば、楔又はシャフト本体プロファイル）を含む。対照的に、いくつかの例では、図２０〜２５に示す例示的な注入器具６００１、７００１の全長は、約６ｍｍ〜１６ｍｍである。
【０１３６】
図２０〜２２は、楔タイプの本体プロファイルを有する楔部分６０２０、例えば貫入分配本体を有する注入器具６００１を示す。注入器具６００１は、ストライクヘッド６０１０（ベースの例）及び楔部分６０２０（貫入分配本体の例）を含む。楔部分６０２０は切断要素を含む。例えば、楔部分６０２０は、前面６０２１に沿って、ストライクヘッド６０１０から遠位に向けられた切刃を含む。楔部分６０２０は、少なくとも部分的に同一の広がりを持つ貫入及び分配要素を含む。例えば、貫入要素は、切刃から、前面６０２１に沿って延在し、且つ楔部分６０２０の近位部分６０４３に対して遠位部分６０４１に最も近い。同様に、分配要素６０１２（出口チャンネル６０２７及び分配開口部６０２８を含む）は、楔部分６０２０の貫入要素内にある。図２２の側面図に示すように、楔部分６０２０の貫入要素の厚さは、遠位部分６０４１から近位部分６０４３及びストライクヘッド６０１０の方に向かって厚くなる。
【０１３７】
任意選択的に、ストライクヘッド６０１０は、リブ付き外側構造６０１２、例えば取り付けクリートを含んで、ストライクヘッド６０１０の把持を容易にし、且つ注入器具６００１を送達装置にしっかりと固定する。ストライクヘッド６０１０と楔部分６０２０との間の移行部に、段が設けられる。段は、当接面６０１３を形成する。当接面６０１３は、楔部分６０２０に対して（例えば、それから離れるように）、延在する。注入器具６００１の挿入中、当接面６０１３は、植物に接触し、且つ植物内での注入器具６００１のさらなる前進を阻む。本明細書で説明する他の注入器具の当接面と比較して、関連の楔部分６０２０（例えば、それらは同様のサイズを有する）と比べて、当接面６０１３は比較的大きい。より大きな当接面６０１３は、比較的柔らかい外殻又は境界部を有するより小さくて頑丈さが劣る植物での使用を容易にする。比較的大きな当接面は、挿入からの力を、対応して大きな面６０１３に分配し、それにより、植物への外傷を最小限にする。当接面６０３１３は、さらに、植物との頑丈な結合を確立するために、注入器具６００１に閉塞面を提供する。
【０１３８】
図２１及び図２２に示すように、ストライクヘッド６０１０は、取り付け開口部６０１１（例えば、入口ポートの例）を含む。取り付け開口部６０１１は、出口チャンネル６０２７及び分配開口部６０２８、例えば主チャンネル６０２５（例えば入口通路）と連通している。図２０及び図２１に示すように、出口チャンネル６０２７（例えば分配ポート）は、主チャンネル６０２５と連通し、且つそれぞれの分配開口部６０２８（例えば分配リザーバ）に、横断方向に開口している。
【０１３９】
流体有効成分配合製剤は、出口チャンネル６０２７から、例えば長手方向体軸６０４０及び対応する挿入方向６０３０に対して横断方向に、分配開口部６０２８へと送達される。分配開口部６０２８は、隣接する植物組織に最も近い滞留部に製剤を保持する。図２１に示す例では、出口チャンネル６０２７は、ストライクヘッド６０１０の方へ向かって近位方向に、及び注入器具６００１の挿入方向６０３０に対して横断方向に延在する。主チャンネル６０２５及び出口チャンネル６０２７は、注入器具６００１のチャンネルシステムを形成する。
【０１４０】
注入部６００１の動作は、少なくともいくつかの点で、本明細書で説明する他の注入器具と同様である。注入器具６００１は比較的小さなプロファイルである（又は他の器具の短縮形状である）ため、注入器具６００１は、比較的小さな植物、又はより柔らかい植物物質（例えば組織など）を有する頑丈さが劣る植物に、簡単に挿入されて取り付けられる。例えば、注入器具６００１は、植物、例えば茎への器具６００１の打撃を和らげる又は手動での押圧のために構成されている。
【０１４１】
図２１に示すように、注入器具６００１は、挿入器具６００１の長手方向体軸６０４０に対応する挿入方向６０３０に沿って挿入される。注入器具６００１を植物内で前進させている間、器具は、貫入運動方向６０３１に沿って動き、及び図示の例では、挿入方向６０３０は、貫入運動方向６０３１に対応する。楔タイプの本体プロファイルを有し且つ本明細書で説明する他の注入器具と同様に、注入器具６００１の楔部分６０２０は、器具６００１が植物に挿入されると、植物物質を脇へ広げる。植物物質広げることによって、植物物質への外傷を最小限にし、且ついくつかの例では、製剤の取り込みの強化を促す。
【０１４２】
図２１にさらに示すように、出口チャンネル６０２７（例えば分配ポート）は、分配開口部６０２８（例えば分配リザーバ）の方へ向かって出口方向６０３２に延在する。出口方向６０３２は、貫入運動方向６０３１（及び長手方向体軸６０４０）に対して横断方向にある。例えば、出口方向６０３２は、貫入運動方向６０３１、挿入方向６０３０（集合的に貫入方向）及び長手方向体軸６０４０と１２５度の角度などで位置がずれている。出口チャンネル６０２７の横断方向の向きによって、出口チャンネル６０２７を植物物質から隔離し、そうでなければ、植物物質は挿入によって出口チャンネルに導入される。さらに、分配開口部６０２８（例えば分配リザーバ）は、本体プロファイル内での出口チャンネル６０２７の位置決めを容易にし、例えばチャンネル６０２７は本体プロファイル外面から奥まった所に置かれる。
【０１４３】
図２３〜２５は、楔タイプの本体プロファイルを有する注入器具７００１の別の実施形態を示す。本明細書で説明する他の注入器具と同様の方法で、注入器具７００１は、ストライクヘッド又は本体７０１０（例えばベース）と、楔部分７０２０（例えば貫入分配本体）のあるヘッドとを含む。注入器具７００１の本体７０１０又はベースは、この例では円錐形であり、及び取り付け開口部７０１１の方へ向かってテーパが付けられている。楔部分７０２０は、その遠位前面７０２１又は先頭部に、貫入構造の切断要素として鋭い刃を備えて形成されている。図２５に示すように、楔部分７０２０の厚さは、本体７０１０の方へ向かって厚くなる。この例では、楔部分７０２０の貫入要素は、遠位部分７０４１と近位部分７０４３との間に延在し、且つ出口チャンネル７０２７及び側方凹部７０２８を含む楔部分の分配要素に対応する。
【０１４４】
図２３及び図２４に示すように、楔部分７０２０は、ネックセクション７０２０ｂを形成する側方凹部７０２８（分配リザーバの例）を有する分配要素を含む。ネックセクション７０２０ｂは、楔部分７０２０を、上方切断セクション７０２０ａ及び下方拡張セクション７０２０ｃに分離する。切断セクション７０２０ａ（貫入要素の例）は、植物への注入器具７００１の挿入によって植物を切断する又は切り開けるように構成された楔本体プロファイルの先端など、１つ以上の切断要素を含む。楔部分７０２０の拡張セクション７０２０ｃは、切断セクション７０２０ａによって開けられた貫入部を広くして、楔部分７０２０の残りの部分のために、植物内に空洞を生成する。別の例では、拡張セクション７０２０ｃは、側方凹部７０２８と協働して、植物物質を広げ、且つ本明細書の他の注入器具で説明された分配リザーバと同様の方法で植物組織に最も近い側方凹部７０２８内での流体製剤の滞留を容易にする。
【０１４５】
図２４及び図２５に示すように、本体７０１０は、中心主チャンネル７０２５（例えば入口通路）に開口する取り付け開口部７０１１（入口ポートの例）を含む。主チャンネル７０２５は、取り付け開口部７０１１から楔部分７０２０のネックセクション７０２０ｂを通って延在する。出口チャンネル７０２７は、主チャンネル７０２５から横断方向に延在する。図２３及び図２４に示すように、出口チャンネル７０２７は、側方凹部７０２８に横断方向に開口する。流体有効成分配合製剤は、出口チャンネル７０２７から側方凹部７０２８内へと横断方向に送達される。
【０１４６】
図２４に示すように、出口チャンネル７０２７は、長手方向体軸７０４０に対応する注入器具７００１の挿入方向７０３０に対して横断方向に延在する。例えば、出口チャンネル７０２７は、本体７０１０（例えばベース）の方へ向かって延在する。主チャンネル７０２５及び出口チャンネル７０２７は、注入器具７００１のチャンネルシステムを形成する。
【０１４７】
本体７０１０と楔部分７０２０ａの拡張セクション７０２０ｃとの間の移行部に段が形成される。この例では、段は、湾曲した当接面７０１３である。当接面７０１３は、注入器具７００１を受け入れる植物、例えば丸い茎のプロファイルに対応するように湾曲している。注入器具７００１が植物に挿入されると、湾曲した当接面７０１３が面と面との接触で茎と結合し、且つ植物内での注入器具７００１のさらなる前進を阻む。注入器具７００１の前進は、当接面７０１３の湾曲した形態によって比較的穏やかな方法で阻まれて、植物への外傷を最小限にする。さらに、本明細書で説明する他の実施形態のように、当接面７０１３は、注入器具７００１と植物との間に頑丈な結合を確立し、且つ楔部分７０２０によって形成された貫入部を取り囲む。
【０１４８】
図２３〜２５に示す注入器具７００１の動作は、いくつかの点については、本明細書で説明する他の例示的な注入器具と同様である。例えば、注入器具７００１は、植物、例えば茎に挿入される（例えば、打たれる、押し込まれるなど）。注入器具７００１は、挿入器具７００１の長手方向体軸７０４０にほぼ対応する挿入方向７０３０に沿って挿入される。注入器具７００１は、貫入運動方向７０３１に沿って動き、及びこの例では、貫入運動方向７０３１は挿入方向７０３０に対応する。
【０１４９】
楔部分７０２０による植物への貫入によって、本明細書で説明する他の楔タイプの注入器具と同様の方法で植物物質を広げる。楔部分７０２０（例えば貫入分配本体）が貫入形態で取り付けられた状態で、注入器具７００１は分配形態を取る。
【０１５０】
分配形態では、流体製剤は、出口チャンネル７０２７（例えば分配ポート）から開口部又は側方凹部７０２８（例えば分配リザーバ）へと横断方向に分配される。液状製剤は、側方凹部７０２８に供給され、且つ隣接する植物物質の近くにあってそれと係合している凹部に滞留する。流体製剤が側方凹部７０２８内に滞留している状態で、植物は、例えば製剤に加えられる送達圧力がない状態で又は最小限の状態で、製剤を徐々に取り込み（ｕｐｄａｔｅ）得る。
【０１５１】
図２８、図２９及び図３０は、注入器具３００の別の例を示す。先の例のように、注入器具３００は、ベース３０２と、ベースから延在する貫入分配本体３０４とを含む。図２８に示すように、貫入分配本体３０４は、この例では、楔プロファイルを含む本体プロファイル３０８を含む。図２８及び図２９の本体プロファイル３０８は、破線で示され、且つ限定するものではないが、貫入分配本体３０４の形状、輪郭、サイズ、テクスチャーなどのうちの１つ以上を含む。図示の通り、貫入分配本体３０４は、さらに、分配要素３１２を含む。分配要素３１２は、貫入要素、例えば本体プロファイル３０８の先端を含む貫入要素３１０から離間した、１つ以上の分配ポート３１４を含む。前述の通り、１つ以上の分配ポート３１４は、植物への注入器具３００の挿入方向に対応する長手方向体軸３０６に対して横断方向に（例えば、異なる方向に）液状製剤を分配する。
【０１５２】
再び図２８を参照して説明すると、前述のような注入器具３００は、本体プロファイル３０８、例えばこの例では楔プロファイルを含む。図示の通り、楔本体プロファイル３０８は、貫入分配本体３０４の近位部分３０７から分配体３０４の遠位部分３０５までテーパが付けられている。楔プロファイル３０８は、植物の植物組織への注入器具３００の貫入及び送達を容易にする。さらに、任意選択的に、貫入分配本体３０４は、１つ以上のアンカー要素３１６を含む。この例では、本体プロファイル３０８は、１つ以上のフランジ、面、角などを含んで、貫入分配本体３０４を植物の対応する組織に結合し、且つ任意選択的に、例えば、数時間、例えば１時間、２時間以上かけた液状製剤の分配のために、貫入分配本体３０４を植物内に継続的に保持する。
【０１５３】
図２８及び図３０にさらに示すように、ある例では、分配要素３１２は、分配ポート３１４と連通する１つ以上の分配リザーバ３２２を含む。他の実施形態に関して前述したように、分配リザーバ３２２は、分配ポート３１４を通して投与される液状製剤を受け入れるように構成されている。別の例では、分配リザーバ３２２は、分配リザーバ内での液状製剤の滞留を容易にする一方で、貫入分配本体３０４が植物内に保持されるようにする。例えば、分配リザーバ３２２を囲む貫入分配本体３０４の面並びに隣接する植物組織は、植物及び本体３０４内に、液状製剤を入れて保持して植物組織に徐々に取り込まれるようにするように構成されたポケット、空洞などを形成する。分配リザーバ３２２は、貫入分配本体３０４にわたって分配パターンで設けられ、且つ任意選択的に分配ポート３１４よりも大きくて、液状製剤と接触する植物組織の量（面積）を増やす。
【０１５４】
図２８に示すように、さらに図２９に示すように、一例では、分配リザーバ３２２及び分配ポート３１４は、本体プロファイル３０８内にあるため、植物への注入器具３００の挿入中、植物組織から実質的に隔離されている（例えば、隠されている、遮蔽されている、保護されている（ｓｈｅｌｔｅｒｅｄ）、分離されている、覆われているなど）。別の例では、分配リザーバ３２２、分配ポート３１４などは、本体プロファイル３０８の本体プロファイル外面３０９から奥まった所に据えられる。例えば、植物組織への注入器具３００の送達又は貫入中、分配ポート３１４及び分配リザーバ３２２を含む分配要素３１２を本体プロファイル外面３０９に対して奥まった所に据えることによって、植物組織は、有意義な形で分配リザーバ３２２又は分配ポート３１４に係合しない又は入り込まず、そうでなければ、分配ポート３１４を塞ぐか又は分配リザーバ３２２を満たして、そこに液状製剤が滞留しないようにする。
【０１５５】
図２９に示すように、分配リザーバ３２２は、貫入分配本体３０４の本体プロファイル３０８内にある。例えば、図２９に示すように、本体プロファイル３０８の破線は、リザーバ３２２が内部にある状態で、分配リザーバ３２２の周りに延在する。従って、分配リザーバ３２２は、貫入中、植物組織から隔離される。例えば、貫入要素３１０又は貫入分配本体３０４の残りの部分の１つ以上は、貫入中、植物組織から分配要素３１２（例えば、ポート３１４及びリザーバ３２２の１つ以上を含む）を隠す又は覆う。一例では、貫入要素３１２は、貫入要素プロファイル又は貫入プロファイルを提供する。ポート３１４又はリザーバ３２２の１つ以上を含む分配要素３１２は、貫入中、長手方向体軸３０６に沿った方向において、貫入プロファイル内にある。貫入プロファイル（例えば、形状、寸法、例えば断面積など）は、分配ポート３１４又は分配リザーバ３２２の少なくとも１つよりも大きく、且つ軸方向に整列されている。従って、貫入プロファイル内のポート３１４及びリザーバ３２２は、貫入中、貫入要素３１０によって係合されている植物組織から隔離されている。例えば、分配ポート３１４及び分配リザーバ３２２の１つ以上を含む分配要素３１２は、貫入プロファイル（例えば、貫入分配本体３０４の断面プロファイルに対応する）の後ろ側に隠される。従って、分配ポート３１４又は分配リザーバ３２２の１つ以上を含む分配要素３１２は、例えば、植物への注入器具３００の挿入中、植物組織との係合部から隔離される。従って、ポート３１４及び分配リザーバ３２２は開いたままであり、塞がれにくく、それにより、例えば、貫入分配本体３０４が植物内に配置されて保持されている状態で、分配形態にある間、液状製剤の投与を容易にする。
【０１５６】
再度、図２９の注入器具３００の側面図を参照して説明すると、一例では、器具３００のベース３０２は、フランジ、バーブなどを含む１つ以上の取り付けクリート３２４を含む。取り付けクリート３２４は、限定されるものではないが、分配装置のホース、取付け部品などを含む、本明細書で説明する分配装置の１つ以上の特徴と結合する。一例では、取り付けクリート３２４は、継続的に、特徴、例えば取付け部品、ホースなどを保持して、注入器具３００を通した液状製剤の継続的な投与を容易にする。
【０１５７】
図３０は、図２９の断面線Ａ−Ａに沿って取った注入器具３００の断面図である。図３０に示すように、注入器具３００は、貫入分配本体３０４にわたって分配パターンに配置された分配リザーバ３２２を含む。例えば、図示の例では、複数の分配リザーバ３２２は、分配ポート３１４間に点在させられる。各分配ポート３１４は、それぞれの分配リザーバ３２２に開口する。一例では、入口通路３２０が、液状製剤を注入器具３００の入口ポート３１８から分配ポート３１４まで提供し、分配リザーバ３２２に分配する。
【０１５８】
図３０にさらに示すように、この例では、分配ポート３１４は、長手方向体軸３０６に対して横断方向の向き（例えば、異なる角度向き）を有する。例えば、図３０に示すように、例示的な分配ポート３１４は、長手方向体軸３０６に対しておよそ１０５度の角度で開口している、又は延在している。従って、この例では、分配ポート３１４は、逆向きに、例えば、注入器具３００のベース３０２の方へ向かって及び貫入分配本体３０４の貫入要素３１０から離れるように向きを変えられる又は逆方向に向けられる。他の例では、本明細書で説明及び図示するように、分配ポートは、ポート３１４が長手方向体軸３０６に対して異なる横断方向に開口している状態で、様々な形態に配置される。図３０及び本明細書の他の実施形態に示す分配ポートは、流体の分配を容易にするように、長手方向体軸３０６（例えば、貫入方向に対応する）に対して、長手方向体軸３０６の向きとは異なる方向に、開口する、延在する又は向けられる。例えば、及び本明細書で既に説明したように、液状製剤は、分配ポート３１４から、長手方向体軸３０６に対して５度以上異なる角度に沿って分配される。他の例では、分配ポート３１４は、長手方向体軸３０６から離間されている、すなわち奥まった所に据えられる。図３０に示す例では、分配ポート３１４は、それぞれ、長手方向体軸３０６から離間されており（及び貫入要素３１０から離間されている）、及びまた横断方向の向きに向けられる（例えば、軸３０６に対して異なる角度）。従って、分配形態では、液状製剤は、貫入形態にある貫入要素３１０及び貫入分配本体３０４の挿入方向に対して（例えば、全体的に長手方向軸３０６に沿った）、分配ポート３１４とは異なる方向に分配される。
【０１５９】
図３１、図３２及び図３３は、注入器具４００の別の例を示す。注入器具４００は、本明細書で説明する他の注入器具の特徴と同様の１つ以上の特徴を含む。例えば、注入器具４００は、ベース４０２と、ベース４０２から延在する貫入分配本体４０４とを含む。図３１に示す例では、貫入分配本体４０４は、この例では、楔形状又は楔プロファイルを有する本体プロファイル４０８を含む。この例では、楔本体プロファイル４０８は、対応する湾曲した（フォーク状又は凹状）貫入要素４１０を含む、湾曲又は凹状形態を含む。貫入分配本体４０４は、本体４０４の近位部分４０７から遠位部分４０５までテーパが付けられている。本明細書で説明するように、湾曲した貫入要素４１０及び対応する湾曲した又は弓状の貫入分配本体４０４は、分配ポート４１４又は分配リザーバ３２２の１つ以上を含む分配要素４１２の１つ以上を、器具４００で貫入した植物の共通の１つの年輪又は植物組織に対して隣接させて位置決めするのを容易にする。従って、一例では、分配ポート４１４からの流体の分配は、植物の円周方向に延在する、対応する年輪又は植物組織に限局される。
【０１６０】
図３１及び図３２を参照して説明すると、楔本体プロファイル４０８（破線で示す）は、近位部分４０７から遠位部分４０５までテーパが付けられている。図３２では、貫入分配本体４０４はまた、器具の厚さ部分（図３１及び図３２に示す幅部分とは対照的に）に対してテーパが付けられている。図３１及び図３２に破線として示す本体プロファイル４０８は、貫入要素４１０並びに貫入分配本体４０４の周りに延在する。図３２に示すように、分配ポート４１４及び分配リザーバ４２２は、この例では、本体プロファイル４０８内にある。例えば、分配ポート４１４は、本体プロファイル４０８の本体プロファイル外面４０９から奥まった所に据えられる。同様に、分配リザーバ４２２は、プロファイル４０８の本体プロファイル外面４０９から奥まった所に据えられる。
【０１６１】
他の実施形態に関して前述したように、本体プロファイル４０８内での、例えば本体プロファイル外面４０９内での（例えば、分配ポート４１４又は分配リザーバ４２２の１つ以上）を含む分配要素４１２の位置決めは、植物組織の分配要素４１２との係合を最小限にし（例えば、なくす又は最小限にする）、それゆえ、詰まりのない開口した状態でのポート４１４、分配リザーバ４２２などの保守を容易にし、植物組織への取り込みのために、ポートからの、例えば、分配リザーバ４２２への液状製剤の分配を促す。
【０１６２】
図３１及び図３２にさらに示すように、別の例では、貫入分配本体４０４は、１つ以上のアンカー要素４１６を含む。この例では、アンカー要素４１６は、貫入分配本体４０４の近位方向に向けられた面、例えば、貫入分配本体４０４のフランジ、縁部などに対応する。一例では、アンカー要素４１６は、例えば、樹皮、植物の外面などにすぐ隣接する植物組織内に全体的に又は部分的に受け入れられ、且つ、一例では、任意選択的に植物組織がからむか又はそれによって覆われて、植物内に貫入分配本体４０４を保持する。
【０１６３】
図３１及び図３２にさらに示すように、ある例では、ベース４０２は、注入器具４００に結合された、注入装置、分配装置などの１つ以上の取付け部品、ホースなどを把持及び保持するように構成された、例えばリング、フランジ、バーブなどを含む１つ以上の取り付けクリート４２４を含む。一例では、取り付けクリート４２４は、限定されるものではないが、本明細書で前述し且つ図示したコンテナー、投薬装置などを含む分配又は注入装置の１つ以上の対応する特徴への注入器具４００の結合の保持を容易にする。
【０１６４】
図３３は、図３２の断面線Ａ−Ａに沿って取った注入器具４００の断面図である。図３３に示すように、注入器具４００は、長手方向体軸４０６とは異なる方向に開口する又は向けられた複数の分配ポート４１４を含み、例えばポート４１４は、ほぼ器具４００の貫入方向である長手方向体軸４０６に対して横断方向である。例えば、図示の通り、この例では、分配ポート４１４は、長手方向体軸４０６に対して横に向けられているか又は角度が付けられた方向にある。従って、貫入形態に対して分配形態では、分配ポート４０４は、長手方向体軸４０６に対して横断方向に若しくは角度付きのベクトルで、又は角度付きのベクトルに沿って、液状製剤を提供するように構成されている。
【０１６５】
図３３に示す例では、分配ポート４１４は、貫入方向（例えば、全体的に長手方向体軸４０６と位置合わせされている）に対して逆又は反対方向に向けられる。例えば、分配ポート４１４は、注入器具４００のベース４０２の方へ向きを変えられ、且つ長手方向体軸４０６から離れるように反対向きにされる。他の例では、分配ポート４１４は、図３３に示すものとは異なる角度に配置されるが、同様に長手方向体軸４０６に対して異なる角度に配置され、それにより、長手方向体軸４０６から離れるように向きが変えられる。
【０１６６】
図３３にさらに示すように、１つ以上の分配リザーバ４２２は、分配ポート４１４と連通している。分配リザーバ４２２は、入口ポート４１８と連通する入口通路４２０を経由してポート４１４から液状製剤を受け入れる。前述の通り、分配リザーバ４２２は、注入器具４００内及び植物組織内に空洞、ポケットなどを提供し、それゆえ、植物の植物組織にごく接近し且つ隣接して液状製剤を保持する。従って、液状製剤が分配リザーバ４２２内に保持されている間、植物組織は、液状製剤を簡単に吸収する。吸収又は取り込みは、分配リザーバ４２２の弓状形態によってさらに強化される。リザーバ４２２の弓状形態は、最も活性的な植物組織、例えば木の最も若い年輪又は他の多年生植物のプロファイルに対応し、それにより、製剤を吸収及び輸送する準備が最も整っている植物組織に液状製剤をもたらす。
【０１６７】
限定されるものではないが、注入器具３００、４００を含む、本明細書で説明する注入器具のそれぞれでは、液状製剤は、植物による取り込みのために、受動圧又は能動圧下で、ポート４１４を通って送達される。本明細書で前述したように、一例では、液状製剤は、例えば、液状製剤を特定の圧力まで加圧し且つ液状製剤を１つ以上の注入器具、例えばポート４１４及びリザーバ４２２を通して分配するための注入器具４００へ提供するポンプ、ブラダーなどを経由して「能動」圧によって提供される。別の例では、液状製剤は、例えば静水圧、毛細管作用などを経由して、注入器具４００へ「受動」式に送達される。液状製剤は分配リザーバ４２２（図３３では）に受け入れられ、且つ植物組織は時間をかけて液状製剤を吸収する。植物内に保持される１つ以上の分配ポートを含む設計のそれぞれでは、液状製剤は、一例では、植物組織に受動的に提供される。従って、流体の加圧及び対応する漏れなどは最小限にされる（例えば、なくされる又は最小限にされる）。その代わりに、注入器具は、植物組織と組み合わせて、植物組織内に液状製剤が滞留するための密閉又は閉鎖環境を提供する。例えば受動圧下で送達された液状製剤の滞留は、植物への被害の変化、植物からの漏れなどを増加させ得るように流体を他の方法で能動的に加圧することなく、液状製剤の植物組織への分配及び植物組織による吸収を容易にする。
【０１６８】
本開示に関連して用いられ得る多数の有効成分が、一般的に、当業者に利用可能である。それらの「一般名」によって本明細書で特定される有効成分は、例えば、Ｔｈｅ  Ｐｅｓｔｉｃｉｄｅ  Ｍａｎｕａｌ（ｌ８ｔｈ  ｅｄｉｔｉｏｎ，Ｅｄ．Ｄｒ．Ｊ  Ａ  Ｔｕｒｎｅｒ（２０１８）、これは、いくつかある作用物質の中で特に、除草剤、殺菌・殺カビ剤、殺虫剤、殺ダニ剤、抗線虫薬、植物成長調整物質、防虫剤、共力剤を含む））において知られており、且つ説明されており、又はインターネットで検索され得る（例えば、ａｌａｎｗｏｏｄ．ｎｅｔ／ｐｅｓｔｉｃｉｄｅｓ）。さらに、有効成分は、化合物及び組成物の以下の群から選択され得る：
１．殺菌・殺カビ剤
１．１  呼吸阻害剤
１．１．１  Ｑｏ部位の複合体ＩＩＩの阻害剤、例えば、アゾキシストロビン、クメトキシストロビン（ｃｏｕｍｅｔｈｏｘｙｓｔｒｏｂｉｎ）、クモキシストロビン（ｃｏｕｍｏｘｙｓｔｒｏｂｉｎ）、ジモキシストロビン（ｄｉｍｏｘｙｓｔｒｏｂｉｎ）、エネストロブリン（ｅｎｅｓｔｒｏｂｕｒｉｎ）、フェナミンストロビン（ｆｅｎａｍｉｎｓｔｒｏｂｉｎ）、フェノキシスロビン（ｆｅｎｏｘｙｓｔｒｏｂｉｎ）／フルフェノキシスロビン（ｆｌｕｆｅｎｏｘｙｓｔｒｏｂｉｎ）、フルオキサストロビン（ｆｌｕｏｘａｓｔｒｏｂｉｎ）、クレソキシム−メチル（ｋｒｅｓｏｘｉｍ−ｍｅｔｈｙｌ）、メトミノストロビン、オリサストロビン、ピコキシストロビン（ｐｉｃｏｘｙｓｔｒｏｂｉｎ）、ピラクロストロビン、ピラメトストロビン（ｐｙｒａｍｅｔｏｓｔｒｏｂｉｎ）、ピラオ−キシストロビン（ｐｙｒａｏ−ｘｙｓｔｒｏｂｉｎ）、トリフロキシストロビン（ｔｒｉｆｌｏｘｙｓｔｒｏｂｉｎ）、ピリベンカルブ（ｐｙｒｉｂｅｎｃａｒｂ）、トリクロピリカルブ（ｔｒｉｃｌｏｐｙｒｉｃａｒｂ）／クロロジンカルブ（ｃｈｌｏｒｏｄｉｎｃａｒｂ）、ファモキサドン（ｆａｍｏｘａｄｏｎｅ）、及び／又はフェナミドン（ｆｅｎａｍｉｄｏｎｅ）；
１．１．２  Ｑｉ部位の複合体ＩＩＩの阻害剤：シアゾファミド（ｃｙａｚｏｆａｍｉｄ）及び／又はアミスルブロム；
１．１．３  複合体ＩＩの阻害剤：フルトラニル、ベノダニル（ｂｅｎｏｄａｎｉｌ）、ビキサフェン（ｂｉｘａｆｅｎ）、ボスカリド、カルボキシン、フェンフラム（ｆｅｎｆｕｒａｍ）、フルオピラム（ｆｌｕｏｐｙｒａｍ）、フルトラニル、フルキサピロキサド（ｆｌｕｘａｐｙｒｏｘａｄ）、フラメトピル（ｆｌｕｏｐｙｒａｍ）、イソピラザム、メプロニル、オキシカルボキシン、ペンフルフェン（ｐｅｎｆｌｕｆｅｎ）、ペンチオピラド（ｐｅｎｔｈｉｏｐｙｒａｄ）、セダキサン（ｓｅｄａｘａｎｅ）、テクロフタラム（ｔｅｃｌｏｆｔａｌａｍ）及び／又はチフルザミド（ｔｈｉｆｌｕｚａｍｉｄｅ）；
１．１．４  他の呼吸阻害剤（例えば複合体Ｉ、脱共役剤）：ジフルメトリム；
１．１．５  ニトロフェニル誘導体：ビナパクリル、ジノブトン（ｄｉｎｏｂｕｔｏｎ）、ジノカップ（ｄｉｎｏｃａｐ）、フルアジナム（ｆｌｕａｚｉｎａｍ）；フェリムゾン；有機金属化合物：酢酸トリフェニルスズ、塩化トリフェニルスズ及び／又は水酸化トリフェニルスズ；アメトクトラジン；及び／又はシルチオファム（ｓｉｌｔｈｉｏｆａｍ）；
１．２  ステロール生合成阻害剤（Ｓｔｅｒｏｌ  ｂｉｏｓｙｎｔｈｅｓｉｓ  ｉｎｈｉｂｉｔｏｒｓ）（ＳＢＩ殺菌・殺カビ剤）
１．２．１．Ｃ１４デメチラーゼ阻害剤（ＤＭＩ殺菌・殺カビ剤）：トリアゾール：アザコナゾール、ビテルタノール、ブロムコナゾール、シプロコナゾール、ジフェノコナゾール、ジニコナゾール（ｄｉｎｉｃｏｎａｚｏｌｅ）、ジニコナゾール−Ｍ、エポキシコナゾール、フェンブコナゾール、フルキンコナゾール、フルシラゾール、フルトリアホール（ｆｌｕｔｒｉａｆｏｌ）、ヘキサコナゾール、イミベンコナゾール、イプコナゾール（ｉｐｃｏｎａｚｏｌｅ）、メトコナゾール、ミクロブタニル（ｍｙｃｌｏｂｕｔａｎｉｌ）、オキスポコナゾール、パクロブトラゾール（ｐａｃｌｏｂｕｔｒａｚｏｌｅ）、ペンコナゾール、プロピコナゾール、プロチオコナゾール（ｐｒｏｔｈｉｏｃｏｎａｚｏｌｅ）、シメコナゾール、テブコナゾール、テトラコナゾール、トリアジメホン（ｔｒｉａｄｉｍｅｆｏｎ）、トリアジメノール（ｔｒｉａｄｉｍｅｎｏｌ）、トリチコナゾール（ｔｒｉｔｉｃｏｎａｚｏｌｅ）及び／又はウニコナゾール；
１．２．２  イミダゾール：イマザリル（ｉｍａｚａｌｉｌ）、ペフラゾエート（ｐｅｆｕｒａｚｏａｔｅ）、プロクロラズ（ｐｒｏｃｈｌｏｒａｚ）、トリフルミゾール（ｔｒｉｆｌｕｍｉｚｏｌ）；ピリミジン、ピリジン及びピペラジン：フェナリモル、ヌアリモル（ｎｕａｒｉｍｏｌ）、ピリフェノックス（ｐｙｒｉｆｅｎｏｘ）、トリホリン；デルタ１４−レダクターゼ阻害剤：アルジモルフ（ａｌｄｉｍｏｒｐｈ）、ドデモルフ（ｄｏｄｅｍｏｒｐｈ）、酢酸ドデモルフ、フェンプロピモルフ（ｆｅｎｐｒｏｐｉｍｏｒｐｈ）、トリデモルフ（ｔｒｉｄｅｍｏｒｐｈ）、フェンプロピジン（ｆｅｎｐｒｏｐｉｄｉｎ）、ピペラリン、スピロキサミン（ｓｐｉｒｏｘａｍｉｎｅ）；３−ケトレダクターゼの阻害剤：フェンヘキサミド；
１．３  核酸合成阻害剤：
１．３．１  フェニルアミド又はアシルアミノ酸殺菌・殺カビ剤：ベナラキシル（ｂｅｎａｌａｘｙｌ）、ベナラキシル−Ｍ、キララキシル（ｋｉｒａｌ−ａｘｙｌ）、メタラキシル（ｍｅｔａｌａｘｙｌ）、オフラセ（ｏｆｕｒａｃｅ）、オキサジキシル（ｏｘａｄｉｘｙｌ）；他：ヒメキサゾール（ｈｙｍｅｘａｚｏｌｅ）、オクチリノン（ｏｃｔｈｉｌｉｎｏｎｅ）、オキソリン酸、ブピリメート及び／又は５−フルオロシトシン；
１．４  細胞分裂及び細胞骨格の阻害剤
１．４．１  チューブリン阻害剤：ベンズイミダゾール、チオファネート（ｔｈｉｏｐｈａｎａｔｅｓ）：ベノミル、カルベンダジム、フベリダゾール（ｆｕｂｅｒｉｄａｚｏｌｅ）、チアベンダゾール、チオファネート−メチル；トリアゾロピリミジン（ｔｒｉａｚｏｌｏｐｙｒｉｍｉｄｉｎｅｓ）：
１．４．２  細胞分裂阻害剤：ジエトフェンカルブ（ｄｉｅｔｈｏｆｅｎｃａｒｂ）、エタボキサム、ペンシクロン、フルオピコリド（ｆｌｕｏｐｉｃｏｌｉｄｅ）、ゾキサミド（ｚｏｘａｍｉｄｅ）、メトラフェノン（ｍｅｔｒａｆｅｎｏｎｅ）及び／又はピリオフェノン；
１．５  アミノ酸及びタンパク質合成の阻害剤
１．５．１  メチオニン合成阻害剤（アニリノ−ピリミジン）：シプロジニル、メパニピリム、ピリメタニル；タンパク質合成阻害剤：ブラストサイジン（ｂｌａｓｔｉｃｉｄｉｎ）−Ｓ、カスガマイシン、カスガマイシン塩酸塩−水和物、ミルジオマイシン（ｍｉｌｄｉｏｍｙｃｉｎ）、ストレプトマイシン、オキシテトラサイクリン（ｏｘｙｔｅｔｒａｃｙｃｌｉｎ）、ポリオキシン（ｐｏｌｙｏｘｉｎｅ）、バリダマイシンＡ；
１．６．シグナル伝達阻害剤
１．６．１  ＭＡＰ／ヒスチジンキナーゼ阻害剤：フルオロイミド（ｆｌｕｏｒｏｉｍｉｄ）、イプロジオン、プロシミドン、ビンクロゾリン、フェンピクロニル（ｆｅｎｐｉｃｌｏｎｉｌ）、フルジオキソニル；Ｇタンパク質阻害剤：キノキシフェン；
１．７  脂質及び膜合成阻害剤
１．７．１  リン脂質生合成阻害剤：エジフェンホス（ｅｄｉｆｅｎｐｈｏｓ）、イプロベンホス（ｉｐｒｏｂｅｎｆｏｓ）、ピラゾホス、イソプロチオラン（ｉｓｏｐｒｏｔｈｉｏｌａｎｅ）；脂質過酸化反応：ジクロラン、キントゼン（ｑｕｉｎｔｏｚｅｎｅ）、テクナゼン（ｔｅｃｎａｚｅｎｅ）、トルクロホス−メチル、ビフェニル、クロロネブ（ｃｈｌｏｒｏｎｅｂ）、エトリジアゾール；リン脂質生合成及び細胞壁沈着：ジメトモルフ、フルモルフ（ｆｌｕｍｏｒｐｈ）、マンジプロパミド（ｍａｎｄｉｐｒｏｐａｍｉｄ）、ピリモルフ（ｐｙｒｉｍｏｒｐｈ）、ベンチアバリカルブ（ｂｅｎｔｈｉａｖａｌｉｃａｒｂ）、イプロバリカルブ（ｉｐｒｏｖａｌｉｃａｒｂ）、バリフェナレート（ｖａｌｉｆｅｎａｌａｔｅ）；
１．７．２  細胞膜透過性及び脂肪酸に影響を及ぼす化合物：プロパモカルブ、プロパモカルブ−塩酸塩脂肪酸アミド（ｐｒｏｐａｍｏｃａｒｂ−ｈｙｄｒｏｃｈｌｏｒｉｄｆａｔｔｙ  ａｃｉｄ  ａｍｉｄｅ）
１．８  多部位作用による阻害剤
１．８．１  無機活性物質：ボルドー液、酢酸銅、水酸化銅、塩基性塩化銅（ｃｏｐｐｅｒ  ｏｘｙｃｈｌｏｒｉｄｅ）、塩基性硫酸銅、硫黄；チオ−及びジチオカルバメート：フェルバム（ｆｅｒｂａｍ）、マンコゼブ（ｍａｎｃｏｚｅｂ）、マンネブ（ｍａｎｅｂ）、メタム（ｍｅｔａｍ）、メチラム（ｍｅｔｉｒａｍ）、プロピネブ（ｐｒｏｐｉｎｅｂ）、チラム（ｔｈｉｒａｍ）、ジネブ（ｚｉｎｅｂ）、ジラム（ｚｉｒａｍ）；有機塩素化合物（例えばフタルイミド、スルファミド、クロロニトリル）：アニラジン、クロロタロニル、カプタホール、カプタン、フォルペット、ジクロフルアニド（ｄｉｃｈｌｏｆｌｕａｎｉｄ）、ジクロロフェン、ヘキサクロロベンゼン、ペンタクロロフェノール（ｐｅｎｔａｃｈｌｏｒｐｈｅｎｏｌｅ）及びその塩、フタリド、トリルフルアニド、並びに他：グアニジン、ドジン、ドジン遊離塩基（ｄｏｄｉｎｅ  ｆｒｅｅ  ｂａｓｅ）、グアザチン（ｇｕａｚａｔｉｎｅ）、グアザチン−アセテート、イミノクタジン、イミノクタジン−三酢酸塩（ｉｍｉｎｏｃｔａｄｉｎｅ−ｔｒｉａｃｅｔａｔｅ）、イミノクタジントリス（アルベシレート）（Ｉｍｉｎｏｃｔａｄｉｎｅｔｒｉｓ（ａｌｂｅｓｉｌａｔｅ））、ジチアノン（ｄｉｔｈｉａｎｏｎ）；
１．９  細胞壁合成阻害剤
１．９．１  グルカン合成の阻害剤：バリダマイシン、ポリオキシンＢ；メラニン合成阻害剤：ピロキロン、トリシクラゾール（ｔｒｉｃｙｃｌａｚｏｌｅ）、カルプロパミド、ジシクロメット（ｄｉｃｙｃｌｏｍｅｔ）及び／又はフェノキサニル（ｆｅｎｏｘａｎｉｌ）；
１．１０  植物防御誘導物質
１．１０．１  アシベンゾラール−Ｓ−メチル、プロベナゾール、イソチアニル、チアジニル（ｔｉａｄｉｎｉｌ）、プロヘキサジオン−カルシウム；ホスホネート：ホセチル（ｆｏｓｅｔｙｌ）、ホセチル−アルミニウム、亜リン酸及びその塩；
１．１１  未知の作用様式
１．１１．１  ブロノポール、キノメチオネート（ｃｈｉｎｏｍｅｔｈｉｏｎａｔ）、シフルフェナミド、シモキサニル、ダゾメット、デバカルブ（ｄｅｂａｃａｒｂ）、ジクロメジン（ｄｉｃｌｏｍｅｚｉｎｅ）、ジフェンゾコート（ｄｉｆｅｎｚｏｑｕａｔ）、ジフェンゾコート−メチルスルフェート、ジフェニルアミン（ｄｉｐｈｅｎｙｌａｍｉｎ）、フェンピラザミン、フルメトベル（ｆｌｕｍｅｔｏｖｅｒ）、フルスルファミド、フルチアニル（ｆｌｕｔｉａｎｉｌ）、メタスルホカルブ（ｍｅｔｈａｓｕｌｆｏｃａｒｂ）、ニトラピリン、ニトロタール−イソプロピル、オキシン−銅、ピカルブトラゾクス、プロキナジド（ｐｒｏｑｕｉｎａｚｉｄ）、テブフロキン、テクロフタラム及び／又はトリアゾキシド（ｔｒｉａｚｏｘｉｄｅ）；
１．１２  抗菌・カビ性生物的防除剤：アンペロミセス・キスカリス（Ａｍｐｅｌｏｍｙｃｅｓ  ｑｕｉｓｑｕａｌｉｓ）（例えばＩｎｔｒａｃｈｅｍ  Ｂｉｏ  ＧｍｂＨ  ＆  Ｃｏ．ＫＧ、ＧｅｒｍａｎｙからのＡＱ  １０（登録商標））、アスペルギルス・フラバス（Ａｓｐｅｒｇｉｌｌｕｓ  ｆｌａｖｕｓ）（例えばＳｙｎｇｅｎｔａ、ＣＨからのＡＦＬＡＧＵＡＲＤ（登録商標））、アウレオバシジウム・プルランス（Ａｕｒｅｏｂａｓｉｄｉｕｍ  ｐｕｌｌｕｌａｎｓ）（例えばｂｉｏ−ｆｅｒｍ  ＧｍｂＨ、ＧｅｒｍａｎｙからのＢＯＴＥＣＴＯＲ（登録商標））、バチルス・プミルス（Ｂａｃｉｌｌｕｓ  ｐｕｍｉｌｕｓ）（例えばＡｇｒａＱｕｅｓｔ  Ｉｎｃ．、ＵＳＡからのＳＯＮＡＴＡ（登録商標）及びＢＡＬＬＡＤ（登録商標）ＰｌｕｓのＮＲＲＬ  Ａｃｃｅｓｓｉｏｎ  Ｎｏ．Ｂ−３００８７）、枯草菌（Ｂａｃｉｌｌｕｓ  ｓｕｂｔｉｌｉｓ）（例えばＡｇｒａＱｕｅｓｔ  Ｉｎｃ．、ＵＳＡからのＲＨＡＰＳＯＤＹ（登録商標）、ＳＥＲＥＮＡＤＥ（登録商標）ＭＡＸ及びＳＥＲＥＮＡＤＥ（登録商標）ＡＳＯの分離株（ｉｓｏｌａｔｅ）ＮＲＲＬ−Ｎｒ．Ｂ−２１６６１）、枯草菌変種アミロリケファシエンス（Ｂａｃｉｌｌｕｓ  ｓｕｂｔｉｌｉｓ  ｖａｒ．ａｍｙｌｏｌｉｑｕｅｆａｃｉｅｎｓ）ＦＺＢ２４（例えばＮｏｖｏｚｙｍｅ  Ｂｉｏｌｏｇｉｃａｌｓ，Ｉｎｃ．、ＵＳＡからのＴＡＥＧＲＯ（登録商標））、カンジダ・オレオフィラ（Ｃａｎｄｉｄａ  ｏｌｅｏｐｈｉｌａ）１−８２（例えばＥｃｏｇｅｎ  Ｉｎｃ．、ＵＳＡからのＡＳＰＩＲＥ（登録商標））、カンジダ・サイトアナ（Ｃａｎｄｉｄａ  ｓａｉｔｏａｎａ）（例えばＢＩＯＣＵＲＥ（登録商標）（リゾチームとの混合物中）及びＭｉｃｒｏ  Ｆｌｏ  Ｃｏｍｐａｎｙ、ＵＳＡ（ＢＡＳＦ  ＳＥ）及びＡｒｙｓｔａからのＢＩＯＣＯＡＴ（登録商標））、キトサン（例えばＢｏｔｒｉＺｅｎ  Ｌｔｄ．、ＮＺからのＡＲＭＯＵＲ−ＺＥＮ）、クロノスタキス・ロゼアｆ．カテヌラータ（Ｃｌｏｎｏｓｔａｃｈｙｓ  ｒｏｓｅａ  ｆ．ｃａｔｅｎｕｌａｔａ）、グリオクラジウム・カテヌラタム（Ｇｌｉｏｃｌａｄｉｕｍ  ｃａｔｅｎｕｌａｔｕｍ）とも呼ばれる）（例えば分離株（ｉｓｏｌａｔｅ）Ｊ１４４６：Ｖｅｒｄｅｒａ、ＦｉｎｌａｎｄからのＰＲＥＳＴＯＰ（登録商標））、コニオチリウム・ミニタンス（Ｃｏｎｉｏｔｈｙｒｉｕｍ  ｍｉｎｉｔａｎｓ）（例えばＰｒｏｐｈｙｔａ、ＧｅｒｍａｎｙからのＣＯＮＴＡＮＳ（登録商標））、クリフォネクトリア・パラシチカ（Ｃｒｙｐｈｏｎｅｃｔｒｉａ  ｐａｒａｓｉｔｉｃａ）（例えばＣＮＩＣＭ、ＦｒａｎｃｅからのＥｎｄｏｔｈｉａ  ｐａｒａｓｉｔｉｃａ）、クリプトコッカス・アルビダス（Ｃｒｙｐｔｏｃｏｃｃｕｓ  ａｌｂｉｄｕｓ）（例えばＡｎｃｈｏｒ  Ｂｉｏ−Ｔｅｃｈｎｏｌｏｇｉｅｓ、Ｓｏｕｔｈ  ＡｆｒｉｃａからのＹＩＥＬＤ  ＰＬＵＳ（登録商標））、フザリウム・オキシスポラム（Ｆｕｓａｒｉｕｍ  ｏｘｙｓｐｏｒｕｍ）（例えばＳ．Ｉ．Ａ．Ｐ．Ａ．、ＩｔａｌｙからのＢＩＯＦＯＸ（登録商標）、Ｎａｔｕｒａｌ  Ｐｌａｎｔ  Ｐｒｏｔｅｃｔｉｏｎ、ＦｒａｎｃｅからのＦＵＳＡＣＬＥＡＮ（登録商標））、メツシュニコウィア・フルクチコラ（Ｍｅｔｓｃｈｎｉｋｏｗｉａ  ｆｒｕｃｔｉｃｏｌａ）（例えばＡｇｒｏｇｒｅｅｎ、ＩｓｒａｅｌからのＳＨＥＭＥＲ（登録商標））、ミクロドキウム・ジメルム（Ｍｉｃｒｏｄｏｃｈｉｕｍ  ｄｉｍｅｒｕｍ）（例えばＡｇｒａｕｘｉｎｅ、ＦｒａｎｃｅからのＡＮＴＩＢＯＴ（登録商標））、フレビオプシス・ギガンテア（Ｐｈｌｅｂｉｏｐｓｉｓ  ｇｉｇａｎｔｅａ）（例えばＶｅｒｄｅｒａ、ＦｉｎｌａｎｄからのＲＯＴＳＯＰ（登録商標））、シュードザイマ・フロキュローサ（Ｐｓｅｕｄｏｚｙｍａ  ｆｌｏｃｃｕｌｏｓａ）（例えばＰｌａｎｔ  Ｐｒｏｄｕｃｔｓ  Ｃｏ．Ｌｔｄ．、ＣａｎａｄａからのＳＰＯＲＯＤＥＸ（登録商標））、ピシウム・オリガンドラム（Ｐｙｔｈｉｕｍ  ｏｌｉｇａｎｄｒｕｍ）ＤＶ７４（例えばＲｅｍｅｓｌｏ  ＳＳＲＯ、Ｂｉｏｐｒｅｐａｒａｔｙ、Ｃｚｅｃｈ  Ｒｅｐ．からのＰＯＬＹＶＥＲＳＵＭ（登録商標））、レイノウトリア・サハリネンシス（Ｒｅｙｎｏｕｔｒｉａ  ｓａｃｈｌｉｎｅｎｓｉｓ）（例えばＭａｒｒｏｎｅ  Ｂｉｏ−Ｉｎｎｏｖａｔｉｏｎｓ、ＵＳＡからのＲＥＧＡＬＩＡ（登録商標））、タラロマイセス・フラバス（Ｔａｌａｒｏｍｙｃｅｓ  ｆｌａｖｕｓ）Ｖ１１７ｂ（例えばＰｒｏｐｈｙｔａ、ＧｅｒｍａｎｙからのＰＲＯＴＵＳ（登録商標））、トリコデルマ・アスペレラム（Ｔｒｉｃｈｏｄｅｒｍａ  ａｓｐｅｒｅｌｌｕｍ）ＳＫＴ−１（例えばクミアイ化学工業株式会社、日本からのＥＣＯ−ＨＯＰＥ（登録商標））、Ｔ．アトロビリデ（Ｔ．ａｔｒｏｖｉｒｉｄｅ）ＬＣ５２（例えばＡｇｒｉｍｍ  Ｔｅｃｈｎｏｌｏｇｉｅｓ  Ｌｔｄ、ＮＺからのＳＥＮＴＩＮＥＬ（登録商標））、Ｔ．ハルジアナム（Ｔ．ｈａｒｚｉａｎｕｍ）Ｔ−２２（例えばＰＬＡＮＴＳＨＩＥＬＤ（登録商標）ｄｅｒ  Ｆｉｒｍａ  ＢｉｏＷｏｒｋｓ  Ｉｎｃ．、ＵＳＡ）、Ｔ．ハルジアナム（Ｔ．ｈａｒｚｉａｎｕｍ）ＴＨ３５（例えばＭｙｃｏｎｔｒｏｌ  Ｌｔｄ．、ＩｓｒａｅｌからのＲＯＯＴ  ＰＲＯ（登録商標））、Ｔ．ハルジアナム（Ｔ．ｈａｒｚｉａｎｕｍ）Ｔ−３９（例えばＭｙｃｏｎｔｒｏｌ  Ｌｔｄ．、Ｉｓｒａｅｌ及びＭａｋｈｔｅｓｈｉｍ  Ｌｔｄ．、ＩｓｒａｅｌからのＴＲＩＣＨＯＤＥＸ（登録商標）及びＴＲＩＣＨＯＤＥＲＭＡ  ２０００（登録商標））、Ｔ．ハルジアナム（Ｔ．ｈａｒｚｉａｎｕｍ）及びＴ．ビリデ（Ｔ．ｖｉｒｉｄｅ）（例えばＡｇｒｉｍｍ  Ｔｅｃｈｎｏｌｏｇｉｅｓ  Ｌｔｄ、ＮＺからのＴＲＩＣＨＯＰＥＬ）、Ｔ．ハルジアナム（Ｔ．ｈａｒｚｉａｎｕｍ）ＩＣＣ０１２及びＴ．ビリデ（Ｔ．ｖｉｒｉｄｅ）ＩＣＣ０８０（例えばＩｓａｇｒｏ  Ｒｉｃｅｒｃａ、ＩｔａｌｙからのＲＥＭＥＤＩＥＲ（登録商標）ＷＰ）、Ｔ．ポリスポラム（Ｔ．ｐｏｌｙｓｐｏｒｕｍ）及び／又はＴ．ハルジアナム（Ｔ．ｈａｒｚｉａｎｕｍ）（例えばＢＩＮＡＢ  Ｂｉｏ−Ｉｎｎｏｖａｔｉｏｎ  ＡＢ、ＳｗｅｄｅｎからのＢＩＮＡＢ（登録商標））、Ｔ．ストロマチカム（Ｔ．ｓｔｒｏｍａｔｉｃｕｍ）（例えばＣ．Ｅ．Ｐ．Ｌ．Ａ．Ｃ．、ＢｒａｚｉｌからのＴＲＩＣＯＶＡＢ（登録商標））、Ｔ．ビレンス（Ｔ．ｖｉｒｅｎｓ）ＧＬ−２１（例えばＣｅｒｔｉｓ  ＬＬＣ、ＵＳＡからのＳＯＩＬＧＡＲＤ（登録商標））、Ｔ．��リデ（Ｔ．ｖｉｒｉｄｅ）（例えばＥｃｏｓｅｎｓｅ  Ｌａｂｓ．（Ｉｎｄｉａ）Ｐｖｔ．Ｌｔｄ．、ＩｎｄｉｅｎからのＴＲＩＥＣＯ（登録商標）、Ｔ．Ｓｔａｎｅｓ  ＆  Ｃｏ．Ｌｔｄ．、ＩｎｄｉｅｎからのＢＩＯ−ＣＵＲＥ（登録商標）Ｆ）、Ｔ．ビリデ（Ｔ．ｖｉｒｉｄｅ）ＴＶ１（例えばＡｇｒｉｂｉｏｔｅｃ  ｓｒｌ、ＩｔａｌｙからのＴ．ビリデ（Ｔ．ｖｉｒｉｄｅ）ＴＶ１）、ウロクラディウム・オウデマンシ（Ｕｌｏｃｌａｄｉｕｍ  ｏｕｄｅｍａｎｓｉｉ）ＨＲＵ３（例えばＢｏｔｒｙ−Ｚｅｎ  Ｌｔｄ、ＮＺからのＢＯＴＲＹ−ＺＥＮ（登録商標））、ボーベリア・バシアーナ（Ｂｅａｕｖｅｒｉａ  ｂａｓｓｉａｎａ）ＰＰＲＩ  ５３３９（Ｂｅｃｋｅｒ  Ｕｎｄｅｒｗｏｏｄから製品「ＢｒｏａｄＢａｎｄ」として市販されている）、メタリジウム・アニソプリエ（Ｍｅｔａｒｈｉｚｉｕｍ  ａｎｉｓｏｐｌｉａｅ）ＦＩ−１０４５（Ｂｅｃｋｅｒ  Ｕｎｄｅｒｗｏｏｄから製品「ＢｉｏＣａｎｅ」として市販されている）、メタリジウム・アニソプリエ変種アクリジウム（Ｍｅｔａｒｈｉｚｉｕｍ  ａｎｉｓｏｐｌｉａｅ変種ａｃｒｉｄｕｍ）ＦＩ−９８５（Ｂｅｃｋｅｒ  Ｕｎｄｅｒｗｏｏｄから製品「ＧｒｅｅｎＧｕａｒｄ」として市販されている）、及び／又はメメタリジウム・アニソプリエｖａｒ．アクリジウム（Ｍｅｔａｒｈｉｚｉｕｍ  ａｎｉｓｏｐｌｉａｅ  ｖａｒ．ａｃｒｉｄｕｍ）ＩＭＩ  ３３０１８９（Ｂｅｃｋｅｒ  Ｕｎｄｅｒｗｏｏｄから製品「Ｇｒｅｅｎ  Ｍｕｓｃｌｅ」として市販されている）。
【０１６９】
有効成分はまた、タンパク質又は二次代謝産物を含み得る。用語「タンパク質又は二次代謝産物」は、農業用殺虫剤活性を有する微生物の発酵のいずれかの化合物、物質又は副産物を指す。定義は、殺菌・殺カビ又は殺虫を含む農業用殺虫（ｐｅｓｔｏｃｏｄａｌ）活性を有する微生物の発酵のいずれかの化合物、物質又は副産物を含む。そのようなタンパク質又は二次代謝産物の例は、ハーピン（Ｈａｒｐｉｎ）（エルウィニア・アミロボーラ（Ｅｒｗｉｎｉａ  ａｍｙｌｏｖｏｒａ）によって単離される、例えばＨａｒｐ−Ｎ−Ｔｅｋ（商標）、Ｍｅｓｓｅｎｇｅｒ（登録商標）、Ｅｍｐｌｏｙ（商標）、ＰｒｏＡｃｔ（商標）として公知の製品）；及び／又はテルペン成分及びテルペン混合物、すなわちａ−テルピネン、ｐ−シメン及びリモネン（例えばＢａｙｅｒ  ＣｒｏｐＳｃｉｅｎｃｅ  ＬＰ、ＵＳからのＲｅｑｕｉｅｍ（登録商標）として公知の製品）である。
【０１７０】
有用なタンパク質はまた、デフェンシン及び／又はプロテイナーゼ阻害剤などの、菌・カビの標的タンパク質、又は抗菌・カビ活性のある他のタンパク質に対する抗体を含み得る。デフェンシンは、例えば、ラディッシュからのＮａＤ１、ＰｈＤ１Ａ、ＰｈＤ２、Ｔｏｍｄｅｆ２、ＲｓＡＦＰ２、ＲｓＡＦＰ１、ＲｓＡＦＰ３及びＲｓＡＦＰ４、ダリアからのＤｍＡＭＰ１、セイヨウトチノキ（Ａｅｓｃｕｌｕｓ  ｈｉｐｐｏｃａｔａｎｕｍ）からのＭｓＤｅｆ１、ＭｔＤｅｆ２、ＣｔＡＭＰ１、ＰｓＤ１、ＨｓＡＦＰ１、ＶａＤ１、ＶｒＤ２、ＺｍＥＳＲ６、ＡｈＡＭＰ１及びＡｈＡＭＰ４、アルファルファからのＡｆＩＡＦＰ、エンドウ豆からのＮａＤ２、ＡＸ１、ＡＸ２、ＢＳＤ１、ＥＧＡＤ１、ＨｖＡＭＰ１、ＪＩ−２、ＰｇＤ１、ＳＤ２、ＳｏＤ２、ＷＴ１、ｐｌ３９及びｐｌ２３０を含み得る。プロテイナーゼ阻害剤は、以下の種類からのプロテイナーゼ阻害剤を含み得る：セリン−、システイン−、アスパラギン酸−及びメタロプロテイナーゼ阻害剤及びカルボキシペプチダーゼ、例えばＳｔＰｉｎ１Ａ（米国特許第７，４６２，６９５号明細書）又はウシトリプシン阻害剤Ｉ−Ｐ。
【０１７１】
２．殺虫性化合物
２．１  カルバメートの種類からのアセチルコリンエステラーゼ阻害剤：アルジカルブ、アラニカルブ（ａｌａｎｙｃａｒｂ）、ベンジオカルブ、ベンフラカルブ、ブトカルボキシム、ブトキシカルボキシム（ｂｕｔｏｘｙｃａｒｂｏｘｉｍ）、カルバリル、カルボフラン、カルボスルファン、エチオフェンカルブ、フェノブカルブ（ｆｅｎｏｂｕｃａｒｂ）、ホルメタネート（ｆｏｒｍｅｔａｎａｔｅ）、フラチオカルブ（ｆｕｒａｔｈｉｏｃａｒｂ）、イソプロカルブ、メチオカルブ、メソミル、メトルカルブ、オキサミル、ピリミカルブ、プロポクスル（ｐｒｏｐｏｘｕｒ）、チオジカルブ（ｔｈｉｏｄｉｃａｒｂ）、チオファノックス（ｔｈｉｏｆａｎｏｘ）、トリメタカルブ（ｔｒｉｍｅｔｈａｃａｒｂ）、ＸＭＣ、キシリルカルブ（ｘｙｌｙｌｃａｒｂ）及び／又はトリアザメート（ｔｒｉａｚａｍａｔｅ）；
２．２  有機リン酸系（ｏｒｇａｎｏｐｈｏｓｐｈａｔｅｓ）の種類からのアセチルコリンエステラーゼ阻害剤：アセフェート、アザメチホス、アジンホス−エチル、アジンホスメチル、カズサホス、クロルエトキシホス、クロルフェンビンホス、クロルメホス、クロルピリホス、クロルピリホス−メチル、クマホス、シアノホス、デメトン−Ｓ−メチル、ダイアジノン、ジクロルボス／ＤＤＶＰ、ジクロトホス、ジメトエート、ジメチルビンホス（ｄｉｍｅｔｈｙｌｖｉｎｐｈｏｓ）、ジスルホトン、ＥＰＮ、エチオン、エトプロホス、ファムフール（ｆａｍｐｈｕｒ）、フェナミホス、フェニトロチオン、フェンチオン、ホスチアゼート、ヘプテノホス、イミシアホス、イソフェンホス、イソプロピルＯ−（メトキシアミノチオ−ホスホリル（ｍｅｔｈｏｘｙａｍｉｎｏｔｈｉｏ−ｐｈｏｓｐｈｏｒｙｌ））サリチレート、イソキサチオン、マラチオン、メカルバム、メタミドホス、メチダチオン、メビンホス（ｍｅｖｉｎｐｈｏｓ）、モノクロトホス、ナラド（ｎａｌａｄ）、オメトエート、オキシデメトン−メチル、パラチオン、パラチオン−メチル、フェントエート、ホレート、ホサロン、ホスメット、ホスファミドン（ｐｈｏｓｐｈａｍｉｄｏｎ）、ホキシム、ピリミホス−メチル、プロフェノホス、プロペタンホス、プロチオホス、ピラクロホス、ピリダフェンチオン、キナルホス、スルホテップ（ｓｕｌｆｏｔｅｐ）、テブピリムホス、テメホス（ｔｅｍｅｐｈｏｓ）、テルブホス（ｔｅｒｂｕｆｏｓ）、テトラクロルビンホス（ｔｅｔｒａｃｈｌｏｒｖｉｎｐｈｏｓ）、チオメトン、トリアゾホス（ｔｒｉａｚｏｐｈｏｓ）、トリクロルホン及び／又はバミドチオン；
２．３  ＧＡＢＡ−依存性クロライドチャンネルンタゴニスト（ＧＡＢＡ−ｇａｔｅｄ  ｃｈｌｏｒｉｄｅ  ｃｈａｎｎｅｌ  ａｎｔａｇｏｎｉｓｔｓ）
２．４  シクロジエン有機塩素化合物：エンドスルファン（ｅｎｄｏｓｕｌｆａｎ）；又はＭ−２．Ｂフィプロール（ｆｉｐｒｏｌｅｓ）（フェニルピラゾール）：エチプロール、フィプロニル、フルフィプロール（ｆｌｕｆｉｐｒｏｌｅ）、ピラフルプロール（ｐｙｒａｆｌｕｐｒｏｌｅ）、又はピリプロール；
２．５  ピレスロイドの種類からのナトリウムチャンネルモジュレータ：アクリナトリン、アレスリン、ｄ−シス−トランスアレスリン、ｄ−トランスアレスリン、ビフェントリン、ビオアレスリン（ｂｉｏａｌｌｅｔｈｒｉｎ）、ビオアレスリンＳ−シクロペンテニル（ｃｙｌｃｌｏｐｅｎｔｅｎｙｌ）、ビオレスメトリン（ｂｉｏｒｅｓｍｅｔｈｒｉｎ）、シクロプロトリン、シフルトリン、ベータシフルトリン、シハロトリン、ラムダ−シハロトリン、ガンマ−シハロトリン、シペルメトリン、アルファ−シペルメトリン、ベータ−シペルメトリン、シータ−シペルメトリン、ゼータ−シペルメトリン、シフェノトリン、デルタメトリン、モンフルオロトリン（ｍｏｍｆｌｕｏｒｏｔｈｒｉｎ）、エンペントリン、エスフェンバレレート、エトフェンプロックス、フェンプロパトリン、フェンバレレート、フルシトリネート、フルメトリン、タウ−フルバリネート、ハルフェンプロックス、イミプロトリン、メパーフルトリン、メトフルトリン、ペルメトリン、フェノトリン、プラレスリン、プロフルトリン（ｐｒｏｆｌｕｔｈｒｉｎ）、ピレトリン（ｐｙｒｅｔｈｒｉｎ）（除虫菊剤（ｐｙｒｅｔｈｒｕｍ））、レスメトリン、シラフルオフェン、テフルトリン、テトラメチルフルトリン、テトラメトリン、トラロメトリン、トランスフルトリン、ＤＤＴ及び／又はメトキシクロール；
２．６  ネオニコチノイドの種類からのニコチン性アセチルコリン受容体作用薬：アセタミプリド、クロチアニジン、シクロキサプリド（ｃｙｃｌｏｘａｐｒｉｄ）、ジノテフラン、フルピラジフロン、イミダクロプリド、ニテンピラム、スルホキサフロル（ｓｕｌｆｏｘａｆｌｏｒ）、チアクロプリド及び／又はチアメトキサム；
２．７  スピノシン（ｓｐｉｎｏｓｙｎｓ）の種類からのアロステリックニコチン性アセチルコリン受容体アクチベータ：スピノサド（ｓｐｉｎｏｓａｄ）、スピネトラム（ｓｐｉｎｅｔｏｒａｍ）；
２．８  メクチンの種類からのクロライドチャンネルアクチベータ：アバメクチン、エマメクチン安息香酸塩（ｅｍａｍｅｃｔｉｎ  ｂｅｎｚｏａｔｅ）、イベルメクチン、レピメクチン及び／又はミルベメクチン（ｍｉｌｂｅｍｅｃｔｉｎ）；
２．９  幼若ホルモン類似体：ヒドロプレン、キノプレン、メトプレン、フェノキシカルブ及び／又はピリプロキシフェン；
２．１０  非特異的多部位阻害剤：臭化メチル及び他のハロゲン化アルキル、クロロピクリン、フッ化スルフリル、ホウ砂及び／又は吐酒石；
２．１１  選択的同翅類摂食阻害薬（Ｓｅｌｅｃｔｉｖｅ  ｈｏｍｏｐｔｅｒａｎ  ｆｅｅｄｉｎｇ  ｂｌｏｃｋｅｒｓ）：ピメトロジン（ｐｙｍｅｔｒｏｚｉｎｅ）、フロニカミド及び／又はピリフルキナゾン；
２．１２  ダニ類成長阻害剤：クロフェンテジン、ヘキシチアゾクス（ｈｅｘｙｔｈｉａｚｏｘ）、ジフロビダジン（ｄｉｆｌｏｖｉｄａｚｉｎ）及び／又はエトキサゾール；
２．１３  ミトコンドリアＡＴＰ合成酵素の阻害剤：ジアフェンチウロン（ｄｉａｆｅｎｔｈｉｕｒｏｎ）、アゾシクロチン、シヘキサチン、フェンブタチンオキシド（ｆｅｎｂｕｔａｔｉｎ  ｏｘｉｄｅ）、プロパルギット及び／又はテトラジホン；
２．１４  酸化的リン酸化の脱共役剤：クロルフェナピル、ＤＮＯＣ及び／又はスルフルラミド；Ｍ−１３ニコチン性アセチルコリン受容体チャンネル遮断薬：ベンスルタップ（ｂｅｎｓｕｌｔａｐ）、カルタップ塩酸塩（ｃａｒｔａｐ  ｈｙｄｒｏｃｈｌｏｒｉｄｅ）、チオシクラム（ｔｈｉｏｃｙｃｌａｍ）及び／又はチオスルタップナトリウム（ｔｈｉｏｓｕｌｔａｐ  ｓｏｄｉｕｍ）；
２．１５  キチン生合成タイプ０の阻害剤（ベンゾイル尿素クラス）：ビストリフルロン（ｂｉｓｔｒｉｆｌｕｒｏｎ）、クロルフルアズロン、ジフルベンズロン、フルシクロクスロン（ｆｌｕｃｙｃｌｏｘｕｒｏｎ）、フルフェノクスロン、ヘキサフルムロン、ルフェヌロン、ノバルロン、ノビフルムロン（ｎｏｖｉｆｌｕｍｕｒｏｎ）、テフルベンズロン（ｔｅｆｌｕｂｅｎｚｕｒｏｎ）及び／又はトリフルムロン；
２．１６  キチン生合成タイプ１の阻害剤：ブプロフェジン；
２．１７  脱皮阻害剤（Ｍｏｕｌｔｉｎｇ  ｄｉｓｒｕｐｔｏｒｓ）：シロマジン；
２．１８  エクジソン（Ｅｃｄｙｓｏｎ）受容体作用薬：メトキシフェノジド、テブフェノジド、ハロフェノジド（ｈａｌｏｆｅｎｏｚｉｄｅ）、フフェノジド（ｆｕｆｅｎｏｚｉｄｅ）及び／又はクロマフェノジド；
２．１９  オクトパミン（Ｏｃｔｏｐａｍｉｎ）受容体作用薬：アミトラズ（ａｍｉｔｒａｚ）；
２．２０  ミトコンドリア複合体ＩＩＩ電子伝達系阻害剤：ヒドラメチルノン、アセキノシル（ａｃｅｑｕｉｎｏｃｙｌ）、フロメトキン（ｆｌｏｍｅｔｏｑｕｉｎ）、フルアクリピリム及び／又はピリミノストロビン（ｐｙｒｉｍｉｎｏｓｔｒｏｂｉｎ）；
２．２１  ミトコンドリア複合体Ｉ電子伝達系阻害剤：フェナザキン、フェンピロキシメート、ピリミジフェン、ピリダベン（ｐｙｒｉｄａｂｅｎ）、テブフェンピラド、トルフェンピラド、フルフェネリム（ｆｌｕｆｅｎｅｒｉｍ）及び／又はロテノン；
２．２２  電位依存性ナトリウムチャンネル遮断薬：インドキサカルブ及び／又はメタフルミゾン（ｍｅｔａｆｌｕｍｉｚｏｎｅ）
２．２３  脂質合成阻害剤、アセチルＣｏＡカルボキシラーゼ阻害剤：スピロジクロフェン、スピロメシフェン（ｓｐｉｒｏｍｅｓｉｆｅｎ）及び／又はスピロテトラマット；
２．２４  ミトコンドリア複合体ＩＩ電子伝達系阻害剤：シエノピラフェン、シフルメトフェン（ｃｙｆｌｕｍｅｔｏｆｅｎ）及び／又はピフルブミド（ｐｙｆｌｕｂｕｍｉｄｅ）；
２．２５  ジアミドの種類からのリアノジン受容体−モジュレータ：フルベンジアミド、クロラントラニリプロール（ｃｈｌｏｒａｎｔｈｒａｎｉｌｉｐｒｏｌｅ）（リナキシピル（ｒｙｎａｘｙｐｙｒ））及び／又はシアントラニリプロール（ｃｙａｎｔｈｒａｎｉｌｉｐｒｏｌｅ）（サイアジピル（ｃｙａｚｙｐｙｒ））、
２．２６  他：アフィドピロペン（ａｆｉｄｏｐｙｒｏｐｅｎ）、
２．２７  殺虫性生物学的防除剤：バチルス・フィルムス（Ｂａｃｉｌｌｕｓ  ｆｉｒｍｕｓ）（例えばバチルス・フィルムス（Ｂａｃｉｌｌｕｓ  ｆｉｒｍｕｓ）ＣＮＣＭ１−１５８２、例えば国際公開第０９１２６４７３Ａ１号パンフレット及び国際公開第０９１２４７０７Ａ２号パンフレット、「Ｖｏｔｉｖｏ」として市販されている）及び／又はバシラス・チューリンゲンシス（Ｂａｃｉｌｌｕｓ  ｔｈｕｒｉｎｇｉｅｎｓｉｓ）（Ｂｔ）からのδ−内毒素（δ−ｅｎｄｏｔｏｘｉｎｓ）。
【０１７２】
３．植物成長調整物質：
３．１  抗オーキシン：クロフィブリン酸及び／又は２，３，５−トリ−ヨード安息香酸；
３．２  オーキシン：４−ＣＰＡ、２，４−Ｄ、２，４−ＤＢ、２，４−ＤＥＰ、ジクロルプロップ、フェノプロップ、ＩＡＡ（インドール−３−酢酸）、ＩＢＡ、ナフタレンアセトアミド、α−ナフタレン酢酸、１−ナフトール、ナフトキシ酢酸、ナフテン酸カリウム、ナフテン酸ナトリウム及び／又は２，４，５−Ｔ；
３．３  サイトカイニン：２ｉＰ、６−ベンジルアミノプリン（６−ＢＡ）、２，６−ジメチルピリジン及び／又はキネチン、ゼアチン；
３．４  枯葉剤：カルシウムシアナミド、ジメチピン、エンドタール（ｅｎｄｏｔｈａｌ）、メルホス（ｍｅｒｐｈｏｓ）、メトクスロン（ｍｅｔｏｘｕｒｏｎ）、ペンタクロロフェノール、チジアズロン、トリブホス（ｔｒｉｂｕｆｏｓ）及び／又はトリブチルホスホロトリチオエート；
３．５  エチレンモジュレータ：アビグリシン（ａｖｉｇｌｙｃｉｎｅ）、１−メチルシクロプロペン（１−ＭＣＰ）、プロヘキサジオン（ｐｒｏｈｅｘａｄｉｏｎｅ）（プロヘキサジオンカルシウム）及び／又はトリネキサパック（ｔｒｉｎｅｘａｐａｃ）（トリネキサパック−エチル）；
３．６  エチレン放出物質：ＡＣＣ、エタセラシル（ｅｔａｃｅｌａｓｉｌ）、エテホン（ｅｔｈｅｐｈｏｎ）、グリオキシム；ジベレリン（Ｇｉｂｂｅｒｅｌｌｉｎｓ）：ジベレリン（Ｇｉｂｂｅｒｅｌｌｉｎｅ）、ジベレリン酸；
３．７  成長阻害剤：アブシジン酸、アンシミドール（ａｎｃｙｍｉｄｏｌ）、ブトラリン（ｂｕｔｒａｌｉｎ）、カルバリル、クロルホニウム（ｃｈｌｏｒｐｈｏｎｉｕｍ）、クロルプロファム、ジケグラック（ｄｉｋｅｇｕｌａｃ）、フルメトラリン（ｆｌｕｍｅｔｒａｌｉｎ）、フルオリドアミド（ｆｌｕｏｒｉｄａｍｉｄ）、ホサミン（ｆｏｓａｍｉｎｅ）、グリホシン（ｇｌｙｐｈｏｓｉｎｅ）、イソピリモル（ｉｓｏｐｙｒｉｍｏｌ）、ジャスモン酸、マレイン酸ヒドラジド、メピコート（ｍｅｐｉｑｕａｔ）（メピコートクロリド（ｍｅｐｉｑｕａｔ  ｃｈｌｏｒｉｄｅ）、メピコートペンタボレート（ｍｅｐｉｑｕａｔ  ｐｅｎｔａｂｏｒａｔｅ））、ピプロクタニル（ｐｉｐｒｏｃｔａｎｙｌ）、プロヒドロジャスモン、プロファム（ｐｒｏｐｈａｍ）及び／又は２，３，５−トリ−ヨード安息香酸；
３．８  モルファクチン（Ｍｏｒｐｈａｃｔｉｎｓ）：クロルフルレン（ｃｈｌｏｒｆｌｕｒｅｎ）、クロルフルレノール（ｃｈｌｏｒｆｌｕｒｅｎｏｌ）、ジクロルフルレノール（ｄｉｃｈｌｏｒｆｌｕｒｅｎｏｌ）及び／又はフルレノール（ｆｌｕｒｅｎｏｌ）；
３．９  成長抑制剤：クロルメコート（ｃｈｌｏｒｍｅｑｕａｔ）（クロルメコートクロリド（ｃｈｌｏｒｍｅｑｕａｔ  ｃｈｌｏｒｉｄｅ））、ダミノジド、フルルプリミドール（ｆｌｕｒｐｒｉｍｉｄｏｌ）、メフルイジド（ｍｅｆｌｕｉｄｉｄｅ）、パクロブトラゾール、テトシクラシス（ｔｅｔｃｙｃｌａｃｉｓ）、ウニコナゾール及び／又はメトコナゾール；
３．１０  成長促進剤：ブラシノリド、フォルクロルフェヌロン及び／又はヒメキサゾール；
３．１１  未分類の植物成長調整物質／分類不明：アミドクロル（ａｍｉｄｏｃｈｌｏｒ）、ベンゾフルオル（ｂｅｎｚｏｆｌｕｏｒ）、ブミナホス（ｂｕｍｉｎａｆｏｓ）、カルボン、塩化コリン、チオブチド（ｃｉｏｂｕｔｉｄｅ）、クロフェンセット（ｃｌｏｆｅｎｃｅｔ）、クロキシホナック、シアナミド、シクラニリド（ｃｙｃｌａｎｉｌｉｄｅ）、シクロヘキシミド、シプロスルファミド（ｃｙｐｒｏｓｕｌｆａｍｉｄｅ）、エポコレオン（ｅｐｏｃｈｏｌｅｏｎｅ）、エチクロゼート（ｅｔｈｙｃｈｌｏｚａｔｅ）、エチレン、フェンリダゾン（ｆｅｎｒｉｄａｚｏｎ）、フルルプリミドール（ｆｌｕｐｒｉｍｉｄｏｌ）、フルチアセット（ｆｌｕｔｈｉａｃｅｔ）、ヘプトパルギル（ｈｅｐｔｏｐａｒｇｉｌ）、ホロスルフ（ｈｏｌｏｓｕｌｆ）、イナベンフィド（ｉｎａｂｅｎｆｉｄｅ）、カレタザン（ｋａｒｅｔａｚａｎ）、ヒ酸鉛、メタスルホカルブ、ピダノン（ｐｙｄａｎｏｎ）、シントフェン（ｓｉｎｔｏｆｅｎ）及び／又はトリアペンテノール（ｔｒｉａｐｅｎｔｈｅｎｏｌ）。
【０１７３】
一実施形態では、殺菌・殺カビ化合物は、ジモキシストロビン、ピラクロストロビン、アゾキシストロビン、トリフロキシストロビン、ピコキシストロビン、シアゾファミド、ボスカリド、フルキサピロキサド（Ｆｌｕｏｘａｐｙｒｏｘａｄ）、フルオピラム、ビキサフェン、イソピラザム、ベンゾビンジフルピル（Ｂｅｎｚｏｖｉｎｄｉｆｌｕｐｙｒ）、ペンチオピラド、アメトクトラジン、ジフェノコナゾール、メトコナゾール、プロチオコナゾール、テブコナゾール、プロピコナゾール、シプロコナゾール、ペンコナゾール、ミクロブタニル、テトラコナゾール、ヘキサコナゾール、メトラフェノン、ゾキサミド（Ｚｏｘａｍｉｄ）、ピリメタニル、シプロジニル、メタラキシル、フルジオキソニル、ジメトモルフ、マンジプロパミド、トリシクラゾール、銅、メチラム、クロロタロニル、ジチアノン、フルアジナム、フォルペット、ホセチル−Ａｌ、カプタン、シモキサニル、マンコゼブ、クレソキシム−メチル、オリザストロビン（Ｏｒｙｚａｓｔｒｏｂｉｎ）、エポキシコナゾール、フルキンコナゾール、トリチコナゾール、フェンプロピモルフ及びイプロジオンからなる群から選択される。
【０１７４】
一実施形態では、植物成長調整物質は、６−ベンジルアミノプリン（＝Ｎ−６−ベンジルアデニン）、クロルメコート（クロルメコートクロリド）、塩化コリン、シクラニリド、ジケグラック、ジフルフェンゾピル（ｄｉｆｌｕｆｅｎｚｏｐｙｒ）、ジメチピン、エテホン、フルメトラリン（ｆｌｕｍｅｔｒａｌｉｎ）、フルチアセット、フォルクロルフェヌロン、ジベレリン酸、イナベンフィド、マレイン酸ヒドラジド、メピコート（メピコートクロリド）、１−メチルシクロプロペン（１−ＭＣＰ）、パクロブトラゾール、プロヘキサジオン（プロヘキサジオンカルシウム）、プロヒドロジャスモン、チジアズロン、トリアペンテノール、トリブチルホスホロトリチオエート、トリネキサパック−エチル及びウニコナゾールからなる群から選択される。
【０１７５】
別の実施形態では、有効成分は、バイオ農薬（ｂｉｏ  ｐｅｓｔｉｃｉｄｅ）などの生物学的防除剤である。従来の合成化学物質の農業用殺虫剤と比較して、バイオ農薬は、無毒であり、安全に使用でき、且つ高特異性を有し得る。これらは、病気、線虫及び虫及び他の有害生物を管理するための予防（又は治療的な）ツールとして使用され得る。バイオ農薬は、収穫量に影響を及ぼすことなく、伝統的な化学物質ベースの農業用殺虫剤の使用量を減少させることができる。バイオ農薬（ｂｉｏｌｏｇｉｃａｌ  ｐｅｓｔｉｃｉｄｅｓ）の使用は、食糧及び飼料生産の使用に適合し、及び生物学的作用物質の多くは、消費用に認可されている。これは、有害生物防除が主要で難しい課題となってきている、ワイン、バナナ、カカオ、コーヒー、及び果実の農園などのような食糧生産システムにおいて、一年中、使用できるようにする。一実施形態では、本開示の器具、システム及び方法は、有機農法において用いられる。
【０１７６】
一実施形態では、有効成分は、浸透性（ｓｙｓｔｅｍｉｃ）作用を提供するものである。
【０１７７】
有効成分は、一般的に、本開示による方法によって、植物種への注入／送りに好適であるように配合される。典型的な製剤の例は、水溶性液体（ＳＬ：ｗａｔｅｒ−ｓｏｌｕｂｌｅ  ｌｉｑｕｉｄｓ）、乳剤（ＥＣ：ｅｍｕｌｓｉｆｉａｂｌｅ  ｃｏｎｃｅｎｔｒａｔｅｓ）、水中型エマルジョン（ＥＷ：ｅｍｕｌｓｉｏｎｓ  ｉｎ  ｗａｔｅｒ）、濃厚懸濁液（ｓｕｓｐｅｎｓｉｏｎ  ｃｏｎｃｅｎｔｒａｔｅｓ）（ＳＣ、ＳＥ、ＦＳ、ＯＤ）、水分散性顆粒剤（ＷＧ：ｗａｔｅｒ−ｄｉｓｐｅｒｓｉｂｌｅ  ｇｒａｎｕｌｅｓ）及び流体（これは、液体、気体、ゲル、蒸気、エアロゾルなどのうちの１種以上を含む）を含む。これら及び他の考えられるタイプの製剤は、例えば、Ｃｒｏｐ  Ｌｉｆｅ  Ｉｎｔｅｒｎａｔｉｏｎａｌによる、Ｐｅｓｔｉｃｉｄｅ  Ｓｐｅｃｉｆｉｃａｔｉｏｎｓ、Ｍａｎｕａｌ  ｏｎ  ｄｅｖｅｌｏｐｍｅｎｔ  ａｎｄ  ｕｓｅ  ｏｆ  ＦＡＯ  ａｎｄ  ＷＨＯ  ｓｐｅｃｉｆｉｃａｔｉｏｎｓ  ｆｏｒ  ｐｅｓｔｉｃｉｄｅｓ、ＦＡＯ  Ｐｌａｎｔ  Ｐｒｏｄｕｃｔｉｏｎ  ａｎｄ  Ｐｒｏｔｅｃｔｉｏｎ  Ｐａｐｅｒｓ，ｐｒｅｐａｒｅｄ  ｂｙ  ｔｈｅ  ＦＡＯ／ＷＨＯ  Ｊｏｉｎｔ  Ｍｅｅｔｉｎｇ  ｏｎ  Ｐｅｓｔｉｃｉｄｅ  Ｓｐｅｃｉｆｉｃａｔｉｏｎｓ，２００４，ＩＳＢＮ：９２５１０４８５７６；「Ｃａｔａｌｏｇｕｅ  ｏｆ  ｐｅｓｔｉｃｉｄｅ  ｆｏｒｍｕｌａｔｉｏｎ  ｔｙｐｅｓ  ａｎｄ  ｉｎｔｅｒｎａｔｉｏｎａｌ  ｃｏｄｉｎｇ  ｓｙｓｔｅｍ」，Ｔｅｃｈｎｉｃａｌ  Ｍｏｎｏｇｒａｐｈ  Ｎｏ．２，６ｔｈ  Ｅｄ．Ｍａｙ  ２００８，ＣｒｏｐＬｉｆｅ  Ｉｎｔｅｒｎａｔｉｏｎａｌに説明されている。
【０１７８】
組成物は、Ｍｏｌｌｅｔ  ａｎｄ  Ｇｒｕｂｅｍａｎｎ，Ｆｏｒｍｕｌａｔｉｏｎ  ｔｅｃｈｎｏｌｏｇｙ，Ｗｉｌｅｙ  ＶＣＨ，Ｗｅｉｎｈｅｉｍ，２００１；又はＫｎｏｗｌｅｓ，Ｎｅｗ  ｄｅｖｅｌｏｐｍｅｎｔｓ  ｉｎ  ｃｒｏｐ  ｐｒｏｔｅｃｔｉｏｎ  ｐｒｏｄｕｃｔ  ｆｏｒｍｕｌａｔｉｏｎ，Ａｇｒｏｗ  Ｒｅｐｏｒｔｓ  ＤＳ２４３，Ｔ＆Ｆ  Ｉｎｆｏｒｍａ，Ｌｏｎｄｏｎ，２００５に説明されているものなど、公知の方法で準備する。製剤は、例えば、有効成分を、例えば好適な増量剤、溶媒、自発性促進剤（ｓｐｏｎｔａｎｅｉｔｙ  ｐｒｏｍｏｔｅｒｓ）、担体、乳化剤、分散剤、防霜剤（ｆｒｏｓｔ  ｐｒｏｔｅｃｔａｎｔｓ）、殺生物剤、増粘剤、アジュバントなどの１種以上の好適な添加剤と混合することによって準備される。これに関連して、アジュバントは、成分自体が生物学的効果を有するのではなく、製剤の生物学的効果を高める成分である。アジュバントの例は、標的植物での保持、広がり、又は貫入を促す作用物質である。本開示の一実施形態は、補助剤（ａｕｘｉｌｉａｒｙ）が、化学及び／又は物理的安定性を向上させる安定剤、例えば低温安定剤、防腐剤、抗酸化剤、光安定剤又は他の作用物質である状態で、成長シーズンにわたる、植物への有効成分の長期の供給を含む。
【０１７９】
好適な補助剤の例は、溶媒、液体担体、界面活性剤、分散剤、乳化剤、湿潤剤（ｗｅｔｔｅｒｓ）、アジュバント、可溶化剤、貫入エンハンサー、保護コロイド、湿潤剤、忌避剤（ｒｅｐｅｌｌｅｎｔｓ）、誘引剤、摂食刺激物質、相溶化剤、殺菌剤、凍結防止剤、泡立ち防止剤、着色剤、安定剤又は栄養素、紫外線保護剤、粘着付与剤及び／又は結合剤である。これらの補助剤のそれぞれの具体例は、当業者によく知られており、例えば米国特許出願公開第２０１５／０２９６８０１Ａ１号明細書を参照のこと。
【０１８０】
組成物は、任意選択的に、０．１〜８０％の安定剤及び／又は栄養素、及び０．１〜１０％の紫外線保護剤を含み得る。上記で参照した複数の製剤タイプの好適な比の一般的な例は、Ａｇｒｏｗ  Ｒｅｐｏｒｔｓ  ＤＳ２４３、Ｔ＆Ｆ  Ｉｎｆｏｒｍａ、Ｌｏｎｄｏｎ、２００５において与えられている。
【０１８１】
有効成分を適用するとき、その適用は、より長い期間又は間隔にわたって連続的とし得る。適用はまた、病気監視システムと結合され、及び「要求に応じて」トリガーされ得る。
【０１８２】
本発明のシステムは、任意の数の公知の注入プロトコル、例えば、ＰＣＴ出願国際公開第２０１２／１１４１９７号パンフレット又は国際公開第２０１３／１４９９９３号パンフレット（これらを参照することにより本書に援用する）に開示されているものなどと一緒に使用され得る。適切なプロトコルは、ノズルチップ、樹種、標的（虫、線虫、病気、非生物的ストレスなど）、注入流体の構成成分及び／又は粘度、必要な用量及び注入圧力を含む、様々な要因に依存する。
【０１８３】
標的植物への有効成分の取り込み及び分配を促す及び／又は高める浸透剤が使用され得る。この関連では、好適な浸透剤は、一般に植物への活性農業用化合物（ａｃｔｉｖｅ  ａｇｒｏｃｈｅｍｉｃａｌ  ｃｏｍｐｏｕｎｄｓ）の浸透を高めるために使用される全ての物質を含む。例は、アルコールアルコキシレート、例えばココナッツ脂肪エトキシレート（ｃｏｃｏｎｕｔ  ｆａｔｔｙ  ｅｔｈｏｘｙｌａｔｅ）、イソトリデシルエトキシレート、脂肪酸エステル、例えば菜種又は大豆油メチルエステル、脂肪族アミンアルコキシレート、例えば獣脂アミンエトキシレート（ｔａｌｌｏｗａｍｉｎｅ  ｅｔｈｏｘｙｌａｔｅ）、又はアンモニウム塩及び／又はホスホニウム塩、例えば硫酸アンモニウム又はリン酸水素二アンモニウム（ｄｉａｍｍｏｎｉｕｍ  ｈｙｄｒｏｇｅｎ  ｐｈｏｓｐｈａｔｅ）を含む。
【０１８４】
製剤は、製剤の質量に基づいて、０．５質量％〜９０質量％の活性化合物を含み得る。
【０１８５】
ある施用量では、本開示による組成物及び／又は製剤はまた、植物の強化効果を有し得る。「植物−強化」（抵抗性−誘発）物質は、この文脈では、後で有害な微生物が接種されると、処置された植物が、これらの微生物にかなりの程度の抵抗性を示すように、植物の防御系を刺激できる物質又は物質の組み合わせの意味であると理解される。
【０１８６】
いくつかの実施形態では、本開示の注入器具は、植物の茎に挿入される。用語「茎」は、可能な限り最も広い意味で理解され、及び（ｉ）植物に接続された維管束系を含み、且つ（ｉｉ）少なくとも１ｃｍ、例えば少なくとも２ｃｍ又は３ｃｍ、又は少なくとも４ｃｍ又は５ｃｍの直径を有する植物の全ての部分を含む。用語茎（ｓｔｅｍ）は、木の幹及び枝、大きな葉柄を含むだけでなく、密集した葉鞘からなるバナナのような植物の「擬似の茎（ｆａｌｓｅ  ｓｔｅｍｓ）」又は偽茎（ｐｓｅｕｄｏｓｔｅｍｓ）も含む。茎は、木本とも又は非木本ともし得る。
【０１８７】
本主題の開示のプロダクト及び方法の適用例から恩恵を受け得る植物は、樹木作物（Ｔｒｅｅ  Ｃｒｏｐｓ）（例えば、クルミ、アーモンド、ピーカン、ヘーゼルナッツ、ピスタチオなど）、柑橘類の木（ｃｉｔｒｕｓ  ｔｒｅｅｓ）（ミカン属（Ｃｉｔｒｕｓ  ｓｐｐ．）、例えば、オレンジ、レモン、グレープフルーツ、マンダリンなど）、果菜類（Ｆｒｕｉｔ  Ｃｒｏｐｓ）（例えばナシ状果、核果又は柔らかい果物、例えばリンゴ、ナシ、スモモ、桃、サクランボなど）、つる作物（Ｖｉｎｅ  Ｃｒｏｐｓ）（例えば、ブドウ、ブルーベリー、ブラックベリーなど）、コーヒー（コーヒー属（Ｃｏｆｆｅａ  ｓｐｐ．））、ココナッツ（ココス・ヌキフェラ（Ｃｏｃｏｓ  ｉｉｕｃｉｆｅｒａ））、パイナップル（アナナス・コモスス（Ａｎａｎａｓ  ｃｏｍｏｓｕｓ））、カカオ（テオブロマ・カカオ（Ｔｈｅｏｂｒｏｍａ  ｃａｃａｏ））、茶（カメリア・シネンシス（Ｃａｍｅｌｌｉａ  ｓｉｎｅｎｓｉｓ））、バナナ（バショウ属（Ｍｕｓａ  ｓｐｐ．））、クスノキ科植物（ｌａｕｒａｃｅｏｕｓ  ｐｌａｎｔ）（例えばアボカド（パーシー・アメリカーナ（Ｐｅｒｓｅａ  ａｍｅｒｉｃａｎａ））、シナモン又はショウノウ）、イチジク（フィカス・カリカ（Ｆｉｃｕｓ  ｃａｓｉｃａ））、グアバ（シジウム・グアジャバ（Ｐｓｉｄｉｕｍ  ｇｕａｊａｖａ））、マンゴー（マンギフェラ・インディカ（Ｍａｎｇｉｆｅｒａ  ｉｎｄｉｃａ））、オリーブ（オレアユーロパエア（Ｏｌｅａ  ｅｕｒｏｐａｅａ））、パパイア（カリカ・パパイア（Ｃａｒｉｃａ  ｐａｐａｙａ））、カシュー（アナカルディウム・オクシデンタール（Ａｎａｃａｒｄｉｕｍ  ｏｃｃｉｄｅｎｔａｌｅ））、マカダミア（マカダミア・インテグリフォリア（Ｍａｃａｄａｍｉａ  ｉｎｔｅｇｒｉｆｏｌｉａ））、アーモンド（プルヌス・アミュグダルス（Ｐｒｕｎｕｓ  ａｍｙｇｄａｌｕｓ））、天然ゴムの木、ナツメヤシ、オイルパームツリー（ｏｉｌ  ｐａｌｍ  ｔｒｅｅ）、観賞植物、林業（例えば、マツ、トウヒ、ユーカリ、ポプラ、針葉樹など）及び／又はセイヨウツゲ（ｂｏｘ  ｔｒｅｅｓ）から選択される。
【０１８８】
実施形態の実施に用いられ得る針葉樹は、テーダマツ（ｌｏｂｌｏｌｌｙ  ｐｉｎｅ）（ピーヌス・テーダ（Ｐｉｎｕｓ  ｔａｅｄａ））、スラッシュパイン（ピーヌス・エリオッティ（Ｐｉｎｕｓ  ｅｌｌｉｏｔｉｉ））、ポンデローサマツ（ピーヌス・ポンデローサ（Ｐｉｎｕｓ  ｐｏｎｄｅｒｏｓ））、コントルタマツ（ピーヌス・コントルタ（Ｐｉｎｕｓ  ｃｏｎｔｏｒｔａ））、及びラジアータパイン（Ｍｏｎｔｅｒｅｙ  ｐｉｎｅ）（ピーヌス・ラジアータ（Ｐｉｎｕｓ  ｒａｄｉａｔａ））などのマツ；ダグラスモミ（Ｄｏｕｇｌａｓ−ｆｉｒ）（シュードツガ・メンジエシ（Ｐｓｅｕｄｏｔｓｕｇａ  ｍｅｎｚｉｅｓｉｉ））；アメリカツガ（Ｗｅｓｔｅｒｎ  ｈｅｍｌｏｃｋ）（ツガ・カナデンシス（Ｔｓｕｇａ  ｃａｎａｄｅｎｓｉｓ））；シトカトウヒ（Ｓｉｔｋａ  ｓｐｒｕｃｅ）（ピセア・グラウカ（Ｐｉｃｅａ  ｇｌａｕｃａ））；アカスギ（ｒｅｄｗｏｏｄ）（セコイア・センペルビレンス（Ｓｅｑｕｏｉａ  ｓｅｍｐｅｒｖｉｒｅｎｓ））；ヨーロッパモミ（ｓｉｌｖｅｒ  ｆｉｒ）（アビエス・アマビリス（Ａｂｉｅｓ  ａｍａｂｉｌｉｓ））及びバルサムモミ（アビエス・バルサミア（（Ａｂｉｅｓ  ｂａｌｓａｍｅａ））などの本物のモミ（ｔｒｕｅ  ｆｉｒｓ）；及びヒマラヤスギ、例えばウェスタンレッドシーダー（スーヤ・プリカタ（Ｔｈｕｊａ  ｐｌｉｃａｔａ））及び／又はアラスカイエローシーダー（カマエシパリス・ノートカテンシス（Ｃｈａｍａｅｅｙｐａｒｉｓ  ｎｏｏｔｋａｔｅｎｓｉｓ））から選択される。
【０１８９】
処置され得るヤシの木は、アルコントフェニックス・アレクサンドラエ（Ａｒｃｈｏｎｔｏｐｈｏｅｎｉｘ  ａｌｅｘａｎｄｒａｅ）（キング・アレグザンダー・パーム（ｋｉｎｇ  Ａｌｅｘａｎｄｅｒ  ｐａｌｍ））、アレンガ属（Ａｒｅｎｇａ  ｓｐｐ．）（クロツグ（Ｄｗａｒｆ  ｓｕｇａｒ  ｐａｌｍ））、ボロサス・フラベリファー（Ｂｏｒａｓｓｕｓ  ｆｌａｂｅｌｌｉｆｅｒ）（オウギヤシ（Ｌｏｎｔａｒ  ｐａｌｍ））、ブラヘア・アルマータ（Ｂｒａｈｅａ  ａｒｍａｔａ）（ブルーヘスパーパーム（ｂｌｕｅ  ｈｅｓｐｅｒ  ｐａｌｍ））、ブラヘア・エデュリス（Ｂｒａｈｅａ  ｅｄｕｌｉｓ）（グアダルーペヤシ（Ｇｕａｄａｌｕｐｅ  ｐａｌｍ））、ブティア・キャピタタ（Ｂｕｔｉａ  ｃａｐｉｔａｔｅ）（ブラジルヤシ（ｐｉｎｄｏ  ｐａｌｍ））、チャメロプス・フミリス（Ｃｈａｍａｅｒｏｐｓ  ｈｕｍｉｌｉｓ）（チャボトウジュロ（Ｅｕｒｏｐｅａｎ  ｆａｎ  ｐａｌｍ））、カーペンタリア属（Ｃａｒｐｅｎｔａｒｉａ  ｓｐｐ．）（カーペンタリアパーム（Ｃａｒｐｅｎｔｅｒｉａ  ｐａｌｍ））、チャメドレア・エレガンス（Ｃｈａｍａｅｄｏｒｅａ  ｅｌｅｇａｎｓ）（テーブルヤシ（ｐａｒｌｏｒ  ｐａｌｍ））、Ｃ．エルペンス（Ｃ．ｅｒｕｐｅｎｓ）（バンブーパーム（ｂａｍｂｏｏ  ｐａｌｍ））、Ｃ．サイフリツィー（Ｃ．ｓｅｉｆｒｉｚｉｉ）（リードパーム（ｒｅｅｄ  ｐａｌｍ））、クリサリドカルパス・ルテセンス（Ｃｈｒｙｓａｌｉｄｏｃａｒｐｕｓ  ｌｕｔｅｓｃｅｎｓ）（アレカヤシ（ａｒｅｃａ  ｐａｌｍ））、コッコトリナクス・アルゲンタータ（Ｃｏｃｃｏｔｈｒｉｎａｘ  ａｒｇｅｎｔａｔａ）（シルバーパーム（ｓｉｌｖｅｒ  ｐａｌｍ））、Ｃ．クリナイト（Ｃ．ｃｒｉｎｉｔｅ）（オールドマンパーム（ｏｌｄ  ｍａｎ  ｐａｌｍ））、ココス・ヌキフェラ（Ｃｏｃｏｓ  ｎｕｃｉｆｅｒａ）（ココヤシ（ｃｏｃｏｎｕｔ  ｐａｌｍ））、エライス・ギニエンシス（Ｅｌａｅｉｓ  ｇｕｉｎｅｅｎｓｉｓ）（アフリカアブラヤシ（Ａｆｒｉｃａｎ  ｏｉｌ  ｐａｌｍ））、ハウエア・フォステリアナ（Ｈｏｗｅａ  ｆｏｒｓｔｅｒａｎａ）（ヒロハケンチャヤシ（ｋｅｎｔｉａ  ｐａｌｍ））、リビストナ・ロツンディフォリア（Ｌｉｖｉｓｔｏｎａ  ｒｏｔｕｎｄｉｆｏｌｉａ）（ラウンドリーフファンパーム（ｒｏｕｎｄ  ｌｅａｆ  ｆａｎ  ｐａｌｍ））、ネオディプシス・デカリー（Ｎｅｏｄｙｐｓｉｓ  ｄｅｃａｒｙｉ）（トライアングルパーム（ｔｒｉａｎｇｌｅ  ｐａｌｍ））；ノーマンビア・ノーマンビー（Ｎｏｒｍａｎｂｙａ  ｎｏｒｍａｎｂｉ）（クィーンズランドブラック（Ｑｕｅｅｎｓｌａｎｄ  ｂｌａｃｋ））；ピナンガ・インサイニス（Ｐｉｎａｎｇａ  ｉｎｓｉｇｎｉｓ）；フェニックス・カナリエンシス（Ｐｈｏｅｎｉｘ  ｃａｎａｒｉｅｎｓｉｓ）（カナリーヤシ（Ｃａｎａｒｙ  Ｉｓｌａｎｄ  ｄａｔｅ））；プティコスペルマ・マカルツリ（Ｐｔｙｃｈｏｓｐｅｒｍａ  ｍａｃａｒｔｈｕｒｉ）（シュロチクヤシ（Ｍａｃａｒｔｈｕｒ  ｐａｌｍ））；ロパロスティリス属（Ｒｈｏｐａｌｏｓｔｙｌｉｓ  ｓｐｐ．）（ニカウヤシ（ｓｈａｖｉｎｇ  ｂｒｕｓｈ  ｐ．））；ロイストネア・エラタ（Ｒｏｙｓｔｏｎｅａ  ｅｌａｔａ）（フ���リダロイヤルパーム（Ｆｌｏｒｉｄａ  ｒｏｙａｌ  ｐａｌｍ））、Ｒ．レジア・キューバ（Ｒ．ｒｅｇｉａ  Ｃｕｂａｎ）（ロイヤルパーム（ｒｏｙａｌ  ｐａｌｍ））、サバル属（Ｓａｂａｌ  ｓｐｐ．）（キャベツ（Ｃａｂｂａｇｅ）／パルメット（ｐａｌｍｅｔｔｏ））、シアグルス・ロマンゾフィアナ（Ｓｙａｇｒｕｓ  ｒｏｍａｎｚｏｆｆｉａｎａ）（クイーンパーム（ｑｕｅｅｎ  ｐａｌｍ））、トラキカルプス・フォルツネイ（Ｔｒａｃｈｙｃａｒｐｕｓ  ｆｏｒｔｕｎｅ）（シュロ（ｗｉｎｄｍｉｌｌ  ｐａｌｍ））、トリスリナックス・アカントコマ（Ｔｒｙｔｈｒｉｎａｘ  ａｃａｎｔｈｏｃｏｍａ）（スパイニーファイバーパーム（ｓｐｉｎｙ  ｆｉｂｅｒ  ｐａｌｍ））、ワシントン・フィリフェラ（Ｗａｓｈｉｎｇｔｏｎｉａ  ｆｉｌｉｆｅｒａ）（ペティコートパーム（ｐｅｔｔｉｃｏａｔ  ｐａｌｍ））及び／又はＷ．ロブスタ（Ｗ．ｒｏｂｕｓｔａ）（ワシントン／メキシカンファンパーム（Ｗａｓｈｉｎｇｔｏｎ／Ｍｅｘｉｃａｎ  ｆａｎ  ｐａｌｍ））から選択される。一実施形態は、例えば、フィトフトラ・パルミヴォラ（Ｐｈｙｔｏｐｈｔｈｏｒａ  ｐａｌｍｉｖｏｒａ）、チエラビオプシス・パラドキサ（Ｔｈｉｅｌａｖｉｏｐｓｉｓ  ｐａｒａｄｏｘａ）及び／又は細菌に起因するヤシの木の芽腐病の予防又は治療を含む。新芽が出現する多くの点を有するほとんどの木とは異なり、ヤシは、それらの単一の頂芽（ｔｅｒｍｉｎａｌ  ｂｕｄ）に依存する。頂芽又は樹心（ｈｅａｒｔ）が病気になって死んでしまうと、木は新葉の成長を出すことができず、死んでしまう。それが、健康的なヤシの木を維持するために予防的ケアが必要である理由である。
【０１９０】
一実施形態は、本開示の器具、システム、作用物質／製剤又は方法を植物に適用することを含む、植物病原性菌・カビ類を防除することによって、そのような植物病原性菌・カビ類に起因する、植物及び／又は植物部位の被害又は収穫した果実又は植物生産物の損失を減少させるための方法を含む。好都合なことに、本開示は：
果実及びベリー類（例えばイチゴ）、セイヨウアブラナ、つる植物、森林植物（ｆｏｒｅｓｔｒｙ  ｐｌａｎｔｓ）でのボトリティス・シネレア（Ｂｏｔｒｙｔｉｓ  ｃｉｎｅｒｅａ）（テレオモルフ（ｔｅｌｅｏｍｏｒｐｈ）：ボトリオチニア・フケリアナ（Ｂｏｔｒｙｏｔｉｎｉａ  ｆｕｃｋｅｌｉａｎａ）：灰色かび病（ｇｒｅｙ  ｍｏｌｄ））；広葉樹及び常緑樹でのセラトシスティス（Ｃｅｒａｔｏｃｙｓｔｉｓ）（類義語オフイオストマ（Ｏｐｈｉｏｓｔｏｍａ））属（ｓｐｐ．）（腐食又はしおれ）、例えばニレでのＣ．ウルミ（Ｃ．ｕｌｍｉ）（オランダニレ病）；コーヒーでのサーコスポラ属（Ｃｅｒｃｏｓｐｏｒａ  ｓｐｐ．）（サーコスポラ斑点病（Ｃｅｒｃｏｓｐｏｒａ  ｌｅａｆ  ｓｐｏｔｓ））；柔らかい果物でのコレトトリカム（Ｃｏｌｌｅｔｏｔｒｉｃｈｕｍ）（テレオモルフ（ｔｅｌｅｏｍｏｒｐｈ）：グロメレラ（Ｇｌｏｍｅｒｅｌｌａ）属（ｓｐｐ．）（炭疽病）；オリーブの木でのシクロコニウム属（Ｃｙｃｌｏｃｏｎｉｕｍ  ｓｐｐ．）、例えばＣ．オレアギヌム（Ｃ．ｏｌｅａｇｉｎｕｍ）；果樹、つる植物でのシリンドロカルポン属（Ｃｙｌｉｎｄｒｏｃａｒｐｏｎ  ｓｐｐ．）（例えば果樹胴枯病（ｆｒｕｉｔ  ｔｒｅｅ  ｃａｎｋｅｒｓ）又は若いつる植物の衰弱（ｙｏｕｎｇ  ｖｉｎｅ  ｄｅｃｌｉｎｅ）、テレオモルフ（ｔｅｌｅｏｍｏｒｐｈ）：ネクトリア又はネオネクトリア属（Ｎｅｃｔｒｉａ  ｏｒ  Ｎｅｏｎｅｃｔｒｉａ  ｓｐｐ．））（例えばＣ．リリオデンドリ（Ｃ．ｌｉｒｉｏｄｅｎｄｒｉ）、テレオモルフ（ｔｅｌｅｏｍｏｒｐｈ）：オネクトリア・リリオデンドリ（Ｎｅｏｎｅｃｔｒｉａ  ｌｉｒｉｏｄｅｎｄｒｉ）：黒足病（Ｂｌａｃｋ  Ｆｏｏｔ  Ｄｉｓｅａｓｅ））及び観賞植物；フォミチポリア（Ｆｏｒｍｉｔｉｐｏｒｉａ）（類義語フェリヌス（Ｐｈｅｌｌｉｎｕｓ））プンクタタ（ｐｕｎｃｔａｔａ）、Ｆ．メジテラネア（Ｆ．ｍｅｄｉｔｅｒｒａｎｅａ）、ファエオモニエラ・クラミドスポラ（Ｐｈａｅｏｍｏｎｉｅｌｌａ  ｃｈｌａｍｙｄｏｓｐｏｒａ）（以前はファエオアクレモニウム・クラミドスポルム（Ｐｈａｅｏａｃｒｅｍｏｎｉｕｍ  ｃｈｌａｍｙｄｏｓｐｏｒｕｍ））、ファエオアクレモニウム・アレオフィルム（Ｐｈａｅｏａｃｒｅｍｏｎｉｕｍ  ａｌｅｏｐｈｉｌｕｍ）及び／又はボトリオスファエリア・オブツサ（Ｂｏｔｒｙｏｓｐｈａｅｒｉａ  ｏｂｔｕｓｅ）に起因する、つる植物でのエスカ（Ｅｓｃａ）（枝枯れ（ｄｉｅｂａｃｋ）、卒中病（ａｐｏｐｌｅｘｙ））；ナシ状果の果実（Ｅ．ピン（Ｅ．ｐｙｎ））、柔らかい果物（Ｅ．ベネタ（Ｅ．ｖｅｎｅｔａ）：炭疽病）及びつる植物（Ｅ．アンペリナ（Ｅ．ａｍｐｅｌｉｎａ）：炭疽病）でのエルシノエ属（Ｅｌｓｉｎｏｅ  ｓｐｐ．）；果樹、つる植物及び観賞用木材でのエウチパ・ラタ（Ｅｕｔｙｐａ  ｌａｔａ）（エウチパ（Ｅｕｔｙｐａ）胴枯病又は枝枯れ（ｄｉｅｂａｃｋ）、アナモルフ：シトスポリナ・ラタ（Ｃｙｔｏｓｐｏｒｉｎａ  ｌａｔａ）、類義語リベルテラ・ブレファリス（Ｌｉｂｅｒｔｅｌｌａ  ｂｌｅｐｈａｒｉｓ））；様々な植物でのフザリウム（Ｆｕｓａｒｉｕｍ）（テレオモルフ（ｔｅｌｅｏｍｏｒｐｈ）：ジベレラ（Ｇｉｂｂｅｒｅｌｌａ））属（ｓｐｐ．）（しおれ、根腐れ（ｒｏｏｔ  ｒｏｔ）又は菌核病（ｓｔｅｍ  ｒｏｔ））；つる植物、ナシ状果の果実及び他の植物でのグロメレラ・シングラータ（Ｇｌｏｍｅｒｅｌｌａ  ｃｉｎｇｕｌａｔａ）；つる植物でのグイグナルディア・ビドウェリ（Ｇｕｉｇｎａｒｄｉａ  ｂｉｄｗｅｌｌｉｉ）（黒腐病（ｂｌａｃｋ  ｒｏｔ））；バラ科植物及びジュニパーでのギムノスポランギウム属（Ｇｙｍｎｏｓｐｏｒａｎｇｉｕｍ  ｓｐｐ．）、例えばナシでのＧ．サビナエ（Ｇ．ｓａｂｉｎａｅ）（さび病（ｒｕｓｔ））；ヘミレイア属（Ｈｅｍｉｌｅｉａ  ｓｐｐ．）、例えばコーヒーでのＨ．ベスタトリクス（Ｈ．ｖａｓｔａｔｒｉｘ）（コーヒー葉さび病）；イサリオプシス・クラビスポラ（Ｉｓａｒｉｏｐｓｉｓ  ｃｌａｖｉｓｐｏｒａ）（類義語つる植物でのクラドスポリウム・ビチス（Ｃｌａｄｏｓｐｏｒｉｕｍ  ｖｉｔｉｓ））；核果及び他のバラ科植物でのモニリニア属（Ｍｏｎｉｌｉｎｉａ  ｓｐｐ．）、例えばＭ．タクサ（Ｍ．ｔａｘａ）、Ｍ．フルチコラ（Ｍ．ｆｒｕｃｔｉｃｏｌａ）及びＭ．フルクチゲナ（Ｍ．ｆｒｕｃｔｉｇｅｎａ）（花・枝枯病（ｂｌｏｏｍ  ａｎｄ  ｔｗｉｇ  ｂｌｉｇｈｔ）、褐色腐敗病（ｂｒｏｗｎ  ｒｏｔ））；バナナ、柔らかい果物でのミコスフェレラ属（Ｍｙｃｏｓｐｈａｅｒｅｌｌａ  ｓｐｐ．）、例えばバナナでのＭ．フィジエンシス（Ｍ．ｆｉｊｉｅｎｓｉｓ）（シガトガ病（ｂｌａｃｋ  Ｓｉｇａｔｏｋａ  ｄｉｓｅａｓｅ））など；例えばつる植物でのフィアロフォラ属（Ｐｈｉａｌｏｐｈｏｒａ  ｓｐｐ．）（例えばＰ．トラケイフィラ（Ｐ．ｔｒａｃｈｅｉｐｈｉｌａ）及びＰ．テトラスポラ（Ｐ．ｔｅｔｒａｓｐｏｒａ））；つる植物でのホモプシス属（Ｐｈｏｍｏｐｓｉｓ  ｓｐｐ．）（例えばＰ．ビチコラ（Ｐ．ｖｉｔｉｃｏｌａ）：茎葉斑点病（ｃａｎ  ａｎｄ  ｌｅａｆ  ｓｐｏｔ））；様々な植物、例えば広葉樹でのファイトフトラ属（Ｐｈｙｔｏｐｈｔｈｏｒａ  ｓｐｐ．）（しおれ、根腐れ、葉腐れ、果実腐敗及び菌核病）（例えばＰ．ラモラム（Ｐ．ｒａｍｏｒｕｍ）：サドンオークデス病菌（ｓｕｄｄｅｎ  ｏａｋ  ｄｅａｔｈ））；つる植物でのプラスモパラ属（Ｐｌａｓｍｏｐａｒａ  ｓｐｐ．）、例えばＰ．ビチコラ（Ｐ．ｖｉｔｉｃｏｌａ）（ブドウのべと病（ｇｒａｐｅｖｉｎｅ  ｄｏｗｎｙ  ｍｉｌｄｅｗ））；バラ科植物、ホップ、ナシ状果及び柔らかい果物でのポドスフェラ属（Ｐｏｄｏｓｐｈａｅｒａ  ｓｐｐ．）（うどん粉病菌（ｐｏｗｄｅｒｙ  ｍｉｌｄｅｗ））、例えばリンゴでのＰ．ロイコトリカ（Ｐ．ｌｅｕｃｏｔｒｉｃｈａ）；つる植物でのシュードペジキュラ・トラケイフィラ（Ｐｓｅｕｄｏｐｅｚｉｃｕｌａ  ｔｒａｃｈｅｉｐｈｉｌａ）（赤色花火病（ｒｅｄ  ｆｉｒｅ  ｄｉｓｅａｓｅ）又はロットブレンナー（ｒｏｔｂｒｅｎｎｅｒ）、アナモルフ：フィアロフォラ（Ｐｈｉａｌｏｐｈｏｒａ））；ラムラリア属（Ｒａｍｕｌａｒｉａ  ｓｐｐ．）、例えば大麦でのＲ．コロ−シグニ（Ｒ．ｃｏｌｌｏ−ｃｙｇｎｉ）（ラムラリア斑点病（Ｒａｍｕｌａｒｉａ  ｌｅａｆ  ｓｐｏｔｓ）、生理的斑点病（Ｐｈｙｓｉｏｌｏｇｉｃａｌ  ｌｅａｆ  ｓｐｏｔｓ））及びサトウダイコンでのＲ．ベチコラ��Ｒ．ｂｅｔｉｃｏｌａ）；綿、米、ジャガイモ、芝生、トウモロコシ、セイヨウアブラナ、ジャガイモ、サトウダイコン、野菜及び様々な他の植物でのリゾクトニア属（Ｒｈｉｚｏｃｔｏｎｉａ  ｓｐｐ．）、例えば大豆でのＲ．ソラニー（Ｒ．ｓｏｌａｎｉ）（根及び菌核病）、米でのＲ．ソラニー（Ｒ．ｓｏｌａｎｉ）（紋枯病（ｓｈｅａｔｈ  ｂｌｉｇｈｔ））又は小麦又は大麦でのＲ．ケレアリス（Ｒ．ｃｅｒｅａｌｉｓ）（リゾクトニア春枯れ病（Ｒｈｉｚｏｃｔｏｎｉａ  ｓｐｒｉｎｇ  ｂｌｉｇｈｔ））；つる植物でのリゾプス・ストロニファー（Ｒｈｉｚｏｐｕｓ  ｓｔｏｌｏｎｉｆｅｒ）（黒カビ（ｂｌａｃｋ  ｍｏｌｄ）、軟腐病（ｓｏｆｔ  ｒｏｔ））；つる植物でのウンチヌラ（Ｕｎｃｉｎｕｌａ）（類義語エリシフェ（Ｅｒｙｓｉｐｈｅ））ネカトール（ｎｅｃａｔｏｒ）（うどん粉病菌、アナモルフ：オイジウム・ツケリ（Ｏｉｄｉｕｍ  ｔｕｃｋｅｒｉ））；タフリナ属（Ｔａｐｈｒｉｎａ  ｓｐｐ．）、例えば桃でのＴ．デホルマンス（Ｔ．ｄｅｆｏｒｍａｎｓ）（縮葉病（ｌｅａｆ  ｃｕｒｌ  ｄｉｓｅａｓｅ））及びスモモでのＴ．プルニ（Ｔ．ｐｒｕｎｉ）（スモモ類膨らみ病（ｐｌｕｍ  ｐｏｃｋｅｔ））；ナシ状果の果物でのティエラビオプシス属（Ｔｈｉｅｌａｖｉｏｐｓｉｓ  ｓｐｐ．）（黒根腐病（ｂｌａｃｋ  ｒｏｏｔ  ｒｏｔ））；リンゴ（例えばＶ．イナエクアリス（ｉｎａｅｑｕａｌｉｓ））及び梨でのベンチュリア属（Ｖｅｎｔｕｒｉａ  ｓｐｐ．）（黒星病（ｓｃａｂ））；及び／又は様々な植物、例えば果実及び観賞植物、つる植物、柔らかい果物でのバーティシリウム属（Ｖｅｒｔｉｃｉｌｌｉｕｍ  ｓｐｐ．）（しおれ）
からなる群から選択される菌・カビの植物の病気を、防除、予防、又は治療するためのものである。
【０１９１】
開示した主題は、以下から選択される、植物での病気の防除、予防、又は治療のために用いられる：
・  リンゴの病気：花腐れ（ｂｌｏｓｓｏｍ  ｂｌｉｇｈｔ）（モニリニア・マリ（Ｍｏｎｉｌｉｎｉａ  ｍａｌｉ））、うどん粉病菌（ポドスフェラ・ロイコトリカ（Ｐｏｄｏｓｐｈａｅｒａ  ｌｅｕｃｏｔｒｉｃｈａ））、黒斑病（Ａｌｔｅｒｎａｒｉａ  ｌｅａｆ  ｓｐｏｔ）／斑点落葉病（Ａｌｔｅｒｎａｒｉａ  ｂｌｏｔｃｈ）（リンゴ斑点落葉病菌（Ａｌｔｅｒａａｒｉａ  ａｌｔｅｍａｔａ  ａｐｐｌｅ  ｐａｔｈｏｔｙｐｅ））、黒星病（ベンチュリア・イナエクアリス（Ｖｅｎｔｕｒｉａ  ｉｎａｅｑｕａｌｉｓ））、炭疽病（ｂｉｔｔｅｒ  ｒｏｔ）（コレトトリカム・アクタタム（Ｃｏｌｌｅｔｏｔｒｉｃｈｕｍ  ａｃｕｔａｔｕｍ））、炭疽（ａｎｔｈｒａｘ）（コレトトリエイウム・アクタタム（Ｃｏｌｌｅｔｏｔｒｉｅｉｉｕｍ  ａｃｕｔａｔｕｍ））、腐らん病（ｄｅｃｏｍｐｏｓｅｄ  ｄｉｓｅａｓｅ）（バルサ・ケラトスペルマ（Ｖａｌｓａ  ｃｅｒａｔｏｓｐｅｒｍａ））、及び／又は根頭腐敗病（ｃｒｏｗｎ  ｒｏｔ）（フィトフトラ・カクトラム（Ｐｈｙｔｏｐｈｔｏｒａ  ｃａｃｔｏｍｍ））；
・  梨の病気：黒星病（ベンチュリア・ナシコーラ（Ｖｅｎｔｕｒｉａ  ｎａｓｈｉｃｏｌａ）、Ｖ．ピリナ（Ｖ．ｐｉｒｉｎａ））、黒斑病（ｂｌａｃｋ  ｓｐｏｔ）／黒斑病（ｐｕｒｐｌｅ  ｂｌｏｔｃｈ）（ナシ黒斑病（Ａｌｔｅｒｎａｒｉａ  ａｌｔｅｒｎａｔｅ  Ｊａｐａｎｅｓｅ  ｐｅａｒ  ｐａｔｈｏｔｙｐｅ））。さび病／赤星病（ｆｒｏｇｅｙｅ）（ギムノスポランギウム・ハラエアヌム（Ｇｙｍｎｏｓｐｏｒａｎｇｉｕｍ  ｈａｒａｅａｎｕｍ））、及び／又はフィトフトラ果実腐敗（Ｐｈｙｔｏｐｈｔｈｏｒａ  ｆｒｕｉｔ  ｒｏｔ）（フィトフトラ・カクトラム（Ｐｈｙｔｏｐｈｔｏｒａ  ｃａｃｔｏｍｍ））；
・  桃の病気：褐色腐敗病（モニリニア・フルクチコーラ（Ｍｏｎｉｌｉｎｉａ  ｆｒｕｃｔｉｃｏｌａ））、黒斑病（ｂｌａｃｋ  ｓｐｏｔ  ｄｉｓｅａｓｅ）／黒星病（クラドスポリウム・カルポフィラム（Ｃｌａｄｏｓｐｏｒｉｕｍ  ｃａｒｐｏｐｈｉｌｕｍ））、及び／又はホモプシス腐敗病（Ｐｈｏｍｏｐｓｉｓ  ｒｏｔ）（ホモプシス属（Ｐｈｏｍｏｐｓｉｓ  ｓｐ．））；
・  ブドウの病気：炭疽病（エルシノエ・アンペリナ（Ｅｌｓｉｎｏｅ  ａｍｐｅｌｉｎａ））、うどん粉病菌（ウンシヌラ・ネカトール（Ｕｎｃｉｎｕｌａ  ｎｅｃａｔｏｒ））、晩腐病（ｒｉｐｅ  ｒｏｔ）（グロメレラ・シングラータ（Ｇｌｏｍｅｒｅｌｌａ  ｃｉｎｇｕｌａｔａ））、黒腐病（ｂｌａｃｋ  ｒｏｔ）（グイグナルディア・ビドウェリ（Ｇｕｉｇｎａｒｄｉａ  ｂｉｄｗｅｌｌｉｉ））、べと病（ｄｏｗｎｙ  ｍｉｌｄｅｗ）（プラスモパラ・ビチコラ（Ｐｌａｓｍｏｐａｒａ  ｖｉｔｉｃｏｌａ））、さび病（ファコプソラ・アンペロプシディス（Ｐｈａｋｏｐｓｏｒａ  ａｍｐｅｌｏｐｓｉｄｉｓ））、及び／又は灰色かび病（ｇｒａｙ  ｍｏｌｄ）（ボトリティス・シネレア（Ｂｏｔｒｙｔｉｓ  ｃｉｎｅｒｅａ））；
・  柿の病気：炭疽病（グロエオスポリウム・カキ（Ｇｌｏｅｏｓｐｏｒｉｕｍ  ｋａｋｉ））及び／又は斑点病（ｌｅａｆ  ｓｐｏｔ）（セルコスポラ・カキ（Ｃｅｒｃｏｓｐｏｒａ  ｋａｋｉ）、ミコスフェレラ・ナワエ（Ｍｙｃｏｓｐｈａｅｒｅｌｌａ  ｎａｗａｅ））；
・  アブラナ科の野菜の病気：黒斑病（Ａｌｔｅｒｎａｒｉａ  ｌｅａｆ  ｓｐｏｔ）（アルタナリア・ジャポニカ（Ａｌｔｅｒｎａｒｉａ  ｊａｐｏｎｉｃａ））、白斑病（ｗｈｉｔｅ  ｓｐｏｔ）（サーコスポレラ・ブラシカエ（Ｃｅｒｃｏｓｐｏｒｅｌｌａ  ｂｒａｓｓｉｃａｅ））、及び／又はべと病（ペロノスポラ・パラシチカ（Ｐｅｒｏｎｏｓｐｏｒａ  ｐａｒａｓｉｔｉｃａ））；菜種の病気：菌核病（ｓｃｌｅｒｏｔｉｎｉａ  ｒｏｔ）（スクレロティニア・スクレロティオルム（Ｓｃｌｅｒｏｔｉｎｉａ  ｓｃｌｅｒｏｔｉｏｒｕｍ））及び／又は灰斑病（ｇｒａｙ  ｌｅａｆ  ｓｐｏｔ）（アルタナリア・ブラッシセア（Ａｌｔｅｒｎａｒｉａ  ｂｒａｓｓｉｃａｅ））；
・  バラの病気：黒斑病（ｂｌａｃｋ  ｓｐｏｔ）（ディプロカルポン・ローザエ（Ｄｉｐｌｏｃａｒｐｏｎ  ｒｏｓａｅ））及び／又はうどん粉病菌（スファエロセカ・パンノサ（Ｓｐｈａｅｒｏｔｈｅｃａ  ｐａｎｎｏｓａ））；
・  バナナの病気：シガトガ病（ｓｉｇａｔｏｋａ）（ミコスフェレラ・フィジエンシス（Ｍｙｃｏｓｐｈａｅｒｅｌｌａ  ｆｉｊｉｅｎｓｉｓ）、ミコスフェレラ・ムシコラ（Ｍｙｃｏｓｐｈａｅｒｅｌｌａ  ｍｕｓｉｃｏｌａ）、シュードサーコスポラ・ムサエ（Ｐｓｅｕｄｏｃｅｒｃｏｓｐｏｒａ  ｍｕｓａｅ））；及び／又はコレトトリカム・ムサエ（Ｃｏｌｌｅｔｏｔｒｉｃｈｕｍ  ｍｕｓａｅ）、ナラタケ（Ａｒｍｉｌｌａｒｉａ  ｍｅｌｌｅａ）、ナラタケモドキ（Ａｒｍｉｌｌａｒｉａ  ｔａｂｅｓｃｅｎｓ）、シュードモナス・ソラナセアラム（Ｐｓｅｕｄｏｍｏｎａｓ  ｓｏｌａｎａｃｅａｒｕｍ）、フィラコラ・ムシコラ（Ｐｈｙｌｌａｃｈｏｒａ  ｍｕｓｉｃｏｌａ）、ミコスフェレラ・フィジエンシス（Ｍｙｃｏｓｐｈａｅｒｅｌｌａ  ｆｉｊｉｅｎｓｉｓ）、ロセリニア・ブノデス（Ｒｏｓｅｌｌｉｎｉａ  ｂｕｎｏｄｅｓ）、シュードマス属（Ｐｓｅｕｄｏｍａｓ  ｓｐｐ．）、ペスタロティオプシス・レプロゲナ（Ｐｅｓｔａｌｏｔｉｏｐｓｉｓ  ｌｅｐｒｏｇｅｎａ）、サーコスポラ・ハイ（Ｃｅｒｃｏｓｐｏｒａ  ｈａｙｉ）、シュードモナス・ソラナセアラム（Ｐｓｅｕｄｏｍｏｎａｓ  ｓｏｌａｎａｃｅａｒｕｍ）、セラトシスチス・パラドキサ（Ｃｅｒａｔｏｃｙｓｔｉｓ  ｐａｒａｄｏｘａ）、バーティシリウム・テオブロマエ（Ｖｅｒｔｉｃｉｌｌｉｕｍ  ｔｈｅｏｂｒｏｍａｅ）、トラチスファエラ・フルクチゲナ（Ｔｒａｃｈｙｓｐｈａｅｒａ  ｆｒｕｃｔｉｇｅｎａ）、クラドスポリウム・ムサエ（Ｃｌａｄｏｓｐｏｒｉｕｍ  ｍｕｓａｅ）、ジュングーニア・ビンクタ（Ｊｕｎｇｈｕｈｎｉａ  ｖｉｎｃｔａ）、コルダナ・ジョンストニイ（Ｃｏｒｄａｎａ  ｊｏｈｎｓｔｏｎｉｉ）、コルダナ・ムサエ（Ｃｏｒｄａｎａ  ｍｕｓａｅ）、フザリウム・パリドロセウム（Ｆｕｓａｒｉｕｍ  ｐａｌｌｉｄｏｒｏｓｅｕｍ）、コレトトリカム・ムサエ（Ｃｏｌｌｅｔｏｔｒｉｃｈｕｍ  ｍｕｓａｅ）、バーティシリウム・テオブロマエ（Ｖｅｒｔｉｃｉｌｌｉｕｍ  ｔｈｅｏｂｒｏｍａｅ）、フザリウム属（Ｆｕｓａｒｉｕｍ  ｓｐｐ．）、アクレモニウム属（Ａｃｒｅｍｏｎｉｕｍ  ｓｐｐ．）、シリンドロクラジウム属（Ｃｙｌｉｎｄｒｏｃｌａｄｉｕｍ  ｓｐｐ．）、デイトニエラ・トルロサ（Ｄｅｉｇｈｔｏｎｉｅｌｌａ  ｔｏｒｕｌｏｓａ）、ナットラシア・マンギフェラエ（Ｎａｔｔｒａｓｓｉａ  ｍａｎｇｉｆｅｒａｅ）、ドレクスレラ・ギガンテアン（Ｄｒｅｓｃｈｓｌｅｒａ  ｇｉｇａｎｔｅａｎ）、グイグナルディア・ムサエ（Ｇｕｉｇｎａｒｄｉａ  ｍｕｓａｅ）、ボトリオスファエリア・リビス（Ｂｏｔｒｙｏｓｐｈａｅｒｉａ  ｒｉｂｉｓ）、フザリウム・ソラニー（Ｆｕｓａｒｉｕｍ  ｓｏｌａｎｉ）、ネクトリア・ヘマトコッカ（Ｎｅｃｔｒｉａ  ｈａｅｍａｔｏｃｏｃｃａ）、フザリウム・オキシスポラム（Ｆｕｓａｒｉｕｍ  ｏｘｙｓｐｏｒｕｍ）、リゾクトニア属（Ｒｈｉｚｏｃｔｏｎｉａ  ｓｐｐ．）、コレトトリカム・ムサエ（Ｃｏｌｌｅｔｏｔｒｉｃｈｕｍ  ｍｕｓａｅ）、ウレド・ムサエ（Ｕｒｅｄｏ  ｍｕｓａｅ）、ウロミセス・ムサエ（Ｕｒｏｍｙｃｅｓ  ｍｕｓａｅ）、アクロドンチウム・シンプレックス（Ａｃｒｏｄｏｎｔｉｕｍ  ｓｉｍｐｌｅｘ��、カーブラリア・エラグロスチジス（Ｃｕｒｖｕｌａｒｉａ  ｅｒａｇｒｏｓｔｉｄｉｓ）、ドレシュレラ・ムサエ−サピエンツム（Ｄｒｅｃｈｓｌｅｒａ  ｍｕｓａｅ−ｓａｐｉｅｎｔｕｍ）、レプトスフェリア・ムサラム（Ｌｅｐｔｏｓｐｈａｅｒｉａ  ｍｕｓａｒｕｍ）、ペスタロティオプシス・ディセミネート（Ｐｅｓｔａｌｏｔｉｏｐｓｉｓ  ｄｉｓｓｅｍｉｎａｔｅ）、セラトシスチス・パラドキサ（Ｃｅｒａｔｏｃｙｓｔｉｓ  ｐａｒａｄｏｘａ）、ハプロバシディオン・ムサエ（Ｈａｐｌｏｂａｓｉｄｉｏｎ  ｍｕｓａｅ）、マラスミエルス・イノデルマ（Ｍａｒａｓｍｉｅｌｌｕｓ  ｉｎｏｄｅｒｍａ）、シュードモナス・ソラナセアラム（Ｐｓｅｕｄｏｍｏｎａｓ  ｓｏｌａｎａｃｅａｒｕｍ）、ラドホルス・シミリス（Ｒａｄｏｐｈｏｌｕｓ  ｓｉｍｉｌｉｓ）、ラシオディプロディア・テオブロマエ（Ｌａｓｉｏｄｉｐｌｏｄｉａ  ｔｈｅｏｂｒｏｍａｅ）、フザリウム・パリドロセウム（Ｆｕｓａｒｉｕｍ  ｐａｌｌｉｄｏｒｏｓｅｕｍ）、バーティシリウム・テオブロマエ（Ｖｅｒｔｉｃｉｌｌｉｕｍ  ｔｈｅｏｂｒｏｍａｅ）、ペスタロティオプシス・パルマルム（Ｐｅｓｔａｌｏｔｉｏｐｓｉｓ  ｐａｌｍａｒｕｍ）、ファエオセプトリア・ムサエ（Ｐｈａｅｏｓｅｐｔｏｒｉａ  ｍｕｓａｅ）、ピリキュラリア・グリセア（Ｐｙｒｉｃｕｌａｒｉａ  ｇｒｉｓｅａ）、フザリウム・モニリフォルメ（Ｆｕｓａｒｉｕｍ  ｍｏｎｉｌｉｆｏｒｍｅ）、ジベレラ・フジクロイ（Ｇｉｂｂｅｒｅｌｌａ  ｆｕｊｉｋｕｒｏｉ）、エルウィニア・カロトボーラ（Ｅｒｗｉｎｉａ  ｃａｒｏｔｏｖｏｒａ）、エルウィニア・クリサンセミ（Ｅｒｗｉｎｉａ  ｃｈｒｙｓａｎｔｈｅｍｉ）、シリンドロカルポン・ムサエ（Ｃｙｌｉｎｄｒｏｃａｒｐｏｎ  ｍｕｓａｅ）、メロイドギネ・アレナリア（Ｍｅｌｏｉｄｏｇｙｎｅ  ａｒｅｎａｒｉａ）、メロイドギネ・インコグニタ（Ｍｅｌｏｉｄｏｇｙｎｅ  ｉｎｃｏｇｎｉｔａ）、メロイドギネ・ジャワニカ（Ｍｅｌｏｉｄｏｇｙｎｅ  ｊａｖａｎｉｃａ）、プラチレンクス・コフェアエ（Ｐｒａｔｙｌｅｎｃｈｕｓ  ｃｏｆｆｅａｅ）、プラチレンクス・ゴオデイイ（Ｐｒａｔｙｌｅｎｃｈｕｓ  ｇｏｏｄｅｙｉ）、プラチレンクス・ブラキウルス（Ｐｒａｔｙｌｅｎｃｈｕｓ  ｂｒａｃｈｙｕｒｕｓ）、プラチレンクス・レニフォルミア（Ｐｒａｔｙｌｅｎｃｈｕｓ  ｒｅｎｉｆｏｒｍｉａ）、スクレロティニア・スクレロティオルム（Ｓｃｌｅｒｏｔｉｎｉａ  ｓｃｌｅｒｏｔｉｏｒｕｍ）、ネクトリア・フォリコラ（Ｎｅｃｔｒｉａ  ｆｏｌｉｉｃｏｌａ）、ミコスフェレラ・ムシコラ（Ｍｙｃｏｓｐｈａｅｒｅｌｌａ  ｍｕｓｉｃｏｌａ）、シュードサーコスポラ・ムサエ（Ｐｓｅｕｄｏｃｅｒｃｏｓｐｏｒａｍｕｓａｅ）、リマシヌラ・テヌイス（Ｌｉｍａｃｉｎｕｌａ  ｔｅｎｕｉｓ）、ミコスフェレラ・ムサエ（Ｍｙｃｏｓｐｈａｅｒｅｌｌａ  ｍｕｓａｅ）、ヘリコチュレンクス・ムルティキンクトゥス（Ｈｅｌｉｃｏｔｙｌｅｎｃｈｕｓ  ｍｕｌｔｉｃｉｎｃｔｕｓ）、ヘリコチュレンクス・ディヒュステラ（Ｈｅｌｉｃｏｔｙｌｅｎｃｈｕｓ  ｄｉｈｙｓｔｅｒａ）、ニグロスポラ・スファエリカ（Ｎｉｇｒｏｓｐｏｒａ  ｓｐｈａｅｒｉｃａ）、トラチスファ���ラ・フルティゲナ（Ｔｒａｃｈｙｓｐｈａｅｒａ  ｆｒｕｔｉｇｅｎａ）、ラミクロリディウム・ムサエ（Ｒａｍｉｃｈｌｏｒｉｄｉｕｍ  ｍｕｓａｅ）、バーティシリウム・テオブロマエ（Ｖｅｒｔｉｃｉｌｌｉｕｍ  ｔｈｅｏｂｒｏｍａｅ）；
・  柑橘果実の病気：黒斑病（ｂｌａｃｋ  ｓｐｏｔ  ｄｉｓｅａｓｅ）（ディアポルテ・シトリ（Ｄｉａｐｏｒｔｈｅ  ｃｉｔｒｉ））、黒星病（エルシノエ・フォーセッティ（Ｅｌｓｉｎｏｅ  ｆａｗｃｅｔｔｉ））、及び／又は果実腐敗（ペニシリウム・ディギタータム（Ｐｅｎｉｃｉｌｌｉｕｍ  ｄｉｇｉｔａｔｕｍ）、Ｐ．イタリカム（Ｐ．ｉｔａｌｉｃｕｍ））；
・  茶の病気：ネットライス病（ｎｅｔ  ｒｉｃｅ  ｄｉｓｅａｓｅ）（エクソバシジウム・レチクラタム（Ｅｘｏｂａｓｉｄｉｕｍ  ｒｅｔｉｃｕｌａｔｕｍ））、ディジーズビクトリー（ｄｉｓｅａｓｅ  ｖｉｃｔｏｒｙ）（エルシノエ・リューコスピラ（Ｅｌｓｉｎｏｅ  ｌｅｕｃｏｓｐｉｌａ））、リングリーフスポット（ｒｉｎｇ  ｌｅａｆ  ｓｐｏｔ）（ペスタロティオプシス属（Ｐｅｓｔａｌｏｔｉｏｐｓｉｓ  ｓｐ．））、炭疽病（コレトトリカム・ゼアシネンシス（Ｃｏｌｌｅｔｏｔｒｉｃｈｕｍ  ｔｈｅａｅｓｉｎｅｎｓｉｓ）；
・  ヤシの木の病気：芽腐病、根頭腐敗病、赤輪病（Ｒｅｄ  Ｒｉｎｇ）、プドリシオン・デ・コゴーリョ（Ｐｕｄｒｉｃｉｏｎ  ｄｅ  Ｃｏｇｏｌｌｏ）、黄死病（Ｌｅｔｈａｌ  Ｙｅｌｌｏｗｉｎｇ）；
・  セイヨウツゲの病気：ツゲ胴枯れ病菌（ｂｏｘｗｏｏｄ  ｂｌｉｇｈｔ  ｆｕｎｇｕｓ）（シリンドロクラジウム・ブキシコラ（Ｃｙｌｉｎｄｒｏｃｌａｄｉｕｍ  ｂｕｘｉｃｏｌａ）、カロネクトリア・シュードナヴィクラタ（Ｃａｌｏｎｅｃｔｒｉａ  ｐｓｅｕｄｏｎａｖｉｃｕｌａｔａ）とも呼ばれる）、ボルテラ・ブキシ（Ｖｏｌｕｔｅｌｌａ  ｂｕｘｉ）、フザリウム・ブキシコラ（Ｆｕｓａｒｉｕｍ  ｂｕｘｉｃｏｌａ）。
【０１９２】
本開示の方法は、広範囲の害虫に起因する被害を減少させるために使用され得る。標的虫は、鱗翅目（Ｌｅｐｉｄｏｐｔｅｒａ）、甲虫目（Ｃｏｌｅｏｐｔｅｒａ）、双翅目（Ｄｉｐｔｅｒａ）、総翅目（Ｔｈｙｓａｎｏｐｔｅｒａ）、膜翅目（Ｈｙｍｅｎｏｐｔｅｒａ）、直翅目（Ｏｒｔｈｏｐｔｅｒａ）、ダニ目（Ａｃａｒｉｎａ）、ノミ目（Ｓｉｐｈｏｎａｐｔｅｒａ）、シミ目（Ｔｈｙｓａｎｕｒａ）、唇脚目（Ｃｈｉｌｏｐｏｄａ）、革翅目（Ｄｅｒｍａｐｔｅｒａ）、シラミ目（Ｐｈｔｈｉｒａｐｔｅｒａ）、半翅目（Ｈｅｍｉｐｔｅｒａｓ）、同翅目（Ｈｏｍｏｐｔｅｒａ）、等翅目（Ｉｓｏｐｔｅｒａ）及び／又は無翅（Ａｐｔｅｒｏ）の目から選択され得る。そのような有害生物の例は、限定されるものではないが、例えば、鱗翅目（Ｌｅｐｉｄｏｐｔｅｒａ）（例えば、コナガ科（Ｐｌｕｔｅｌｌｉｄａｅ）、ヤガ科（Ｎｏｃｔｕｉｄａｅ）、メイガ科（Ｐｙｒａｌｉｄａｅ）、ハマキガ科（Ｔｏｒｔｒｉｃｉｄａｅ）、ハモグリガ科（Ｌｙｏｎｅｔｉｉｄａｅ）、シンクイガ科（Ｃａｒｐｏｓｉｎｉｄａｅ）、キバガ科（Ｇｅｌｅｃｈｉｉｄａｅ）、ツトガ科（Ｃｒａｍｂｉｄａｅ）、ヒトリガ科（Ａｒｃｔｉｉｄａｅ）、及び／又はドクガ科（Ｌｙｍａｎｔｒｉｉｄａｅ））、半翅目（Ｈｅｍｉｐｔｅｒａ）（例えば、オオヨコバイ科（Ｃｉｃａｄｅｌｌｉｄａｅ）、ウンカ科（Ｄｅｌｐｈａｃｉｄａｅ）、キジラミ科（Ｐｓｙｌｌｉｄａｅ）、アブラムシ科（Ａｐｈｉｄｉｄａｅ）、コナジラミ科（Ａ！ｅｙｒｏｄｉｄａｓ）、ハカマカイガラムシ科（Ｏｒｔｈｅｚｉｄａｅ）、カスミカメムシ科（Ｍｉｒｉｄａｅ）、グンバイムシ科（Ｔｉｎｇｉｄａｅ）、カメムシ科（Ｐｅｎｔａｔｏｍｉｄａｅ）、及び／又はナガカメムシ科（Ｌｙｇａｉｅｄａｅ））、甲虫目（Ｃｏｌｅｏｐｔｅｒａ）（例えば、コガネムシ科（Ｓｃａｒａｂａｅｉｄａｅ）、コメツキムシ科（Ｅｌａｔｅｒｉｄａｅ）、テントウムシ科（Ｃｏｃｃｉｎｅｌｌｉｄａｅ）、カミキリムシ科（Ｃｅｒａｍｂｙｃｉｄａｅ）、ハムシ科（Ｃｈｒｙｓｏｍｅｌｉｄａｅ）、及び／又はゾウムシ科（Ｃｕｒｃｕｌｉｏｎｉｄａｅ））、双翅目（Ｄｉｐｔｅｒａ）（例えば、イエバエ科（Ｍｕｓｃｉｄａｅ）、クロバエ科（Ｃａｌｌｉｐｈｏｒｉｄａｅ）、ニクバエ科（Ｓａｒｃｏｐｈａｇｉｄａｅ）、ハナバエ科（Ａｎｔｈｏｍｙｉｉｄａｅ）、ミバエ科（Ｔｅｐｈｒｉｔｉｄａｅ）、ヒメコバエ上科（Ｏｐｏｍｙｚｏｉｄｅａ）、及び／又はチスイコバエ上科（Ｃａｒｎｏｉｄｅａ））、直翅目（Ｏｒｔｈｏｐｔｅｒａ）（例えば、バッタ科（Ａｃｒｉｄｉｄａｅ）、イナゴ科（Ｃａｔａｎｔｏｐｉｄａｅ）、及びオンブバッタ科（Ｐｙｒｇｏｍｏｒｐｈｉｄａｅ））、総翅目（Ｔｈｙｓａｎｏｐｔｅｒａ）（例えば、アザミウマ科（Ｔｈｒｉｐｉｄａｅ）、シマアザミウマ科（Ａｅｏｌｏｔｈｒｉｐｉｄａｅ）、及びメロアザミウマ科（Ｍｅｒｏｔｈｒｉｐｉｄａｅ））、ハリセンチュウ目（Ｔｙｌｅｎｃｈｉｄａ）（例えば、アフェレンコイデス科（Ａｐｈｅｌｅｎｃｈｏｉｄｉｄａｅ）及び／又はネオティレンクス科（Ｎｅｏｔｙｌｅｃｈｉｄａｅ））、トビムシ目（Ｃｏｌｌｅｍｂｏｌａ）（例えば、シロトビムシ科（Ｏｎｙｃｈｉｕｒｕｓ）及びツチトビムシ科（ｌｓｏｔｏｍｉｄａｅ））、ダニ目（Ａｃａｒｉｎａ）（例えば、ハダニ科（Ｔｅｔｒａｎｙｃｈｉｄａｅ）、ワクモ科（Ｄｅｒｍａｎｙｓｓｉｄａｅ）、コナダニ科（Ａｃａｒｉｄａｅ）、及び／又はヒゼンダニ科（Ｓａｒｃｏｐｔｉｄａｅ））、柄眼目（Ｓｔｙｌｏｍｍａｔｏｐｈｏｒａ）（例えば、ナメクジ科（Ｐｈｉｌｏｍｙｃｉｄａｅ）及び／又はオナジマイマイ科（Ｂｒａｄｙｂａｅｎｉｄａｅ））、回虫目（Ａｓｃａｒｉｄｉｄａ）（例えば、回虫科（Ａｓｃａｒｉｄｉｄａ）及び／又はアニサキス科（Ａｎｉｓａｋｉｄａｅ））、後睾吸虫目（Ｏｐｉｓｔｈｏｒｃｈｉｉｄａ）、ジュウケツキュウチュウ目（Ｓｔｒｉｇｅｉｄｉｄａ）、ゴキブリ目（Ｂｌａｔｔｏｄｅａ）（例えば、オオゴキブリ科（Ｂｌａｂｅｒｉｄａｅ）、クリプトケルクス科（Ｃｒｙｐｔｏｃｅｒｃｉｄａｅ）、及び／又はオオゴキブリ科（Ｐａｎｅｓｔｈｉｉｄａｅ））、シミ目（Ｔｈｙｓａｎｕｒａ）（例えば、シミ科（Ｌｅｐｉｓｍａｔｉｄａｅ）、ムカシシミ科（Ｌｅｐｉｄｏｔｒｉｃｈｉｄａｅ）、及び／又はメナシシミ科（Ｎｉｃｏｌｅｔｉｉｄａｅ））及び／又はボックスツリーモス（ｂｏｘ  ｔｒｅｅ  ｍｏｔｈ）／ボックスツリーキャタピラー（ｂｏｘ  ｔｒｅｅ  ｃａｔｅｒｐｉｌｌａｒ）（ツゲノメイガ（Ｃｙｄａｌｉｍａ  ｐｅｒｓｐｅｃｔａｌｉｓ））を含む節足動物（Ａｒｔｈｒｏｐｏｄｓ）を含む。
【０１９３】
本開示はまた、植物の成長及び／又は発育を攻撃する、衰弱させる（全体又は一部において）、又は邪魔をする細菌性病原体に対して有用であり、及び／又はそのような細菌性病原体に起因する、植物及び／又は他の植物への伝達ベクトルの機能を果たす。細菌性病原体は、アグロバクテリウム（Ａｇｒｏｂａｃｔｅｒｉｕｍ）、アグロバクテリウム・ツメファシエンス（Ａｇｒｏｂａｃｔｅｒｉｕｍ  ｔｕｍｅｆａｃｉｅｎｓ）、エルウィニア（Ｅｒｗｉｎｉａ）、エルウィニア・アミロボーラ（Ｅｒｗｉｎｉａ  ａｍｙｌｏｖｏｒａ）、キサントモナス（Ｘａｎｔｈｏｍｏｎａｓ）、キサントモナス・カンペストリス（Ｘａｎｔｈｏｍｏｎａｓ  ｃａｍｐｅｓｔｒｉｓ）、シュードモナス（Ｐｓｅｕｄｏｍｏｎａｓ）、シュードモナス・シリンガエ（Ｐｓｅｕｄｏｍｏｎａｓ  ｓｙｒｉｎｇａｅ）、ラルストニア・ソラナケアルム（Ｒａｌｓｔｏｎｉａ  ｓｏｌａｎａｃｅａｒｕｍ）、コリネバクテリウム（Ｃｏｒｙｎｅｂａｃｔｅｒｉｕｍ）、ストレプトマイセス（Ｓｔｒｅｐｔｏｍｙｃｅｓ）、ストレプトマイセス・スキャビーズ（Ｓｔｒｅｐｔｏｍｙｃｅｓ  ｓｃａｂｉｅｓ）、アクチノバクテリア（Ａｃｔｉｎｏｂａｃｔｅｒｉａ）、マイコプラズマ（Ｍｉｃｏｐｌａｓｍａｓ）、スピロプラズマ（Ｓｐｉｒｏｐｌａｓｍａｓ）及び／又はファイトプラズマ（Ｆｉｔｏｐｌａｓｍａｓ）を含み得る。
【０１９４】
本開示はまた、植物の成長及び／又は発育を攻撃する、衰弱させる（全体又は一部において）、又は邪魔をするウイルス性病原体を軽減する、防除する及び／又は根絶するのに有用であり、及び／又はそのようなウイルス性病原体に起因する、植物及び／又は他の植物への伝達ベクトルの機能を果たす。そのようなウイルス性病原体は、カーラウイルス科（Ｃａｒｌａｖｉｒｉｄａｅ）、クロステロウイルス科（Ｃｌｏｓｔｅｒｏｖｉｒｉｄａｅ）、柑橘果実を攻撃するウイルス、ククモウイルス科（Ｃｕｃｕｍｏｖｉｒｉｄａｅ）、イラルウイルス科（Ｉｌａｒｖｉｒｉｄａｅ）、プルーンを攻撃する萎縮ウイルス（ｄｗａｒｆ  ｖｉｒｕｓ）、ルテオウイルス科（Ｌｕｔｅｏｖｉｒｉｄａｅ）、ネポウイルス科（Ｎｅｐｏｖｉｒｉｄａｅ）、ポテクスウイルス科（Ｐｏｔｅｘｖｉｒｉｄａｅ）、ポティウイルス科（Ｐｏｔｙｖｉｒｉｄａｅ）、トバモウイルス科（Ｔｏｂａｍｏｖｉｒｉｄａｅ）、カリモウイルス科（Ｃａｕｌｉｍｏｖｉｒｉｄａｅ）、並びに植物及び作物を攻撃する他のウイルスを含み得る。
【０１９５】
植物の成長調整化合物は、例えば、植物の栄養成長を抑制するために使用され得る。そのような成長の抑制、例えば、道路沿いでの、パイプライン若しくは架空ケーブルの近傍における、又は極めて一般的に力強い植物の成長が望まれていない領域における草本植物及び木本植物の成長の抑制は、経済的関心が高い。植物の栄養成長の抑制はまた、栄養素及び同化産物が、植物の成長部分（ｖｅｇｅｔａｔｉｖｅ  ｐａｒｔｓ）よりも花及び果実の形成に対し利益をもたらすため、収穫量を高め得る。しばしば、成長調整物質は、栄養成長を促すために使用され得る。これは、植物成長部位を収穫するときに、大きな利点がある。しかしながら、栄養成長の促進は、より多くの同化産物が形成されるという生殖成長も促し得、より多くの又はより大きな果実を生じる。
【０１９６】
成長調整物質の使用は、植物の枝分かれを制御できる。一方では、頂芽優勢を壊すことによって、サイドシュートの発育を促すことが可能であり、これは、特に、観賞植物の栽培では、成長の抑制とも組み合わせて、かなり望ましいとし得る。他方では、しかしながら、サイドシュートの成長を抑制することも可能である。この効果は、例えば、タバコの栽培又はトマトの栽培において特に関心が高い。成長調整物質の影響下では、植物の葉の量は、所望の時点で植物の落葉が達成されるように、制御され得る。そのような落葉は、綿の機械的な収穫において主要な役割を果たすだけでなく、他の作物において、例えばブドウ栽培において、収穫を容易にするために関心が高い。
【０１９７】
成長調整物質はまた、収穫前又は収穫後の被収穫材料のより迅速な又はより遅い成熟を達成するために使用され得る。これは、市場の要求に最適に調整できるため、特に好都合である。さらに、場合によっては、成長調整物質は果実の色を向上させ得る。さらに、成長調整物質はまた、ある期間内に成熟を集中させるために使用され得る。これは、例えばコーヒーにおいて、単一の動作で機械的な又は手作業での収穫を完了するための必要条件を確立する。
【０１９８】
成長調整物質を使用することによって、さらに、植物の種子又は蕾の休眠に影響を及ぼすことが可能であり、苗床のパイナップル又は観賞植物を含む植物が、例えば、通常、発芽する、芽を出す又は開花するような傾向がない時期に、発芽する、芽を出す又は開花するようにする。
【０１９９】
さらに、成長調整物質は、土壌の霜、乾燥又は高塩分に対する植物の抵抗性を誘発し得る。これにより、通常好適ではない領域において、植物の栽培を可能にする。
【０２００】
本開示による組成物及び／又は製剤はまた、植物に潜在的な強化効果を示す。従って、それらは、望ましくない微生物による攻撃に対する植物の防御力を動員するために使用され得る。植物−強化（抵抗性を誘発する）物質は、この文脈では、処置された植物が、後で望ましくない微生物が接種されるときに、これらの微生物に対して高度の抵抗性を生じるように植物の防御系を刺激できる物質の意味であると理解される。本開示による活性化合物はまた、作物の収穫量を高めるのに好適である。さらに、それらは、毒性の低下を示し、且つ植物による良好な耐性が示される。
【０２０１】
さらに、本開示の文脈では、植物生理学の効果は、以下を含む（それら全ては、本明細書で提供される組成物、方法及び装置によって調節され得る）：
温度耐性、乾燥耐性及び乾燥ストレス後の回復、水利用効率（水消費量の減少に相関する）、冠水耐性、オゾンストレス及びＵＶ耐性、重金属、塩、農業用殺虫剤（毒性緩和剤（ｓａｆｅｎｅｒ））などのような化学物質に対する耐性を含む、非生物的ストレス耐性。
【０２０２】
菌・カビ性の病気に対する抵抗性の上昇、線虫、ウイルス及び細菌に対する抵抗性の上昇を含む、生物的ストレス耐性。
【０２０３】
植物健康状態、植物の品質、種子活力、群生失敗（ｓｔａｎｄ  ｆａｉｌｕｒｅ）の減少、見栄えの改善、回復の向上、緑化効果の向上及び光合成効率の向上を含む、植物成長力の増加。
【０２０４】
さらに、本発明の処置は、収穫した材料並びにそれから準備された食糧及び飼料中のマイコトキシン含量を減少させ得る。
【０２０５】
本開示の別の実施形態では、器具、システム、組成物／製剤及び方法は、窒素、亜リン酸及びカリウムのような植物栄養素、並びに限定されるものではないが、ケイ素、カルシウム、マグネシウム及びマンガンを含む無機養素を提供するために用いられ得る。
【実施例】
【０２０６】
幹注入装置は、異なるタイプの幹での使用、吸収速度、植物内での製薬品（ｐｒｏｄｕｃｔ）の分配、及び幹内での注入装置の継続使用に関して試験された。注入装置は、直径２ｃｍ〜３０ｃｍの幹で試験された。試験は、ツゲ、つる植物、ヘーゼルナッツ、クルミ、カエデ、ビーチ（ｂｅａｃｈ）及びオークで行われた。さらに、ナツメヤシ、柑橘類の木、及びバナナの木などの木も、好適である。
【０２０７】
吸収速度は、天候、季節、時刻及び注入圧力などの要因の影響を受ける。理想的な条件下で行われた試験では、２．５バールの注入圧力、及び１０ｍｌの試験物質、２分を下回る吸収時間が達成された。
【０２０８】
植物内での分配は、２％のブリリアントブルー（Ｂｒｉｌｌｉａｎｔ  Ｂｌｕｅ）Ｅ１３３（ＣＡＳ  ｒｅｇ．Ｎｏ．３８４４−４５−９）を試験物質として含む溶液を注入して、試験された。その後、木は伐採されて、複数の断片に切断されて、植物内でのある時間にわたる試験物質の分配が分析された。試験物質は、一般に、２４時間かけて茎内で５メートルにわたって分配した。
【０２０９】
さらに、従来の有効成分、例えばセイヨウツゲ用の商品Ｍａａｇ  Ｐｅｒｆｅｋｔｈｉｏｎ（登録商標）及びＭａａｇ  Ｋｅｎｄｏ（登録商標）が適用され得る。
【０２１０】
セイヨウツゲのサイズに依存して、Ｍａａｇ  Ｐｅｒｆｅｋｔｈｉｏｎ（登録商標）（４０％のジメトエート原液）が、０．１％〜０．３％の希釈で１０ｍｌ〜１００ｍｌの注入で、使用され得る。
【０２１１】
様々な注記及び態様
態様１は：植物に貫入し且つ植物に液状製剤を分配するように構成された注入器具を含む、植物注入システムであって、注入器具は：入口ポートを有するベース；長手方向体軸に沿って延在し、且つ本体プロファイルを有する貫入分配本体を含み、貫入分配本体は：貫入要素と；本体プロファイル内に少なくとも１つの分配リザーバと；入口ポート及び少なくとも１つの分配リザーバと連通する１つ以上の分配ポートであって、貫入要素から離間されている１つ以上の分配ポートとを含み；注入器具は、貫入形態及び分配形態を含み：貫入形態では、貫入要素は、長手方向体軸に沿って植物に貫入するように構成されており；及び分配形態では、１つ以上の分配ポートは、植物に最も近い少なくとも１つの分配リザーバ内で長手方向体軸に対して横断方向に液状製剤を分配するように構成されている、植物注入システムなどの主題を含み得る。
【０２１２】
態様２は、態様１の主題を含み得るか、又は任意選択的にそれと組み合わせられ得、任意選択的に、１つ以上の分配ポートが長手方向体軸から側方に離間されていることを含む。
【０２１３】
態様３は、態様１又は２の一方又はそれらの任意の組み合わせの主題を含み得るか、又は任意選択的にそれと組み合わせられ得、任意選択的に、貫入要素は貫入プロファイルを含み、及び１つ以上の分配ポートは、貫入プロファイル内にあり、且つ貫入プロファイルに対して近位にあることを含む。
【０２１４】
態様４は、態様１〜３のうちの１つ又はそれらの任意の組み合わせの主題を含み得るか、又は任意選択的にそれと組み合わせられ得、任意選択的に、１つ以上の分配ポートは、貫入プロファイル内の奥まった所に据えられることを含む。
【０２１５】
態様５は、態様１〜４のうちの１つ又はそれらの任意の組み合わせの主題を含み得るか、又は任意選択的にそれと組み合わせられ得、任意選択的に、貫入形態では、貫入要素が１つ以上の分配ポートの植物との係合を妨害することを含む。
【０２１６】
態様６は、態様１〜５の主題を含み得るか、又は任意選択的にそれと組み合わせられ得、任意選択的に、１つ以上の分配ポートは、本体プロファイルの外面から奥まった所に据えられることを含む。
【０２１７】
態様７は、態様１〜６の主題を含み得るか、又は任意選択的にそれと組み合わせられ得、任意選択的に、分配形態では、１つ以上の分配ポートは、本体プロファイル外面の方に向かって液状製剤を分配するように構成されていることを含む。
【０２１８】
態様８は、態様１〜７の主題を含み得るか、又は任意選択的にそれと組み合わせられ得、任意選択的に、分配形態では、１つ以上の分配ポートは、貫入要素に対して離れた所に液状製剤を分配するように構成されていることを含む。
【０２１９】
態様９は、態様１〜８の主題を含み得るか、又は任意選択的にそれと組み合わせられ得、任意選択的に、分配形態では、１つ以上の分配ポートは、貫入分配本体に沿って貫入要素に対して近位の箇所に液状製剤を分配するように構成されていることを含む。
【０２２０】
態様１０は、態様１〜９の主題を含み得るか、又は任意選択的にそれと組み合わせられ得、任意選択的に、分配形態では、少なくとも１つの分配リザーバを有する貫入分配本体は、植物の植物組織に沿って液状製剤を保持するように構成されていることを含む。
【０２２１】
態様１１は、態様１〜１０の主題を含み得るか、又は任意選択的にそれと組み合わせられ得、任意選択的に、貫入分配本体が植物内でアンカー要素によって継続状態で保持されている保持形態を含む。
【０２２２】
態様１２は、態様１〜１１の主題を含み得るか、又は任意選択的にそれと組み合わせられ得、任意選択的に、分配形態では、１つ以上の分配ポートは、植物に継続状態で液状製剤を分配するように構成されていることを含む。
【０２２３】
態様１３は、態様１〜１２の主題を含み得るか、又は任意選択的にそれと組み合わせられ得、任意選択的に、継続状態は、１時間以上かけた１つ以上の分配ポートからの液状製剤の複数の分配を含むことを含む。
【０２２４】
態様１４は、態様１〜１３の主題を含み得るか、又は任意選択的にそれと組み合わせられ得、任意選択的に、複数の分配は液状製剤の連続的な分配を含むことを含む。
【０２２５】
態様１５は、態様１〜１４の主題を含み得るか、又は任意選択的にそれと組み合わせられ得、任意選択的に、貫入要素は、切断要素、楔プロファイル、又はスパイクプロファイルのうちの１つ以上を含むことを含む。
【０２２６】
態様１６は、態様１〜１５の主題を含み得るか、又は任意選択的にそれと組み合わせられ得、任意選択的に、植物に液状製剤を分配する方法であって：長手方向体軸に沿って延在する貫入分配本体を有する注入器具によって植物に貫入することであって、貫入は：貫入分配本体の貫入要素で植物を突き刺すこと；貫入分配本体によって１つ以上の分配ポートを植物から隔離することを含むことと；貫入された植物に液状製剤を分配することであって、液状製剤の分配は：注入器具の入口ポートから１つ以上の分配ポートへ液状製剤を送ること；１つ以上の分配ポートから、貫入された植物と連通する少なくとも１つの分配リザーバに液状製剤を送達することであって、少なくとも１つの分配リザーバは貫入分配本体の本体プロファイル内にあることを含むこととを含む、方法を含む。
【０２２７】
態様１７は、態様１〜１６の主題を含み得るか、又は任意選択的にそれと組み合わせられ得、任意選択的に、植物からの１つ以上の分配ポートの隔離は、貫入要素の貫入プロファイルによって植物から１つ以上の分配ポートを隔離することを含むことを含む。
【０２２８】
態様１８は、態様１〜１７の主題を含み得るか、又は任意選択的にそれと組み合わせられ得、任意選択的に、１つ以上の分配ポートは貫入分配本体の本体プロファイル内にあること；及び植物からの１つ以上の分配ポートの隔離は、本体プロファイルによって１つ以上の分配ポートを隔離することを含むことを含む。
【０２２９】
態様１９は、態様１〜１８の主題を含み得るか、又は任意選択的にそれと組み合わせられ得、任意選択的に、１つ以上の分配ポートは貫入分配本体の本体プロファイル内にあること；及び注入器具による植物の貫入は、１つ以上の分配ポートの植物との係合を妨害することを含むことを含む。
【０２３０】
態様２０は、態様１〜１９の主題を含み得るか、又は任意選択的にそれと組み合わせられ得、任意選択的に、貫入要素は切断要素を含み；及び貫入要素で植物を突き刺すことは、切断要素で植物を切断することを含むことを含む。
【０２３１】
態様２１は、態様１〜２０の主題を含み得るか、又は任意選択的にそれと組み合わせられ得、任意選択的に、貫入要素は楔プロファイルを含み；及び貫入要素で植物を突き刺すことは、楔プロファイルで植物を切断することを含むことを含む。
【０２３２】
態様２２は、態様１〜２１の主題を含み得るか、又は任意選択的にそれと組み合わせられ得、任意選択的に、貫入分配本体は本体プロファイルを含み、及び１つ以上の分配ポートは、本体プロファイルから奥まった所に据えられ；及び１つ以上の分配ポートから液状製剤を送達することは、貫入分配本体の長手方向体軸に対して横断方向に液状製剤を送達することを含むことを含む。
【０２３３】
態様２３は、態様１〜２２の主題を含み得るか、又は任意選択的にそれと組み合わせられ得、任意選択的に、植物の植物組織に沿って液状製剤を保持することを含む。
【０２３４】
態様２４は、態様１〜２３の主題を含み得るか、又は任意選択的にそれと組み合わせられ得、任意選択的に、１つ以上の分配ポートは、貫入要素から離れた所にあり；及び１つ以上の分配ポートから液状製剤を送達することは、貫入要素に対して離れた所に液状製剤を送達することを含むことを含む。
【０２３５】
態様２５は、態様１〜２４の主題を含み得るか、又は任意選択的にそれと組み合わせられ得、任意選択的に、液状製剤を離れた所に送達することは、貫入分配本体に沿って貫入要素に対して近位の箇所に液状製剤を送達することを含むことを含む。
【０２３６】
態様２６は、態様１〜２５の主題を含み得るか、又は任意選択的にそれと組み合わせられ得、任意選択的に、アンカー要素によって植物内に貫入分配本体を保持することを含む。
【０２３７】
態様２７は、態様１〜２６の主題を含み得るか、又は任意選択的にそれと組み合わせられ得、任意選択的に、１つ以上の分配ポートから液状製剤を送達することは、液状製剤の継続的な送達を含むことを含む。
【０２３８】
態様２８は、態様１〜２７の主題を含み得るか、又は任意選択的にそれと組み合わせられ得、任意選択的に、液状製剤の継続的な送達は、１時間以上かけた液状製剤の継続的な送達を含むことを含む。
【０２３９】
態様２９は、態様１〜２８の主題を含み得るか、又は任意選択的にそれと組み合わせられ得、任意選択的に、液状製剤の継続的な送達は複数の分配を含むことを含む。
【０２４０】
態様３０は、態様１〜２９の主題を含み得るか、又は任意選択的にそれと組み合わせられ得、任意選択的に、液状製剤の送達は、液状製剤の受動的な送達を含むことを含む。
【０２４１】
態様３１は、態様１〜３０の主題を含み得るか、又は任意選択的にそれと組み合わせられ得、任意選択的に、液状製剤の受動的な送達は、液状製剤の静水圧に基づいて液状製剤を送達することを含むことを含む。
【０２４２】
態様３２は、態様１〜３１の主題を含み得るか、又は任意選択的にそれと組み合わせられ得、任意選択的に：植物に貫入し且つ植物に液状製剤を分配するように構成された注入器具を含む、植物注入システムであって、注入器具は：入口ポートを有するベース；長手方向体軸に沿って延在する貫入分配本体を含み、貫入分配本体は：貫入要素；及び入口ポートと連通する１つ以上の分配ポートであって、貫入要素から離間している１つ以上の分配ポートを含み；及び注入器具は、貫入形態及び分配形態を含み：貫入形態では、貫入要素は、長手方向体軸に沿って植物に貫入するように構成されており；及び分配形態では、１つ以上の分配ポートは、長手方向体軸に対して横断方向に植物に液状製剤を分配するように構成されている、植物注入システムを含む。
【０２４３】
態様３３は、態様１〜３２の主題を含み得るか、又は任意選択的にそれと組み合わせられ得、任意選択的に、１つ以上の分配ポートが長手方向体軸から側方に離間されていることを含む。
【０２４４】
態様３４は、態様１〜３３の主題を含み得るか、又は任意選択的にそれと組み合わせられ得、任意選択的に、貫入要素は貫入プロファイルを含み、及び１つ以上の分配ポートは、貫入プロファイル内にあり、且つ貫入プロファイルに対して近位にあることを含む。
【０２４５】
態様３５は、態様１〜３４の主題を含み得るか、又は任意選択的にそれと組み合わせられ得、任意選択的に、１つ以上の分配ポートは、貫入プロファイル内の奥まった所に据えられることを含む。
【０２４６】
態様３６は、態様１〜３５の主題を含み得るか、又は任意選択的にそれと組み合わせられ得、任意選択的に、貫入形態では、貫入要素が１つ以上の分配ポートの植物との係合を妨害することを含む。
【０２４７】
態様３７は、態様１〜３６の主題を含み得るか、又は任意選択的にそれと組み合わせられ得、任意選択的に、貫入分配本体は本体プロファイルを含み、及び１つ以上の分配ポートは、本体プロファイルの外面から奥まった所に据えられることを含む。
【０２４８】
態様３８は、態様１〜３７の主題を含み得るか、又は任意選択的にそれと組み合わせられ得、任意選択的に、分配形態では、１つ以上の分配ポートは、本体プロファイル外面の方に向かって液状製剤を分配するように構成されていることを含む。
【０２４９】
態様３９は、態様１〜３８の主題を含み得るか、又は任意選択的にそれと組み合わせられ得、任意選択的に、分配形態では、１つ以上の分配ポートは、貫入要素に対して離れた所に液状製剤を分配するように構成されていることを含む。
【０２５０】
態様４０は、態様１〜３９の主題を含み得るか、又は任意選択的にそれと組み合わせられ得、任意選択的に、分配形態では、１つ以上の分配ポートは、貫入分配本体に沿って貫入要素に対して近位の箇所に液状製剤を分配するように構成されていることを含む。
【０２５１】
態様４１は、態様１〜４０の主題を含み得るか、又は任意選択的にそれと組み合わせられ得、任意選択的に、貫入分配部は、本体プロファイルと、本体プロファイル内に少なくとも１つの分配リザーバとを含み；及び分配形態では、１つ以上の分配ポートは、少なくとも１つの分配リザーバに液状製剤を分配するように構成されていることを含む。
【０２５２】
態様４２は、態様１〜４１の主題を含み得るか、又は任意選択的にそれと組み合わせられ得、任意選択的に、分配形態では、少なくとも１つの分配リザーバを有する貫入分配本体は、植物の植物組織に沿って液状製剤を保持するように構成されていることを含む。
【０２５３】
態様４３は、態様１〜４２の主題を含み得るか、又は任意選択的にそれと組み合わせられ得、任意選択的に、貫入分配本体が植物内でアンカー要素によって継続状態で保持されている保持形態を含む。
【０２５４】
態様４４は、態様１〜４３の主題を含み得るか、又は任意選択的にそれと組み合わせられ得、任意選択的に、分配形態では、１つ以上の分配ポートは、植物に継続状態で液状製剤を分配するように構成されていることを含む。
【０２５５】
態様４５は、態様１〜４４の主題を含み得るか、又は任意選択的にそれと組み合わせられ得、任意選択的に、継続状態は、１時間以上かけた１つ以上の分配ポートからの液状製剤の複数の分配を含むことを含む。
【０２５６】
態様４６は、態様１〜４５の主題を含み得るか、又は任意選択的にそれと組み合わせられ得、任意選択的に、複数の分配は液状製剤の連続的な分配を含むことを含む。
【０２５７】
態様４７は、態様１〜４６の主題を含み得るか、又は任意選択的にそれと組み合わせられ得、任意選択的に、貫入要素は、切断要素、楔プロファイル、又はスパイクプロファイルのうちの１つ以上を含むことを含む。
【０２５８】
態様４８は、態様１〜４７の主題を含み得るか、又は任意選択的にそれと組み合わせられ得、任意選択的に：植物に貫入し且つ植物に液状製剤を分配するように構成された注入器具を含む、植物注入システムであって、注入器具は：液状製剤を受け入れるように構成された入口ポートを有するベース；長手方向体軸に沿ってベースから延在し、本体プロファイルを有する貫入分配本体を含み、貫入分配本体は：貫入分配本体の遠位部分の近位にある貫入要素；貫入分配本体に沿った分配要素であって、１つ以上の分配ポートを含む分配要素を含み；及び１つ以上の分配ポートは、貫入分配本体に沿って長手方向体軸に対して側方に開口している、植物注入システムを含む。
【０２５９】
態様４９は、態様１〜４８の主題を含み得るか、又は任意選択的にそれと組み合わせられ得、任意選択的に、本体プロファイルは、貫入要素に沿って１つ以上の切断要素を有するシャフトプロファイルを含むことを含む。
【０２６０】
態様５０は、態様１〜４９の主題を含み得るか、又は任意選択的にそれと組み合わせられ得、任意選択的に、本体プロファイルは、遠位部分の方に向かってテーパが付けられている楔プロファイルを含むことを含む。
【０２６１】
態様５１は、態様１〜５０の主題を含み得るか、又は任意選択的にそれと組み合わせられ得、任意選択的に、貫入分配本体は、貫入された植物内に注入器具を保持するように構成されたアンカー要素を含むことを含む。
【０２６２】
態様５２は、態様１〜５１の主題を含み得るか、又は任意選択的にそれと組み合わせられ得、任意選択的に、アンカー要素は、ねじ切り部、縦溝、クリート、又は楔プロファイルのうちの１つ以上を含むことを含む。
【０２６３】
態様５３は、態様１〜５２の主題を含み得るか、又は任意選択的にそれと組み合わせられ得、任意選択的に、貫入分配本体は、入口ポートから１つ以上の分配ポートまで延在する入口通路を含むことを含む。
【０２６４】
態様５４は、態様１〜５３の主題を含み得るか、又は任意選択的にそれと組み合わせられ得、任意選択的に、１つ以上の分配ポートは、本体プロファイルの外面から奥まった所に据えられることを含む。
【０２６５】
態様５５は、態様１〜５４の主題を含み得るか、又は任意選択的にそれと組み合わせられ得、任意選択的に、１つ以上の分配ポートは複数の分配ポートを含むことを含む。
【０２６６】
態様５６は、態様１〜５５の主題を含み得るか、又は任意選択的にそれと組み合わせられ得、任意選択的に、１つ以上の分配ポートは、長手方向体軸から離れるように延在していることを含む。
【０２６７】
態様５７は、態様１〜５６の主題を含み得るか、又は任意選択的にそれと組み合わせられ得、任意選択的に、１つ以上の分配ポートは、ベースの方へ向かって延在し、且つ貫入分配本体の遠位部分から離れるように延在していることを含む。
【０２６８】
態様５８は、態様１〜５７の主題を含み得るか、又は任意選択的にそれと組み合わせられ得、任意選択的に、注入器具は、長手方向体軸に対して横断方向に植物に液状製剤を分配するように構成された１つ以上の分配ポートを有する分配形態を含むことを含む。
【０２６９】
態様５９は、態様１〜５８の主題を含み得るか、又は任意選択的にそれと組み合わせられ得、任意選択的に、本体プロファイルは少なくとも１つの分配リザーバを含み、及び１つ以上の分配ポートは、少なくとも１つの分配リザーバに開口していることを含む。
【０２７０】
態様６０は、態様１〜５９の主題を含み得るか、又は任意選択的にそれと組み合わせられ得、任意選択的に、少なくとも１つの分配リザーバは貫入要素の先端から離間していることを含む。
【０２７１】
態様６１は、態様１〜６０の主題を含み得るか、又は任意選択的にそれと組み合わせられ得、任意選択的に、少なくとも１つの分配リザーバは、本体プロファイルの外面から奥まった所に据えられることを含む。
【０２７２】
態様６２は、態様１〜６１の主題を含み得るか、又は任意選択的にそれと組み合わせられ得、任意選択的に、注入器具と連通する送達装置であって、送達装置は：液状製剤を保管するように構成されたコンテナー；及びコンテナーと連通する取り付けインターフェースを含み、取り付けインターフェースは、注入器具の入口ポートと結合するように構成されている、送達装置を含む。
【０２７３】
態様６３は、態様１〜６２の主題を含み得るか、又は任意選択的にそれと組み合わせられ得、任意選択的に、送達装置は、コンテナーと取り付けインターフェースとの間に置かれた投薬装置を含み、投薬装置は、注入器具に規定量の液状製剤を送達して、１つ以上の分配ポートから側方に分配するように構成されていることを含む。
【０２７４】
態様６４は、態様１〜６３の主題を含み得るか、又は任意選択的にそれと組み合わせられ得、任意選択的に：植物に貫入し且つ植物に液状製剤を分配するように構成された注入器具を含む、植物注入システムであって、注入器具は：液状製剤を受け入れるように構成された入口ポートを有するベース；長手方向体軸に沿ってベースから延在する貫入分配本体であって、本体プロファイルを有する貫入分配本体を含み、貫入分配本体は：貫入分配本体の遠位部分の近位にある貫入要素；貫入分配本体に沿ったアンカー要素であって、貫入された植物内に注入器具を保持するように構成されているアンカー要素；貫入分配本体に沿った分配要素であって、１つ以上の分配ポートを含む分配要素を含み；及び１つ以上の分配ポートは入口ポートと連通しており、且つ１つ以上の分配ポートが長手方向体軸から側方に離間されている、植物注入システムを含む。
【０２７５】
態様６５は、態様１〜６４の主題を含み得るか、又は任意選択的にそれと組み合わせられ得、任意選択的に、本体プロファイルはシャフトプロファイルを含み、及び貫入要素は１つ以上の切断要素を含むことを含む。
【０２７６】
態様６６は、態様１〜６５の主題を含み得るか、又は任意選択的にそれと組み合わせられ得、任意選択的に、本体プロファイルは、遠位部分の方に向かってテーパが付けられている楔プロファイルを含むことを含む。
【０２７７】
態様６７は、態様１〜６６の主題を含み得るか、又は任意選択的にそれと組み合わせられ得、任意選択的に、アンカー要素は、ねじ切り部、縦溝、クリート、又は楔プロファイルのうちの１つ以上を含むことを含む。
【０２７８】
態様６８は、態様１〜６７の主題を含み得るか、又は任意選択的にそれと組み合わせられ得、任意選択的に、貫入分配本体は、入口ポートから１つ以上の分配ポートまで延在する入口通路を含むことを含む。
【０２７９】
態様６９は、態様１〜６８の主題を含み得るか、又は任意選択的にそれと組み合わせられ得、任意選択的に、１つ以上の分配ポートは、本体プロファイルの外面から奥まった所に据えられることを含む。
【０２８０】
態様７０は、態様１〜６９の主題を含み得るか、又は任意選択的にそれと組み合わせられ得、任意選択的に、１つ以上の分配ポートは、貫入要素に対して離れた所に配置されていることを含む。
【０２８１】
態様７１は、態様１〜７０の主題を含み得るか、又は任意選択的にそれと組み合わせられ得、任意選択的に、１つ以上の分配ポートは、長手方向体軸から離れるように延在していることを含む。
【０２８２】
態様７２は、態様１〜７１の主題を含み得るか、又は任意選択的にそれと組み合わせられ得、任意選択的に、１つ以上の分配ポートは、ベースの方へ向かって延在し、且つ貫入分配本体の遠位部分から離れるように延在していることを含む。
【０２８３】
態様７３は、態様１〜７２の主題を含み得るか、又は任意選択的にそれと組み合わせられ得、任意選択的に、注入器具は、長手方向体軸に対して横断方向に植物に液状製剤を分配するように構成された１つ以上の分配ポートを有する分配形態を含むことを含む。
【０２８４】
態様７４は、態様１〜７３の主題を含み得るか、又は任意選択的にそれと組み合わせられ得、任意選択的に、本体プロファイルは少なくとも１つの分配リザーバを含み、及び１つ以上の分配ポートは、少なくとも１つの分配リザーバに開口していることを含む。
【０２８５】
態様７５は、態様１〜７４の主題を含み得るか、又は任意選択的にそれと組み合わせられ得、任意選択的に、貫入分配本体が少なくとも１つの分配リザーバを囲むことを含む。
【０２８６】
態様７６は、態様１〜７５の主題を含み得るか、又は任意選択的にそれと組み合わせられ得、任意選択的に、貫入分配本体は、１つ以上の扇形の面を含み、及び少なくとも１つの分配リザーバは１つ以上の扇形の面に沿って延在することを含む。
【０２８７】
態様７７は、態様１〜７６の主題を含み得るか、又は任意選択的にそれと組み合わせられ得、任意選択的に、貫入分配本体は１つ以上の空洞を含み、及び少なくとも１つの分配リザーバは、１つ以上の空洞内にあることを含む。
【０２８８】
態様７８は、態様１〜７７の主題を含み得るか、又は任意選択的にそれと組み合わせられ得、任意選択的に、少なくとも１つの分配リザーバは貫入要素の先端から離間していることを含む。
【０２８９】
態様７９は、態様１〜７８の主題を含み得るか、又は任意選択的にそれと組み合わせられ得、任意選択的に、少なくとも１つの分配リザーバは、本体プロファイルの外面から奥まった所に据えられることを含む。
【０２９０】
態様８０は、態様１〜７９の主題を含み得るか、又は任意選択的にそれと組み合わせられ得、任意選択的に、植物に液状製剤を分配する方法であって：長手方向体軸に沿って延在する貫入分配本体を有する注入器具によって植物に貫入することであって、貫入は：貫入分配本体の貫入要素で植物を突き刺すことを含み、貫入要素は長手方向体軸に沿って動かされることと；貫入された植物に液状製剤を分配することであって、液状製剤の分配は：注入器具の入口ポートから貫入分配本体の１つ以上の分配ポートへ液状製剤を送ること；１つ以上の分配ポートから長手方向体軸に対して横断方向に液状製剤を送達することを含むこととを含む、方法を含む。
【０２９１】
態様８１は、態様１〜８０の主題を含み得るか、又は任意選択的にそれと組み合わせられ得、任意選択的に、注入器具による植物の貫入は、貫入要素の貫入プロファイルによって植物から１つ以上の分配ポートを隔離することを含むことを含む。
【０２９２】
態様８２は、態様１〜８１の主題を含み得るか、又は任意選択的にそれと組み合わせられ得、任意選択的に、１つ以上の分配ポートは貫入分配本体の本体プロファイル内にあり；及び注入器具による植物の貫入は、本体プロファイルによって植物から１つ以上の分配ポートを隔離することを含むことを含む。
【０２９３】
態様８３は、態様１〜８２の主題を含み得るか、又は任意選択的にそれと組み合わせられ得、任意選択的に、１つ以上の分配ポートは貫入分配本体の本体プロファイル内にあり；及び注入器具による植物の貫入は、１つ以上の分配ポートの植物との係合を妨害することを含むことを含む。
【０２９４】
態様８４は、態様１〜８３の主題を含み得るか、又は任意選択的にそれと組み合わせられ得、任意選択的に、貫入要素は切断要素を含み；及び貫入要素で植物を突き刺すことは、切断要素で植物を切断することを含むことを含む。
【０２９５】
態様８５は、態様１〜８４の主題を含み得るか、又は任意選択的にそれと組み合わせられ得、任意選択的に、貫入要素は楔プロファイルを含み；及び貫入要素で植物を突き刺すことは、楔プロファイルで植物を切断することを含むことを含む。
【０２９６】
態様８６は、態様１〜８５の主題を含み得るか、又は任意選択的にそれと組み合わせられ得、任意選択的に、貫入分配本体は、本体プロファイルと、本体プロファイルから奥まった所に据えられる１つ以上の分配ポートとを含み；及び１つ以上の分配ポートから横断方向に液状製剤を送達することは、本体プロファイルに液状製剤を送達することを含むことを含む。
【０２９７】
態様８７は、態様１〜８６の主題を含み得るか、又は任意選択的にそれと組み合わせられ得、任意選択的に、貫入分配本体は少なくとも１つの分配リザーバを含み；及び１つ以上の分配ポートから横断方向に液状製剤を送達することは、少なくとも１つの分配リザーバに液状製剤を送達することを含むことを含む。
【０２９８】
態様８８は、態様１〜８７の主題を含み得るか、又は任意選択的にそれと組み合わせられ得、任意選択的に、植物の植物組織に沿って液状製剤を保持することを含む。
【０２９９】
態様８９は、態様１〜８８の主題を含み得るか、又は任意選択的にそれと組み合わせられ得、任意選択的に、１つ以上の分配ポートは、貫入要素から離れた所にあり；及び１つ以上の分配ポートから液状製剤を送達することは、貫入要素に対して離れた所に液状製剤を送達することを含むことを含む。
【０３００】
態様９０は、態様１〜８９の主題を含み得るか、又は任意選択的にそれと組み合わせられ得、任意選択的に、液状製剤を離れた所に送達することは、貫入分配本体に沿って貫入要素に対して近位の箇所に液状製剤を送達することを含むことを含む。
【０３０１】
態様９１は、態様１〜９０の主題を含み得るか、又は任意選択的にそれと組み合わせられ得、任意選択的に、アンカー要素によって植物内に貫入分配本体を保持することを含む。
【０３０２】
態様９２は、態様１〜９１の主題を含み得るか、又は任意選択的にそれと組み合わせられ得、任意選択的に、１つ以上の分配ポートから液状製剤を送達することは、液状製剤の継続的な送達を含むことを含む。
【０３０３】
態様９３は、態様１〜９２の主題を含み得るか、又は任意選択的にそれと組み合わせられ得、任意選択的に、液状製剤の継続的な送達は、１時間以上かけた液状製剤の継続的な送達を含むことを含む。
【０３０４】
態様９４は、態様１〜９３の主題を含み得るか、又は任意選択的にそれと組み合わせられ得、任意選択的に、液状製剤の継続的な送達は、複数の分配を含むことを含む。
【０３０５】
態様９５は、態様１〜９４の主題を含み得るか、又は任意選択的にそれと組み合わせられ得、任意選択的に、液状製剤の送達は、液状製剤の受動的な送達を含むことを含む。
【０３０６】
態様９６は、態様１〜９５の主題を含み得るか、又は任意選択的にそれと組み合わせられ得、任意選択的に、液状製剤の受動的な送達は、液状製剤の静水圧に基づいて液状製剤を送達することを含むことを含む。
【０３０７】
態様９７は、態様１〜９６の主題を含み得るか、又は任意選択的にそれと組み合わせられ得、任意選択的に：植物に貫入し且つ植物に液状製剤を分配するように構成された注入器具であって、注入器具は：入口ポートを有するベース；長手方向体軸に沿ってベースから延在する貫入分配本体であって、貫入分配本体は本体プロファイルを有し、貫入分配本体は：貫入分配本体の遠位部分の近位にある貫入要素；貫入分配本体に沿った分配要素であって、分配要素は、長手方向体軸に対して側方に向けられた１つ以上の分配ポートであって、入口ポートと連通する１つ以上の分配ポートを含む分配要素を含む貫入分配本体を含む、注入器具と；注入器具と連通する送達装置であって：液状製剤を保管するように構成されたコンテナー；及びコンテナーと連通する取り付けインターフェースであって、入口ポートに結合されるように構成されている取り付けインターフェースを含む、送達装置とを含む、植物注入システムを含む。
【０３０８】
態様９８は、態様１〜９７の主題を含み得るか、又は任意選択的にそれと組み合わせられ得、任意選択的に、送達装置は、コンテナーと取り付けインターフェースとの間に置かれた投薬装置を含み、投薬装置は、注入器具に規定量の液状製剤を送達して、１つ以上の分配ポートから側方に分配するように構成されていることを含む。
【０３０９】
態様９９は、態様１〜９８の主題を含み得るか、又は任意選択的にそれと組み合わせられ得、任意選択的に、１つ以上の分配ポートは、本体プロファイルの外面から奥まった所に据えられることを含む。
【０３１０】
態様１００は、態様１〜９９の主題を含み得るか、又は任意選択的にそれと組み合わせられ得、任意選択的に、本体プロファイルは少なくとも１つの分配リザーバを含み、及び１つ以上の分配ポートは、少なくとも１つの分配リザーバに開口していることを含む。
【０３１１】
態様１０１は、態様１〜１００の主題を含み得るか、又は任意選択的にそれと組み合わせられ得、任意選択的に、少なくとも１つの分配リザーバは貫入要素の先端から離間していることを含む。
【０３１２】
態様１０２は、態様１〜１０１の主題を含み得るか、又は任意選択的にそれと組み合わせられ得、任意選択的に、少なくとも１つの分配リザーバは、本体プロファイルの外面から奥まった所に据えられることを含む。
【０３１３】
これらの非限定的な態様のそれぞれは、独立し得るか、又は他の態様の１つ以上と様々な置換若しくは組み合わせで組み合わせられ得る。
【０３１４】
上記の説明は、詳細な説明の一部をなす添付図面の参照を含む。図面は、例示として、本発明が実施され得る具体的な実施形態を示す。これらの実施形態はまた、本明細書では「態様」又は「例」と呼ばれる。そのような態様又は例は、図示又は説明されるものに加えて、複数の要素を含み得る。しかしながら、本発明人らはまた、図示又は説明される要素のみが提供される態様又は例を考慮する。さらに、本発明人らはまた、特定の態様若しくは例（若しくはその１つ以上の特徴）に関して、又は本明細書で図示若しくは説明される他の態様（若しくはその１つ以上の特徴）に関してのいずれかで、図示又は説明される要素（又はそれらの１つ以上の特徴）のいずれかの組み合わせ又は置換を使用する態様又は例を考慮する。
【０３１５】
本明細書と参照により援用されるいずれかの文書との間に矛盾する使用法がある場合には、本明細書における使用法が支配する。
【０３１６】
本明細書では、用語「ａ」又は「ａｎ」は、特許文献において一般的であるように、「少なくとも１つ」又は「１つ以上」の任意の他の例又は使用法とは独立して、１つ又は２つ以上を含むように、使用される。本明細書では、用語「又は、若しくは（ｏｒ）」は、非排他的であることを指すために使用される、すなわち「Ａ又はＢ」は、別段の指示がない限り、「ＡはあるがＢはない」、「ＢはあるがＡはない」及び「Ａ及びＢ」を含む。本明細書では、用語「含む（ｉｎｃｌｕｄｉｎｇ）」及び「ｉｎ  ｗｈｉｃｈ」は、それぞれの用語「含む（ｃｏｍｐｒｉｓｉｎｇ）」及び「ｗｈｅｒｅｉｎ」の分かりやすい英語の等価物として使用される。また、以下の特許請求の範囲では、用語「含む（ｉｎｃｌｕｄｉｎｇ）」及び「含む（ｃｏｍｐｒｉｓｉｎｇ）」は制約がない、すなわち、特許請求の範囲においてそのような用語の前にリストされるものに加えて、複数の要素を含むシステム、装置、物品、組成物、製剤、又はプロセスは、依然として、特許請求の範囲に入るとみなされる。さらに、以下の特許請求の範囲では、用語「第１」、「第２」及び「第３」などは、単にラベルとして使用され、それらの対象に数字の条件を課すものではない。
【０３１７】
幾何学的な用語、例えば「平行」、「垂直」、「丸い」、又は「正方形」は、特に文脈で指示がない場合は、絶対的な数学的精度を必要とするものではない。その代わりに、そのような幾何学的な用語は、生産機能又は等価機能に起因して、変形を可能にする。例えば、要素が、「丸い」又は「全体的に丸い」と説明される場合、正確な円ではない構成要素（例えば、わずかに長円形であるか又は多辺の多角形であるもの）が、依然として本説明によって含まれる。
【０３１８】
上記の説明は、限定ではなく、説明である。例えば、上述の態様又は例（又はその１つ以上の態様）は、互いに組み合わせて使用され得る。他の実施形態は、例えば上記の説明を検討して、当業者によって使用され得る。要約は、読者が本技術的開示の性質を迅速に確認できるようにするために、３７Ｃ．Ｆ．Ｒ．§１．７２（ｂ）に従うために提供される。特許請求の範囲又は意味を解釈又は限定するために使用されるものではないという理解に従う。また、上記の詳細な説明では、様々な特徴は、本開示を簡潔にするために、まとめられ得る。これは、特許請求されていない開示の特徴が、いずれかの特許請求項に対して必須であることを意図していると解釈されるべきではない。むしろ、発明の主題は、特定の開示の実施形態の全ての特徴にあるわけではない可能性がある。それゆえ、以下の特許請求の範囲は、態様、例又は実施形態として詳細な説明に援用され、各請求項は、別個の実施形態としてそれ自体が独立しており、及びそのような実施形態は、様々な組み合わせ又は置換において互いに組み合わせられ得ると考慮される。本発明の範囲は、添付の特許請求の範囲を、そのような特許請求の範囲が権利を有するものの等価物の全範囲と一緒に、参照して決定されるべきである。
【０３１９】
本開示の態様及び実施形態を説明する本説明及び添付図面は、保護される開示を定義する特許請求の範囲を限定するととられるべきではない。換言すると、本開示は、図面及び以下の説明において、詳細に図示及び説明されているが、そのような図示及び説明は、説明又は例示であり、限定とはみなされない。様々な機械的な、組成の、構造的な、電気的な、及び動作的な変更は、本説明及び特許請求の範囲及び趣旨から逸脱せずに、なされ得る。場合によっては、周知の回路、構造及び技術は、本開示を曖昧にしないために、詳細には示していない。それゆえ、変更及び修正は、当業者によって、以下の特許請求の範囲及び趣旨内で行われ得ることが理解される。特に、本開示は、上記及び下記で説明する異なる実施形態からの特徴のいずれかの組み合わせを備えるさらなる実施形態を網羅する。
【０３２０】
本開示はまた、図面に個別に示す全てのさらなる特徴を網羅するが、それらは、上記又は下記の記載で説明されていない可能性がある。また、図面及び記載において説明した実施形態の単一の代替例及びその特徴の単一の代替例は、本開示の主題又は開示の主題から権利放棄され得る。本開示は、特許請求の範囲又は例示的な実施形態で定義される特徴からなる主題並びに前記特徴を含む主題を含む。
【０３２１】
さらに、特許請求の範囲では、語「含む（ｃｏｍｐｒｉｓｉｎｇ）」は、他の要素又はステップを除外せず、及び不定冠詞「ａ」又は「ａｎ」は、複数を除外しない。単一のユニット又はステップは、特許請求の範囲において列挙するいくつかの特徴の機能を満たし得る。いくつかの対策が、相互に異なる従属請求項で列挙されるという単なる事実は、これらの対策の組み合わせが、利益をもたらすために使用できないことを示すものではない。特に特性又は値に関連する用語「本質的に」、「約」、「およそ」などはまた、正確な特性又は正確な値をそれぞれ定義する。所与の数値又は範囲の文脈における用語「約」は、例えば、所与の値又は範囲の２０％内、１０％内、５％内、又は２％内の値又は範囲を指す。結合又は接続されたと説明される構成要素は、電気的若しくは機械的に直接結合されても、又は１つ以上の中間構成要素を介して間接的に結合されてもよい。特許請求の範囲におけるいずれかの参照符号は、特許請求の範囲を限定するとみなされるべきではない。
【図１】
2021532828.tif 000003
【図２】
2021532828.tif 000004
【図３】
2021532828.tif 000005
【図４】
2021532828.tif 000006
【図５】
2021532828.tif 000007
【図６】
2021532828.tif 000008
【図７】
2021532828.tif 000009
【図８】
2021532828.tif 000010
【図９】
2021532828.tif 000011
【図１０】
2021532828.tif 000012
【図１１】
2021532828.tif 000013
【図１２】
2021532828.tif 000014
【図１３】
2021532828.tif 000015
【図１４】
2021532828.tif 000016
【図１５】
2021532828.tif 000017
【図１６】
2021532828.tif 000018
【図１７】
2021532828.tif 000019
【図１８】
2021532828.tif 000020
【図１９】
2021532828.tif 000021
【図２０】
2021532828.tif 000022
【図２１】
2021532828.tif 000023
【図２２】
2021532828.tif 000024
【図２３】
2021532828.tif 000025
【図２４】
2021532828.tif 000026
【図２５】
2021532828.tif 000027
【図２６】
2021532828.tif 000028
【図２７】
2021532828.tif 000029
【図２８】
2021532828.tif 000030
【図２９】
2021532828.tif 000031
【図３０】
2021532828.tif 000032
【図３１】
2021532828.tif 000033
【図３２】
2021532828.tif 000034
【図３３】
2021532828.tif 000035
【国際調査報告】
2021532828.tif 000036
2021532828.tif 000037
2021532828.tif 000038
2021532828.tif 000039
2021532828.tif 000040
2021532828.tif 000041